(57)【要約】【課題】記憶容量の大きい、かつ消費電力の低い半導体装置を提供する。【解決手段】半導体装置は、メモリセルアレイと、第１乃至第６容量素子と、第１乃至第４配線と、第１及び第２センスアンプと、を有し、メモリセルアレイは、第１及び第２センスアンプの上部に位置し、第１配線は、メモリセルアレイと、第１容量素子の一方の電極と、第１トランジスタのソース−ドレイン間を介して第３配線と、第５容量素子を介して第４配線と、第１センスアンプを介して第２配線と、に電気的に接続され、第２配線は、第２容量素子の一方の電極と、第２トランジスタのソース−ドレイン間を介して第４配線と、第６容量素子を介して第３配線と、に電気的に接続され、第３配線は、第３容量素子の一方の電極と、第２センスアンプを介して第４配線と電気的と、に接続され、第４配線は、第４容量素子の一方の電極と、に電気的に接続される。【選択図】図１
2016212944.tif 000002
【特許請求の範囲】
【請求項１】
回路と、第１メモリセルと、を有する半導体装置であって、
前記回路は、第１トランジスタと、第２トランジスタと、第１乃至第６容量素子と、第１乃至第４配線と、第１センスアンプと、第２センスアンプと、を有し、
前記第１センスアンプは、第１入出力端子と、第２入出力端子と、を有し、
前記第２センスアンプは、第３入出力端子と、第４入出力端子と、を有し、
前記第１メモリセルは、前記第１センスアンプ及び前記第２センスアンプの上方に位置し、
前記第１配線は、前記第１容量素子の第１電極と、前記第１トランジスタのソース又はドレインの一方と、前記第５容量素子の第１電極と、前記第１入出力端子と、電気的に接続され、
前記第２配線は、前記第２容量素子の第１電極と、前記第２トランジスタのソース又はドレインの一方と、前記第６容量素子の第１電極と、前記第２入出力端子と、電気的に接続され、
前記第３配線は、前記第３容量素子の第１電極と、前記第１トランジスタのソース又はドレインの他方と、前記第６容量素子の第２電極と、前記第３入出力端子と、電気的に接続され、
前記第４配線は、前記第４容量素子の第１電極と、前記第２トランジスタのソース又はドレインの他方と、前記第５容量素子の第２電極と、前記第４入出力端子と、電気的に接続され、
前記第１メモリセルは、前記第１配線と電気的に接続されることを特徴とする半導体装置。
【請求項２】
請求項１において、
さらに、第１ダミーセルを有し、
前記第１ダミーセルは、前記第１メモリセルと同じ構成を有し、
前記第１ダミーセルは、前記第１センスアンプ及び前記第２センスアンプの上方に位置し、
前記第１ダミーセルは、前記第３配線と電気的に接続されることを特徴とする半導体装置。
【請求項３】
請求項１において、
さらに、第２メモリセルを有し、
前記第２メモリセルは、前記第１メモリセルと同じ構成を有し、
前記第２メモリセルは、前記第１センスアンプ及び前記第２センスアンプの上方に位置し、
前記第２メモリセルは、前記第３配線と電気的に接続されることを特徴とする半導体装置。
【請求項４】
請求項３において、
さらに、第１ダミーセルと、第２ダミーセルと、を有し、
前記第１ダミーセル及び前記第２ダミーセルは、それぞれ前記第１メモリセルと同じ構成を有し、
前記第１ダミーセル及び前記第２ダミーセルは、前記第１センスアンプ及び前記第２センスアンプの上方に位置し、
前記第１ダミーセルは、前記第３配線と電気的に接続され、
前記第２ダミーセルは、前記第１配線と電気的に接続されることを特徴とする半導体装置。
【請求項５】
請求項１乃至請求項４のいずれか一において、
前記第１トランジスタ及び前記第２トランジスタは、前記第１センスアンプ及び前記第２センスアンプの上方に位置し、
前記第１トランジスタ及び前記第２トランジスタの少なくとも一方は、チャネル形成領域に酸化物半導体を有することを特徴とする半導体装置。
【請求項６】
請求項１乃至請求項４のいずれか一において、
前記第１トランジスタ及び前記第２トランジスタの少なくとも一方は、チャネル形成領域にシリコンを有することを特徴とする半導体装置。
【請求項７】
請求項１乃至請求項６のいずれか一において、
前記第１メモリセル及び前記第２メモリセルは、それぞれ第７容量素子を有し、
前記第１乃至第７容量素子は、前記第１センスアンプ及び前記第２センスアンプの上方に位置することを特徴とする半導体装置。
【請求項８】
回路と、第１乃至第３メモリセルと、を有する半導体装置であって、
前記回路は、第１乃至第４トランジスタと、第１乃至第８容量素子と、第１乃至第６配線と、第１センスアンプと、第２センスアンプと、を有し、
前記第１センスアンプは、第１入出力端子と、第２入出力端子と、を有し、
前記第２センスアンプは、第３入出力端子と、第４入出力端子と、を有し、
前記第１乃至第３メモリセルは、前記第１センスアンプ及び前記第２センスアンプの上方に位置し、
前記第１配線は、前記第１容量素子の第１電極と、前記第１トランジスタのソース又はドレインの一方と、前記第７容量素子の第１電極と、前記第１入出力端子と、電気的に接続され、
前記第２配線は、前記第２容量素子の第１電極と、前記第２トランジスタのソース又はドレインの一方と、前記第８容量素子の第１電極と、前記第２入出力端子と、電気的に接続され、
前記第３配線は、前記第３容量素子の第１電極と、前記第１トランジスタのソース又はドレインの他方と、前記第３トランジスタのソース又はドレインの一方と、電気的に接続され、
前記第４配線は、前記第４容量素子の第１電極と、前記第２トランジスタのソース又はドレインの他方と、前記第４トランジスタのソース又はドレインの一方と、電気的に接続され、
前記第５配線は、前記第５容量素子の第１電極と、前記第３トランジスタのソース又はドレインの他方と、前記第８容量素子の第２電極と、前記第３入出力端子と、電気的に接続され、
前記第６配線は、前記第６容量素子の第１電極と、前記第４トランジスタのソース又はドレインの他方と、前記第７容量素子の第２電極と、前記第４入出力端子と、電気的に接続され、
前記第１メモリセルは、前記第１配線と電気的に接続され、
前記第２メモリセルは、前記第３配線と電気的に接続され、
前記第３メモリセルは、前記第５配線と電気的に接続されることを特徴とする半導体装置。
【請求項９】
請求項８において、
前記第１乃至前記第４トランジスタは、前記第１センスアンプ及び前記第２センスアンプの上方に位置し、
前記第１乃至前記第４トランジスタの少なくともいずれか一は、チャネル形成領域に酸化物半導体を有することを特徴とする半導体装置。
【請求項１０】
請求項８において、
前記第１乃至前記第４トランジスタの少なくともいずれか一は、チャネル形成領域にシリコンを有することを特徴とする半導体装置。
【請求項１１】
請求項８乃至請求項１０のいずれか一において、
前記第１乃至第３メモリセルは、それぞれ第９容量素子を有し、
前記第１乃至第９容量素子は、前記第１センスアンプ及び前記第２センスアンプの上方に位置することを特徴とする半導体装置。
【請求項１２】
請求項１乃至請求項１１のいずれか一において、
前記第１乃至第３メモリセルは、それぞれ第５トランジスタを有し、
前記第５トランジスタは、チャネル形成領域に酸化物半導体を有することを特徴とする半導体装置。
【請求項１３】
請求項１乃至請求項１２のいずれか一の半導体装置と
プロセッサコアと、を有することを特徴とする電子部品。
【発明の詳細な説明】
【技術分野】
【０００１】
本発明の一態様は、半導体装置、又は該半導体装置を有する電子部品に関する。
【０００２】
なお本発明の一態様は、上記の技術分野に限定されない。本明細書等で開示する発明の技術分野は、物、方法、又は、製造方法に関するものである。又は、本発明の一態様は、プロセス、マシン、マニュファクチャ、又は、組成物（コンポジション・オブ・マター）に関するものである。そのため、より具体的に本明細書で開示する本発明の一態様の技術分野としては、半導体装置、表示装置、液晶表示装置、発光装置、蓄電装置、撮像装置、記憶装置、プロセッサ、電子機器、それらの駆動方法、それらの製造方法、それらの検査方法、又はそれらのシステムを一例として挙げることができる。
【背景技術】
【０００３】
近年、パーソナルコンピュータ、スマートフォン、デジタルカメラなどさまざまな電子機器に、セントラルプロセシングユニット（Ｃｅｎｔｒａｌ  Ｐｒｏｃｅｓｓｉｎｇ  Ｕｎｉｔ（ＣＰＵ））やメモリ、センサなどといった半導体装置が用いられており、当該半導体装置は、微細化、及び低消費電力など様々な面で改良が進められている。
【０００４】
特に、電子機器の小型化が進んできており、それに伴い、電子機器の有する半導体装置の微細化が求められている。記憶装置を例に挙げると、メモリセルに３次元構造（積層構造）を採用すること、記憶装置内のメモリセルを多値化すること、などがある。
【先行技術文献】
【特許文献】
【０００５】
【特許文献１】特開２０１３−８４３１号公報
【特許文献２】特開２０１３−８９３６号公報
【非特許文献】
【０００６】
【非特許文献１】Ｔ．  Ｏｈｍａｒｕ  ｅｔ  ａｌ．，  ”Ｅｉｇｈｔ−ｂｉｔ  ＣＰＵ  ｗｉｔｈ  Ｎｏｎｖｏｌａｔｉｌｅ  Ｒｅｇｉｓｔｅｒｓ  Ｃａｐａｂｌｅ  ｏｆ  Ｈｏｌｄｉｎｇ  Ｄａｔａ  ｆｏｒ  ４０  Ｄａｙｓ  ａｔ  ８５℃  Ｕｓｉｎｇ  Ｃｒｙｓｔａｌｌｉｎｅ  Ｉｎ−Ｇａ−Ｚｎ  Ｏｘｉｄｅ  Ｔｈｉｎ  Ｆｉｌｍ  Ｔｒａｎｓｉｓｔｏｒｓ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１２，  ｐｐ．１１４４−１１４５．
【非特許文献２】Ｈ．  Ｋｏｂａｙａｓｈｉ  ｅｔ  ａｌ．，  ”Ｐｒｏｃｅｓｓｏｒ  ｗｉｔｈ  ４．９−μｓ  ｂｒｅａｋ−ｅｖｅｎ  ｔｉｍｅ  ｉｎ  ｐｏｗｅｒ  ｇａｔｉｎｇ  ｕｓｉｎｇ  ｃｒｙｓｔａｌｌｉｎｅ  Ｉｎ−Ｇａ−Ｚｎ−ｏｘｉｄｅ  ｔｒａｎｓｉｓｔｏｒ，”  Ｃｏｏｌ  Ｃｈｉｐｓ  ＸＶＩ，  Ｓｅｓｓｉｏｎ  ＶＩ，  ２０１３．
【非特許文献３】Ｓ．  Ｎｉｃｌａｓ  ｅｔ  ａｌ．，  ”Ｚｅｒｏ  Ａｒｅａ  Ｏｖｅｒｈｅａｄ  Ｓｔａｔｅ  Ｒｅｔｅｎｔｉｏｎ  Ｆｌｉｐ  Ｆｌｏｐ  Ｕｔｉｌｉｚｉｎｇ  Ｃｒｙｓｔａｌｌｉｎｅ  Ｉｎ−Ｇａ−Ｚｎ  Ｏｘｉｄｅ  Ｔｈｉｎ  Ｆｉｌｍ  Ｔｒａｎｓｉｓｔｏｒ  ｗｉｔｈ  Ｓｉｍｐｌｅ  Ｐｏｗｅｒ  Ｃｏｎｔｒｏｌ  Ｉｍｐｌｅｍｅｎｔｅｄ  ｉｎ  ａ  ３２−ｂｉｔ  ＣＰＵ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１３，  ｐｐ．  １０８８−１０８９．
【非特許文献４】Ｈ．  Ｔａｍｕｒａ  ｅｔ  ａｌ．，  ”Ｅｍｂｅｄｄｅｄ  ＳＲＡＭ  ａｎｄ  Ｃｏｒｔｅｘ−Ｍ０  Ｃｏｒｅ  ｗｉｔｈ  Ｂａｃｋｕｐ  Ｃｉｒｃｕｉｔｓ  Ｕｓｉｎｇ  ａ  ６０−ｎｍ  Ｃｒｙｓｔａｌｌｉｎｅ  Ｏｘｉｄｅ  Ｓｅｍｉｃｏｎｄｕｃｔｏｒ  ｆｏｒ  Ｐｏｗｅｒ  Ｇａｔｉｎｇ，”  Ｃｏｏｌ  Ｃｈｉｐｓ  ＸＶＩＩ，  Ｓｅｓｓｉｏｎ  ＸＩＩ，  ２０１４．
【非特許文献５】Ａ．Ｉｓｏｂｅ  ｅｔ  ａｌ．，  ”Ａ  ３２−ｂｉｔ  ＣＰＵ  ｗｉｔｈ  Ｚｅｒｏ  Ｓｔａｎｄｂｙ  Ｐｏｗｅｒ  ａｎｄ  １．５−ｃｌｏｃｋ  Ｓｌｅｅｐ／２．５−ｃｌｏｃｋ  Ｗａｋｅ−ｕｐ  Ａｃｈｉｅｖｅｄ  ｂｙ  Ｕｔｉｌｉｚｉｎｇ  ａ  １８０−ｎｍ  Ｃ−ａｘｉｓ  Ａｌｉｇｎｅｄ  Ｃｒｙｓｔａｌｌｉｎｅ  Ｉｎ−Ｇａ−Ｚｎ  Ｏｘｉｄｅ  Ｔｒａｎｓｉｓｔｏｒ，”  ＩＥＥＥ  Ｓｙｍｐ．  ＶＬＳＩ  ｃｉｒｃｕｉｔｓ，  ２０１４，  ｐｐ．４９−５０．
【非特許文献６】Ｔ．  Ａｔｓｕｍｉ  ｅｔ  ａｌ．，  ”ＤＲＡＭ  Ｕｓｉｎｇ  Ｃｒｙｓｔａｌｌｉｎｅ  Ｏｘｉｄｅ  Ｓｅｍｉｃｏｎｄｕｃｔｏｒ  ｆｏｒ  Ａｃｃｅｓｓ  Ｔｒａｎｓｉｓｔｏｒｓ  ａｎｄ  ｎｏｔ  Ｒｅｑｕｉｒｉｎｇ  Ｒｅｆｒｅｓｈ  ｆｏｒ  Ｍｏｒｅ  Ｔｈａｎ  Ｔｅｎ  Ｄａｙｓ，”  Ｉｎｔｅｒｎａｔｉｏｎａｌ  Ｍｅｍｏｒｙ  Ｗｏｒｋｓｈｏｐ，  ２０１２，  ｐｐ．  ９９−１０２．
【非特許文献７】Ｓ．  Ｎａｇａｔｓｕｋａ  ｅｔ  ａｌ．，  ”Ａ  ３ｂｉｔ／ｃｅｌｌ  Ｎｏｎｖｏｌａｔｉｌｅ  Ｍｅｍｏｒｙ  ｗｉｔｈ  Ｃｒｙｓｔａｌｌｉｎｅ  Ｉｎ−Ｇａ−Ｚｎ−Ｏ  ＴＦＴ，”  Ｉｎｔｅｒｎａｔｉｏｎａｌ  Ｍｅｍｏｒｙ  Ｗｏｒｋｓｈｏｐ，  ２０１３，  ｐｐ．  １８８−１９１．
【非特許文献８】Ｔ．  Ｉｓｈｉｚｕ  ｅｔ  ａｌ．，  ”ＳＲＡＭ  ｗｉｔｈ  Ｃ−Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ：  Ｐｏｗｅｒ  Ｌｅａｋａｇｅ  Ｒｅｄｕｃｔｉｏｎ  Ｔｅｃｈｎｉｑｕｅ  ｆｏｒ  Ｍｉｃｒｏｐｒｏｃｅｓｓｏｒ  Ｃａｃｈｅｓ，”  Ｉｎｔｅｒｎａｔｉｏｎａｌ  Ｍｅｍｏｒｙ  Ｗｏｒｋｓｈｏｐ，  ２０１４，  ｐｐ．  １０３−１０６．
【非特許文献９】Ｔ．  Ｏｎｕｋｉ  ｅｔ  ａｌ．，  ”ＤＲＡＭ  ｗｉｔｈ  Ｓｔｏｒａｇｅ  Ｃａｐａｃｉｔａｎｃｅ  ｏｆ  ３．９  ｆＦ  ｕｓｉｎｇ  ＣＡＡＣ−ＯＳ  Ｔｒａｎｓｉｓｔｏｒ  ｗｉｔｈ  Ｌ  ｏｆ  ６０  ｎｍ  ａｎｄ  ｈａｖｉｎｇ  Ｍｏｒｅ  Ｔｈａｎ  １−ｈ  Ｒｅｔｅｎｔｉｏｎ  Ｃｈａｒａｃｔｅｒｉｓｔｉｃｓ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１４，  ｐｐ．  ４３０−４３１．
【非特許文献１０】Ｔ．  Ｍａｔｓｕｚａｋｉ  ｅｔ  ａｌ．，  ”Ａ  １２８ｋｂ  ４ｂｉｔ／ｃｅｌｌ  ｎｏｎｖｏｌａｔｉｌｅ  ｍｅｍｏｒｙ  ｗｉｔｈ  ｃｒｙｓｔａｌｌｉｎｅ  Ｉｎ−Ｇａ−Ｚｎ  ｏｘｉｄｅ  ＦＥＴ  ｕｓｉｎｇ  Ｖｔ  ｃａｎｃｅｌ  ｗｒｉｔｅ  ｍｅｔｈｏｄ，”  ＩＳＳＣＣ  Ｄｉｇ．  Ｔｅｃｈ．  Ｐａｐｅｒｓ，  ｐｐ．  ３０６−３０７，  Ｆｅｂ．，  ２０１５．
【非特許文献１１】Ｙ．  Ｋｏｂａｙａｓｈｉ  ｅｔ  ａｌ．，  ”Ｓｃａｌｉｎｇ  ｔｏ  １００ｎｍ  Ｃｈａｎｎｅｌ  Ｌｅｎｇｔｈ  ｏｆ  Ｃｒｙｓｔａｌｌｉｎｅ  Ｉｎ−Ｇａ−Ｚｎ−Ｏｘｉｄｅ  Ｔｈｉｎ  Ｆｉｌｍ  Ｔｒａｎｓｉｓｔｏｒｓ  ｗｉｔｈ  Ｅｘｔｒｅｍｅｌｙ  Ｌｏｗ  Ｏｆｆ−Ｓｔａｔｅ  Ｃｕｒｒｅｎｔ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１３，  ｐｐ．  ９３０−９３１．
【非特許文献１２】Ｙ．  Ｙａｋｕｂｏ  ｅｔ  ａｌ．，  ”Ｈｉｇｈ−ｓｐｅｅｄ  ａｎｄ  Ｌｏｗ−ｌｅａｋａｇｅ  Ｃｈａｒａｃｔｅｒｉｓｔｉｃｓ  ｏｆ  ６０−ｎｍ  Ｃ−ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ  ＦＥＴ  ｗｉｔｈ  ＧＨｚ−ｏｒｄｅｒｅｄ  Ｃｕｔｏｆｆ  Ｆｒｅｑｕｅｎｃｙ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１４，  ｐｐ．  ６４８−６４９．
【非特許文献１３】Ｔ．Ｍｕｒｏｔａｎｉ，  Ｉ．Ｎａｒｉｔａｋｅ，  Ｔ．Ｍａｔａｎｏ，Ｔ．Ｏｈｓｕｋｉ，  Ｎ．Ｋａｓａｉ，  Ｈ．Ｋｏｇａ，  Ｋ．Ｋｏｙａｍａ，  Ｋ．Ｎａｋａｊｉｍａ，  Ｈ．Ｙａｍａｇｕｃｈｉ，  Ｈ．Ｗａｔａｎａｂｅ，  Ｔ．Ｏｋｕｄａ：”Ａ  ４−ｌｅｖｅｌ  ｓｔｏｒａｇｅ  ４Ｇｂ  ＤＲＡＭ，”  Ｄｉｇｅｓｔ  ｏｆ  Ｔｅｃｈｎｉｃａｌ  Ｐａｐｅｒｓ．  ４３ｒｄ  ＩＳＳＣＣ，  ｐｐ．  ７４−７５．
【発明の概要】
【発明が解決しようとする課題】
【０００７】
メモリセルの多値化とは、１つのメモリセルに３値以上のデータを扱わせることをという。例えば、１つのメモリセルに４値のデータを扱わせることができる場合、２値のメモリセルの２倍のデータ量を扱うことができ、メモリセルの実効面積を半分にすることができる。
【０００８】
記憶装置を多値化するには、２値とは異なり、高レベル電位、低レベル電位に加えて別の電位を取り扱う必要がある。例えば、３値の場合、高レベル電位、中レベル電位、低レベル電位の３つを取り扱う必要があり、また、例えば、８値の場合、高レベル電位、低レベル電位に加えて、低レベル電位を超えて高レベル電位未満の範囲の、６つの異なる電位を取り扱う必要がある。取り扱う電位の数が増えるほど、書き込み又は読み出しを行うデータの電位の範囲が狭くなるため、書き込み、読み出し動作時に扱う電位が変動しないように保持し続けることが重要である。
【０００９】
電位が変化する要因は、幾つか存在する。例えば、メモリセル内のリーク電流によって、保持している電位が変化する場合もある。また、例えば、配線の寄生容量によって、データの書き込み、読み出し時に電位が変化する場合もある。
【００１０】
また、揮発性メモリの場合、メモリセルが保持している電位の変化を防ぐために、常時メモリセルに電力を供給する方法があるが、この方法では消費電力が高くなる場合がある。
【００１１】
ＤＲＡＭ（Ｄｙｎａｍｉｃ  Ｒａｎｄｏｍ  Ａｃｃｅｓｓ  Ｍｅｍｏｒｙ）を多値化する場合を考える。ＤＲＡＭの多値化については、デバイスの構成に関する出願（特許文献１参照）と駆動方法に関する出願（特許文献２参照）が行われている。また、読み出し動作に関する報告（非特許文献１３参照）も過去に行われている。
【００１２】
一般的に、ＤＲＡＭが読み出し動作を行うとき、メモリセルから電荷を放電して読み出すステップ（破壊読み出し）と、メモリセルに電荷を充電して保持データをリフレッシュするステップと、が行われる。このとき、メモリセルに接続されている配線の容量素子（寄生容量などを含む）の影響によって、読み出すステップと、リフレッシュするステップと、における保持データに差が生じる場合がある。特に、多値化したＤＲＡＭでは、情報を示す電位の範囲が狭くなり、その差が狭いほど読み出しステップとリフレッシュするステップで保持データが異なる可能性が高くなる。
【００１３】
本発明の一態様は、新規な半導体装置を提供することを課題の一つとする。又は、本発明の一態様は、新規な半導体装置を有するモジュールを提供することを課題の一とする。又は、本発明の一態様は、新規な半導体装置を有するモジュールを使用した電子機器を提供することを課題の一とする。又は、本発明の一態様は、新規な記憶装置、新規なモジュール、新規な電子機器、又は新規なシステムなどを提供することを課題の一とする。
【００１４】
又は、本発明の一態様は、微細化された半導体装置を提供することを課題の一とする。又は、本発明の一態様は、保持データの変化のない半導体装置を提供することを課題の一とする。又は、本発明の一態様は、消費電力の低い半導体装置を提供することを課題の一とする。
【００１５】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した記載、及び他の課題のうち、少なくとも一つの課題を解決するものである。なお、本発明の一態様は、上記列挙した記載、及び他の課題の少なくとも一つについて、全ての課題を解決する必要はない。
【課題を解決するための手段】
【００１６】
（１）
本発明の一態様は、回路と、第１メモリセルと、を有する半導体装置であって、回路は、第１トランジスタと、第２トランジスタと、第１乃至第６容量素子と、第１乃至第４配線と、第１センスアンプと、第２センスアンプと、を有し、第１センスアンプは、第１入出力端子と、第２入出力端子と、を有し、第２センスアンプは、第３入出力端子と、第４入出力端子と、を有し、第１容量素子の容量Ｃ１、第２容量素子の容量Ｃ２、第３容量素子の容量Ｃ３、及び第４容量素子の容量Ｃ４は、下記の式（ａ１）の関係を満たし、第５容量素子の容量Ｃ５、及び第６容量素子の容量Ｃ６は、下記の式（ａ２）の関係を満たし、第１メモリセルは、第１センスアンプ及び第２センスアンプの上方に位置し、第１配線は、第１容量素子の第１電極と、第１トランジスタのソース又はドレインの一方と、第５容量素子の第１電極と、第１入出力端子と、電気的に接続され、第２配線は、第２容量素子の第１電極と、第２トランジスタのソース又はドレインの一方と、第６容量素子の第１電極と、第２入出力端子と、電気的に接続され、第３配線は、第３容量素子の第１電極と、第１トランジスタのソース又はドレインの他方と、第６容量素子の第２電極と、第３入出力端子と、電気的に接続され、第４配線は、第４容量素子の第１電極と、第２トランジスタのソース又はドレインの他方と、第５容量素子の第２電極と、第４入出力端子と、電気的に接続され、第１メモリセルは、第１配線と電気的に接続されることを特徴とする半導体装置である。
【００１７】
Ｃ１：Ｃ２：Ｃ３：Ｃ４＝２：２：１：１（ａ１）
【００１８】
Ｃ５：Ｃ６＝１：１（ａ２）
【００１９】
（２）
又は、本発明の一態様は、前記（１）において、さらに、第１ダミーセルを有し、第１ダミーセルは、第１メモリセルと同じ構成を有し、第１ダミーセルは、第１センスアンプ及び第２センスアンプの上方に位置し、第１ダミーセルは、第３配線と電気的に接続されることを特徴とする半導体装置である。
【００２０】
（３）
又は、本発明の一態様は、前記（１）において、さらに、第２メモリセルを有し、第２メモリセルは、第１メモリセルと同じ構成を有し、第２メモリセルは、第１センスアンプ及び第２センスアンプの上方に位置し、第２メモリセルは、第３配線と電気的に接続されることを特徴とする半導体装置である。
【００２１】
（４）
又は、本発明の一態様は、前記（３）において、さらに、第１ダミーセルと、第２ダミーセルと、を有し、第１ダミーセル及び第２ダミーセルは、それぞれ第１メモリセルと同じ構成を有し、第１ダミーセル及び第２ダミーセルは、第１センスアンプ及び第２センスアンプの上方に位置し、第１ダミーセルは、第３配線と電気的に接続され、第２ダミーセルは、第１配線と電気的に接続されることを特徴とする半導体装置である。
【００２２】
（５）
又は、本発明の一態様は、前記（１）乃至（４）のいずれか一において、第１トランジスタ及び第２トランジスタは、第１センスアンプ及び第２センスアンプの上方に位置し、第１トランジスタ及び第２トランジスタの少なくとも一方は、チャネル形成領域に酸化物半導体を有することを特徴とする半導体装置である。
【００２３】
（６）
又は、本発明の一態様は、前記（１）乃至（４）のいずれか一において、第１トランジスタ及び第２トランジスタの少なくとも一方は、チャネル形成領域にシリコンを有することを特徴とする半導体装置である。
【００２４】
（７）
又は、本発明の一態様は、前記（１）乃至（６）のいずれか一において、第１メモリセル及び第２メモリセルは、それぞれ第７容量素子を有し、第１乃至第７容量素子は、第１センスアンプ及び第２センスアンプの上方に位置することを特徴とする半導体装置である。
【００２５】
（８）
本発明の一態様は、回路と、第１乃至第３メモリセルと、を有する半導体装置であって、回路は、第１乃至第４トランジスタと、第１乃至第８容量素子と、第１乃至第６配線と、第１センスアンプと、第２センスアンプと、を有し、第１センスアンプは、第１入出力端子と、第２入出力端子と、を有し、第２センスアンプは、第３入出力端子と、第４入出力端子と、を有し、第１容量素子の容量Ｃ１、第２容量素子の容量Ｃ２、第３容量素子の容量Ｃ３、第４容量素子の容量Ｃ４、第５容量素子の容量Ｃ５、及び第６容量素子の容量Ｃ６は、下記の式（ａ３）の関係を満たし、第７容量素子の容量Ｃ７、及び第８容量素子の容量Ｃ８は、下記の式（ａ４）の関係を満たし、第１乃至第３メモリセルは、第１センスアンプ及び第２センスアンプの上方に位置し、第１配線は、第１容量素子の第１電極と、第１トランジスタのソース又はドレインの一方と、第７容量素子の第１電極と、第１入出力端子と、電気的に接続され、第２配線は、第２容量素子の第１電極と、第２トランジスタのソース又はドレインの一方と、第８容量素子の第１電極と、第２入出力端子と、電気的に接続され、第３配線は、第３容量素子の第１電極と、第１トランジスタのソース又はドレインの他方と、第３トランジスタのソース又はドレインの一方と、電気的に接続され、第４配線は、第４容量素子の第１電極と、第２トランジスタのソース又はドレインの他方と、第４トランジスタのソース又はドレインの一方と、電気的に接続され、第５配線は、第５容量素子の第１電極と、第３トランジスタのソース又はドレインの他方と、第８容量素子の第２電極と、第３入出力端子と、電気的に接続され、第６配線は、第６容量素子の第１電極と、第４トランジスタのソース又はドレインの他方と、第７容量素子の第２電極と、第４入出力端子と、電気的に接続され、第１メモリセルは、第１配線と電気的に接続され、第２メモリセルは、第３配線と電気的に接続され、第３メモリセルは、第５配線と電気的に接続されることを特徴とする半導体装置である。
【００２６】
Ｃ１：Ｃ２：Ｃ３：Ｃ４：Ｃ５：Ｃ６＝１：１：１：１：１：１（ａ３）
【００２７】
Ｃ７：Ｃ８＝１：１（ａ４）
【００２８】
（９）
又は、本発明の一態様は、前記（８）において、第１乃至第４トランジスタは、第１センスアンプ及び第２センスアンプの上方に位置し、第１乃至第４トランジスタの少なくともいずれか一は、チャネル形成領域に酸化物半導体を有することを特徴とする半導体装置である。
【００２９】
（１０）
又は、本発明の一態様は、前記（８）において、第１乃至第４トランジスタの少なくともいずれか一は、チャネル形成領域にシリコンを有することを特徴とする半導体装置である。
【００３０】
（１１）
又は、本発明の一態様は、前記（８）乃至前記（１０）のいずれか一において、第１乃至第３メモリセルは、それぞれ第９容量素子を有し、第１乃至第９容量素子は、第１センスアンプ及び第２センスアンプの上方に位置することを特徴とする半導体装置である。
【００３１】
（１２）
又は、本発明の一態様は、前記（１）乃至（１１）のいずれか一において、第１乃至第３メモリセルは、それぞれ第５トランジスタを有し、第５トランジスタは、チャネル形成領域に酸化物半導体を有することを特徴とする半導体装置である。
【００３２】
（１３）
又は、本発明の一態様は、前記（１）乃至（１２）のいずれか一の半導体装置と、プロセッサコアと、を有することを特徴とする電子部品である。
【００３３】
図２（Ｃ）は、チャネル形成領域に酸化物半導体を有するトランジスタ（以下、ＯＳ‐ＦＥＴと呼ぶ）を用いて作製した不揮発性メモリの積層構造を示す模式図である。なお、本明細書中では、ＯＳ−ＦＥＴを用いた不揮発性メモリをＮＯＳＲＡＭ（Ｎｏｎｖｏｌａｔｉｌｅ  Ｏｘｉｄｅ  Ｓｅｍｉｃｏｎｄｕｃｔｏｒ  Ｒａｎｄｏｍ  Ａｃｃｅｓｓ  Ｍｅｍｏｒｙ）と呼ぶ場合がある。
【００３４】
図２（Ａ）、（Ｂ）はＮＯＳＲＡＭを積層させて多値化を実現する場合の概念図を表している。一層からなるＮＯＳＲＡＭをメモリセルの最小単位とした場合、１つのメモリセルにＪビット（２Ｊ値、Ｊは１以上の整数）のデータを格納し、これをＫ層（Ｋは２以上の整数）の積層とすることで、ＮＯＳＲＡＭは全体でＪ×Ｋビット（２Ｊ×Ｋ値）のデータを保持することが可能になる。図２（Ｂ）は１つのメモリセルに４ビットのデータを格納する場合（Ｊ＝４）の概念図を示している。図２（Ａ）は上記メモリセルを４層積層させ（Ｋ＝４）、４×４＝１６ビットを１ワードとした場合の概念図を示している。
【００３５】
図２（Ｄ）に示す回路図は、上記Ｊビットのデータを保持することが可能なメモリセル６１００の構成例を示している。メモリセル６１００は、トランジスタＯＳ１、トランジスタＯＳ２及び容量素子Ｃ０を有することが好ましい。トランジスタＯＳ１のソース又はドレインの一方は、トランジスタＯＳ２のゲートに電気的に接続されている。また、容量素子Ｃ０の一方の端子は、トランジスタＯＳ２のゲートに電気的に接続されている。
【００３６】
トランジスタＯＳ１、ＯＳ２はＯＳ−ＦＥＴを用いることが好ましい。ＯＳ−ＦＥＴはオフ電流が極めて低いために、トランジスタＯＳ１をオフにすることで、トランジスタＯＳ２のゲートに書き込まれたデータを長期間保持することが可能になる。
【００３７】
トランジスタＯＳ１、ＯＳ２は、第１のゲート及び第２のゲート（ＢＧ）を有することが好ましい。第１のゲートと第２のゲートは、チャネル形成領域を間に介して、互いに重畳する領域を有することが好ましい。トランジスタＯＳ１、ＯＳ２は第２のゲートを有することで、トランジスタのしきい値電圧を制御することが可能になる。また、トランジスタのオン電流を増大させることが可能になる。
【００３８】
図２（Ｃ）に示す模式図は、記憶装置６０００の構成例を示している。記憶装置６０００は、メモリセル６１００の積層によって構成されている。記憶装置６０００は、ＳｉトランジスタからなるＣＭＯＳ層と、ＯＳ‐ＦＥＴからなる第１乃至第４のＯＳ層を有する。ＣＭＯＳ層の上に第１乃至第４のＯＳ層が形成されている。第１乃至第４のＯＳ層は、メモリセル６１００をそれぞれ有する。また、ＣＭＯＳ層は、上記メモリセルを制御する機能を有する。
【００３９】
図３は、記憶装置６０００において、第１のＯＳ層と第２のＯＳ層のより詳細な構成例を示している。図３の左半分は、回路図を示し、図３の右半分は、回路図に対応する断面図を示している。
【００４０】
第１のＯＳ層において、トランジスタＯＳ１のゲートは配線ＷＬ１に電気的に接続され、トランジスタＯＳ１のソース又はドレインの他方は配線ＢＬ１に電気的に接続されている。トランジスタＯＳ２のソース又はドレインの一方は、配線ＳＬ１に電気的に接続され、トランジスタＯＳ２のソース又はドレインの他方は、配線ＲＢＬ１に電気的に接続されている。また、容量素子Ｃ０の他方の端子は配線ＣＮＯＤＥ１に電気的に接続されている。
【００４１】
第２のＯＳ層において、トランジスタＯＳ１のゲートは配線ＷＬ２に電気的に接続され、トランジスタＯＳ１のソース又はドレインの他方は配線ＢＬ２に電気的に接続されている。トランジスタＯＳ２のソース又はドレインの一方は、配線ＳＬ２に電気的に接続され、トランジスタＯＳ２のソース又はドレインの他方は、配線ＲＢＬ２に電気的に接続されている。また、容量素子Ｃ０の他方の端子は配線ＣＮＯＤＥ２に電気的に接続されている。
【００４２】
第３及び第４のＯＳ層についても、図３と同様の構成をあてはめることが可能である。
【００４３】
フラッシュメモリは、書き換え回数に制限があり、記憶されたデータを更新する際に、古いデータを消去する必要がある。記憶装置６０００は、書き換え回数に制限がなく、１０１２回以上のデータ書き換えが可能である。また、記憶装置６０００は、古いデータを消去することなしに、新たなデータを書き込むことが可能である。また、記憶装置６０００は、フラッシュメモリよりも低電圧で書き込みと読み出しを行うことが可能である。また、ＯＳ−ＦＥＴは積層が容易なため、記憶装置６０００は、容易に多値化を実現することが可能である。
【００４４】
表１は、ＮＯＳＲＡＭに用いられるＯＳ−ＦＥＴのテクノロジーノードと、メモリセル６１００の占有面積（Ｆ２／ｃｅｌｌ、Ｃｅｌｌ  Ａｒｅａ）と、メモリセル６１００の１ビットあたりの占有面積（Ｆ２／ｂｉｔ、Ａｒｅａ  ｐｅｒ  ｂｉｔ）を表している。なお、１ビットあたりの占有面積（以下、ビット面積と呼ぶ）は、図２（Ｃ）に示すようにメモリセル６１００を４層積層させた場合の値を示している。なお、ＯＳ−ＦＥＴのテクノロジーノードとは、主にＯＳ−ＦＥＴのチャネル長のことをいう。表１には、比較として、３次元ＮＡＮＤフラッシュメモリを用いて作製した２５６ＧＢｙｔｅのＳＳＤ（Ｓｏｌｉｄ  Ｓｔａｔｅ  Ｄｒｉｖｅ）の値を載せている。
【００４５】
【表１】
2016212944.tif 000003
【００４６】
次に、メモリセル６１００の積層数を変化させた場合のビット面積について考える。図４は、縦軸にビット面積、横軸にメモリセル６１００の積層数をあてはめた場合のグラフを示している。図４より、１５ｎｍノードのＯＳ−ＦＥＴを用いて作製したメモリセル６１００は、４層構成にすることで、２５６ＧＢｙｔｅのＳＳＤと、同等のビット面積を有することがわかる。また、１０ｎｍノードのＯＳ−ＦＥＴを用いて作製したメモリセル６１００は、６層構成にすることで、１ＴＢｙｔｅのＳＳＤと、同等のビット面積を有することがわかる。
【００４７】
図５は、非特許文献１乃至１２に記載されているＯＳ−ＦＥＴのチャネル長の変遷を示したものである。図５において、１）乃至１２）はそれぞれ非特許文献１乃至１２で開示されたＯＳ−ＦＥＴのチャネル長を示している。図５より、ＯＳ−ＦＥＴは半年でチャネル長が１／２になるようにスケーリングを達成していることが確認された。また、比較として、図５にはＳｉトランジスタ（以下、Ｓｉ−ＦＥＴと呼ぶ）の例を載せている。Ｓｉ−ＦＥＴに比べて、ＯＳ−ＦＥＴはより短期間で微細化を達成していることが確認された。また、図５より、２０１６年には、ＯＳ−ＦＥＴはＳｉ−ＦＥＴのチャネル長に追いつく可能性が示された。
【発明の効果】
【００４８】
本発明の一態様によって、新規な半導体装置を提供することができる。又は、本発明の一態様によって、新規な半導体装置を有するモジュールを提供することができる。又は、本発明の一態様によって、新規な半導体装置を有するモジュールを使用した電子機器を提供することができる。又は、本発明の一態様によって、新規な記憶装置、新規なモジュール、新規な電子機器又は新規なシステムなどを提供することができる。
【００４９】
又は、本発明の一態様によって、微細化された半導体装置を提供することができる。又は、本発明の一態様によって、保持データの変化のない半導体装置を提供することができる。又は、本発明の一態様によって、消費電力の低い半導体装置を提供することができる。
【００５０】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び他の効果のうち、少なくとも一つの効果を有するものである。従って本発明の一態様は、場合によっては、上記列挙した効果を有さない場合もある。
【図面の簡単な説明】
【００５１】
【図１】半導体装置の一例を示す回路図。
【図２】記憶装置の構成例を示す概念図、模式図及び回路図。
【図３】記憶装置の構成例を示す回路図及び断面図。
【図４】メモリセルの積層数と記憶装置のビット面積の関係を示す図。
【図５】ＯＳ−ＦＥＴのチャネル長の変遷を示す図。
【図６】図１の半導体装置の動作例を示すタイミングチャート。
【図７】図１の半導体装置の動作例を示すタイミングチャート。
【図８】図１の半導体装置の動作例を示すタイミングチャート。
【図９】図１の半導体装置の動作例を示すタイミングチャート。
【図１０】半導体装置の一例を示す回路図。
【図１１】半導体装置の一例を示す回路図。
【図１２】図１１の半導体装置の動作例を示すタイミングチャート。
【図１３】半導体装置の一例を示す回路図。
【図１４】半導体装置の一例を示す回路図。
【図１５】図１４の半導体装置の動作例を示すタイミングチャート。
【図１６】図１４の半導体装置の動作例を示すタイミングチャート。
【図１７】記憶装置の一例を示すブロック図。
【図１８】電子部品の一例を示すブロック図。
【図１９】トランジスタの構成例を示す上面図及び断面図。
【図２０】トランジスタの構成例を示す断面図及びエネルギーバンド図。
【図２１】酸素が拡散する経路を示す断面図。
【図２２】トランジスタの構成例を示す上面図及び断面図。
【図２３】トランジスタの構成例を示す上面図及び断面図。
【図２４】トランジスタの構成例を示す上面図及び断面図。
【図２５】トランジスタの構成例を示す上面図及び断面図。
【図２６】トランジスタの構成例を示す上面図及び断面図。
【図２７】トランジスタの構成例を示す上面図及び断面図。
【図２８】メモリセルの構成例を示す断面図。
【図２９】メモリセルの構成例を示す断面図。
【図３０】トランジスタの構成例を示す断面図。
【図３１】トランジスタの構成例を示す断面図。
【図３２】ＣＡＡＣ−ＯＳ及び単結晶酸化物半導体のＸＲＤによる構造解析を説明する図、ならびにＣＡＡＣ−ＯＳの制限視野電子回折パターンを示す図。
【図３３】ＣＡＡＣ−ＯＳの断面ＴＥＭ像、ならびに平面ＴＥＭ像及びその画像解析像。
【図３４】ｎｃ−ＯＳの電子回折パターンを示す図、及びｎｃ−ＯＳの断面ＴＥＭ像。
【図３５】ａ−ｌｉｋｅ  ＯＳの断面ＴＥＭ像。
【図３６】Ｉｎ−Ｇａ−Ｚｎ酸化物の電子照射による結晶部の変化を示す図。
【図３７】電子部品の作製例を示すフローチャートと、電子部品の一例を示す斜視図。
【図３８】本発明の一態様の電子機器を示す図。
【図３９】ＲＦタグの使用例を示す斜視図。
【発明を実施するための形態】
【００５２】
本明細書において、酸化物半導体をＯＳ（Ｏｘｉｄｅ  Ｓｅｍｉｃｏｎｄｕｃｔｏｒ）と表記する場合がある。そのため、チャネル形成領域に酸化物半導体を有するトランジスタをＯＳトランジスタという場合がある。
【００５３】
（実施の形態１）
本実施の形態では、本発明の一態様の半導体装置の構成例とその動作例について説明する。
【００５４】
＜構成例１＞
本発明の一態様である半導体装置の構成例を図１に示す。半導体装置１００は、メモリセルアレイと、読み出し回路と、を積層した記憶装置であり、層ＬＹＲ１、及び層ＬＹＲ２を有している。層ＬＹＲ１は、読み出し回路を有し、層ＬＹＲ２は、メモリセルアレイを有している。
【００５５】
読み出し回路は、センスアンプ１０１と、センスアンプ１０２と、配線ＢＬＡ−１と、配線ＢＬＡ−２と、配線ＢＬＢ−１と、配線ＢＬＢ−２と、容量素子ＣＡ１と、容量素子ＣＡ２と、容量素子ＣＢ１と、容量素子ＣＢ２と、容量素子ＣＸ１と、容量素子ＣＸ２と、トランジスタＴｒ１と、トランジスタＴｒ２と、を有している。読み出し回路は、配線ＴＧと電気的に接続されている。なお、容量素子ＣＡ１と、容量素子ＣＡ２と、は同じ容量であり、容量素子ＣＢ１と、容量素子ＣＢ２と、は同じ容量であり、容量素子ＣＸ１と、容量素子ＣＸ２と、は同じ容量である。さらに、容量素子ＣＡ１の容量は、容量素子ＣＢ１の容量の２倍有し、容量素子ＣＡ２の容量は、容量素子ＣＢ２の容量の２倍有している。
【００５６】
配線ＢＬＡ−１は、センスアンプ１０１の第１入出力端子と、容量素子ＣＡ１の第１電極と、容量素子ＣＸ１の第１電極と、トランジスタＴｒ１のソース又はドレインの一方と電気的に接続されている。配線ＢＬＡ−２は、センスアンプ１０１の第２入出力端子と、容量素子ＣＡ２の第１電極と、容量素子ＣＸ２の第１電極と、トランジスタＴｒ２のソース又はドレインの一方と電気的に接続されている。配線ＢＬＢ−１は、センスアンプ１０２の第１入出力端子と、容量素子ＣＢ１の第１電極と、容量素子ＣＸ２の第２電極と、トランジスタＴｒ１のソース又はドレインの他方と電気的に接続されている。配線ＢＬＢ−２は、センスアンプ１０２の第２入出力端子と、容量素子ＣＢ２の第１電極と、容量素子ＣＸ１の第２電極と、トランジスタＴｒ２のソース又はドレインの他方と電気的に接続されている。配線ＴＧは、トランジスタＴｒ１のゲートと、トランジスタＴｒ２のゲートと電気的に接続されている。容量素子ＣＡ１の第２電極は、配線ＶＣと電気的に接続され、容量素子ＣＡ２の第２電極は、配線ＶＣと電気的に接続され、容量素子ＣＢ１の第２電極は、配線ＶＣと電気的に接続され、容量素子ＣＢ２の第２電極は、配線ＶＣと電気的に接続されている。
【００５７】
層ＬＹＲ２は、メモリセルアレイＭＣＡＬＡを有している。メモリセルアレイＭＣＡＬＡは、メモリセルＭＣＡ［１］乃至メモリセルＭＣＡ［ｍ］（ｍは１以上の整数）を有している。メモリセルアレイＭＣＡＬＡは、配線ＷＬＡ［１］乃至配線ＷＬＡ［ｍ］と電気的に接続されている。
【００５８】
メモリセルＭＣＡ［ｉ］（ｉは１以上ｍ以下の整数）は、トランジスタＴＡ［ｉ］と、容量素子ＣＳＡ［ｉ］と、を有している。トランジスタＴＡ［ｉ］のソース又はドレインの一方は、容量素子ＣＳＡ［ｉ］の第１電極と電気的に接続され、トランジスタＴＡ［ｉ］のゲートは、配線ＷＬＡ［ｉ］と電気的に接続されている。容量素子ＣＳＡ［ｉ］の第２電極は、配線ＶＣと電気的に接続されている。
【００５９】
なお、図１のメモリセルアレイＭＣＡＬＡは、メモリセルＭＣＡ［１］、メモリセルＭＣＡ［ｍ］、トランジスタＴＡ［１］、トランジスタＴＡ［ｍ］、容量素子ＣＳＡ［１］、容量素子ＣＳＡ［ｍ］、配線ＷＬＡ［１］、配線ＷＬＡ［ｍ］、配線ＶＣのみ図示しており、それ以外の素子、回路、配線、符号などは省略している。
【００６０】
読み出し回路は、配線ＢＬＡを介してメモリセルアレイＭＣＡＬＡと接続されている。具体的には、配線ＢＬＡ−１は、配線ＢＬＡを介してトランジスタＴＡ［１］乃至トランジスタＴＡ［ｍ］のそれぞれのソース又はドレインの他方の電極と電気的に接続されている。
【００６１】
配線ＶＣは、各容量素子の第２電極に電位を与えるための配線であり、ＧＮＤ電位が入力される。なお、本明細書では、ＧＮＤ電位を基準電位とする。
【００６２】
＜動作例１＞
次に、半導体装置１００の動作例について、図６乃至図９を用いて、説明する。
【００６３】
図６乃至図９は、半導体装置１００の動作を示すタイミングチャートであり、メモリセルアレイＭＣＡＬＡの中のいずれかのメモリセルＭＣＡ［ｉ］に保持されたデータを読み出す動作を表している。
【００６４】
なお、読み出すデータの値は、読み出した電位とリファレンス電位とを比較して、決定される。例えば、２値の場合、読み出した電位がリファレンス電位よりも大きい場合、読み出した電位は”１”と判定され、読み出した電位がリファレンス電位よりも小さい場合、読み出した電位は”０”と判定される。また、本明細書に記載する動作例における、リファレンス電位をＶＣＣ／２とする。
【００６５】
＜＜動作例１−１＞＞
メモリセルＭＣＡ［ｉ］に保持されたデータが”１１”の時の、半導体装置１００の動作例について説明する。図６に示すタイミングチャートＴＣ１−１は、メモリセルＭＣＡ［ｉ］に保持されたデータが”１１”であった場合において、そのデータの読み出し動作期間における配線ＢＬＡ−１、配線ＢＬＡ−２、配線ＢＬＢ−１、配線ＢＬＢ−２、及び配線ＴＧの電位の変化を表している。
【００６６】
時刻Ｔ０において、配線ＴＧには高レベル電位が印加されており、トランジスタＴｒ１及びトランジスタＴｒ２が導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、及び配線ＢＬＢ−２の電位は、ＶＣＣ／２となる。なお、プリチャージ後は、配線ＢＬＡ−１と配線ＢＬＢ−１、及び配線ＢＬＡ−２と配線ＢＬＢ−２は、フローティング状態にする。
【００６７】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−１において昇圧される電圧をＶＳとする。メモリセルＭＣＡ［ｉ］のデータ読み出しが完了したあと、配線ＷＬＡ［ｉ］に低レベル電位が印加されて、トランジスタＴＡ［ｉ］は非導通状態となる。
【００６８】
時刻Ｔ２において、配線ＴＧに低レベル電位を印加する。これにより、トランジスタＴｒ１及びトランジスタＴｒ２が非導通状態となる。このとき、配線ＢＬＡ−１、配線ＢＬＡ−２、配線ＢＬＢ−１、及び配線ＢＬＢ−２の電位は、時刻Ｔ２以前の状態と同じである。
【００６９】
時刻Ｔ３において、センスアンプ１０１を作動させる。センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にする回路である。このとき、配線ＢＬＡ−２よりも配線ＢＬＡ−１の電位が高いため、配線ＢＬＡ−１の電位は、ＶＣＣまで増幅される。一方、配線ＢＬＡ−２の電位は、ＧＮＤ電位まで降圧される。ここで、配線ＢＬＡ−１の電位から、上位ビットの読み出しを行う。配線ＢＬＡ−１の電位はＶＣＣで、リファレンス電位よりも高いため、”１”を読み出すことができる。このように、時刻Ｔ３から時刻Ｔ４までの間の配線ＢＬＡ−１の電位から、上位ビットの読み出しを行うことができる。
【００７０】
さらに、上述のセンスアンプの動作によって、クロスカップルされた容量素子ＣＸ１及び容量素子ＣＸ２を通して、配線ＢＬＢ−１及び配線ＢＬＢ−２の電位を変化させる。具体的には、電位ＶＣＣに昇圧された配線ＢＬＡ−１と、容量素子ＣＸ１を介して電気的に接続されている配線ＢＬＢ−２の電位をＶＳ／３昇圧させ、また、ＧＮＤ電位に降圧された配線ＢＬＡ−２と、容量素子ＣＸ２を介して、電気的に接続されている配線ＢＬＢ−１の電位をＶＳ／３降圧させている。
【００７１】
時刻Ｔ４において、センスアンプ１０２を作動させる。センスアンプ１０２は、配線ＢＬＢ−１と配線ＢＬＢ−２の一方の電位をＶＣＣにして、配線ＢＬＢ−１と配線ＢＬＢ−２の他方の電位をＧＮＤ電位にする回路である。配線ＢＬＢ−２よりも配線ＢＬＢ−１の電位が高いため、配線ＢＬＢ−１の電位は、ＶＣＣまで増幅される。一方、配線ＢＬＢ−２の電位は、ＧＮＤ電位まで降圧される。ここで、配線ＢＬＢ−１の電位から、下位ビットの読み出しを行う。配線ＢＬＢ−１の電位はＶＣＣで、リファレンス電位よりも高いため、”１”を読み出すことができる。このように、時刻Ｔ４から時刻Ｔ５までの間の配線ＢＬＢ−１の電位から、下位ビットの読み出しを行うことができる。
【００７２】
時刻Ｔ５において、配線ＴＧに高レベル電位を印加する。これにより、トランジスタＴｒ１及びトランジスタＴｒ２が導通状態となる。トランジスタＴｒ１が導通状態となった後は、配線ＢＬＡ−１側の容量素子ＣＡ１と、配線ＢＬＢ−１側の容量素子ＣＢ１と、の間で電荷の再分配が行われる。時刻Ｔ５の直前では、配線ＢＬＡ−１と配線ＢＬＢ−１の電位は、両方ともＶＣＣなので、時刻Ｔ５以降の配線ＢＬＡ−１と配線ＢＬＢ−１の電位は、ＶＣＣとなる。一方、トランジスタＴｒ２が導通状態となった後は、こちらでも配線ＢＬＡ−２と配線ＢＬＢ−２との間で電荷の再分配が行われる。時刻Ｔ５の直前では、配線ＢＬＡ−２と配線ＢＬＢ−２の電位は、両方ともＧＮＤなので、時刻Ｔ５以降の配線ＢＬＡ−２と配線ＢＬＢ−２の電位は、ＧＮＤとなる。
【００７３】
配線ＢＬＡ−１と配線ＢＬＢ−１の電荷の再分配が終了した時刻Ｔ６以降では、メモリセルＭＣＡ［ｉ］のデータ保持部に配線ＢＬＡ−１及び配線ＢＬＢ−１の電位を書き込むため、配線ＷＬＡ［ｉ］に高レベル電位が印加される。これにより、トランジスタＴＡ［ｉ］が導通状態となり、配線ＢＬＡ−１及び配線ＢＬＢ−１の電位、すなわちＶＣＣが書き込まれる。
【００７４】
上述の時刻Ｔ０乃至時刻Ｔ６の動作によって、メモリセルＭＣＡ［ｉ］に保持されているデータ”１１”の読み出しを行うことができる。
【００７５】
＜＜動作例１−２＞＞
メモリセルＭＣＡ［ｉ］に保持されたデータが”１０”の時の、半導体装置１００の動作例について説明する。図７に示すタイミングチャートＴＣ１−２は、メモリセルＭＣＡ［ｉ］に保持されたデータが”１０”であった場合において、そのデータの読み出し動作期間における配線ＢＬＡ−１、配線ＢＬＡ−２、配線ＢＬＢ−１、配線ＢＬＢ−２、及び配線ＴＧの電位の変化を表している。
【００７６】
時刻Ｔ０において、配線ＴＧには高レベル電位が印加されており、トランジスタＴｒ１及びトランジスタＴｒ２が導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、及び配線ＢＬＢ−２の電位は、ＶＣＣ／２となる。なお、プリチャージ後は、配線ＢＬＡ−１と配線ＢＬＢ−１、及び配線ＢＬＡ−２と配線ＢＬＢ−２は、フローティング状態にする。
【００７７】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−１において昇圧される電圧をＶＳ／３とする。メモリセルＭＣＡ［ｉ］のデータ読み出しが完了したあと、配線ＷＬＡ［ｉ］に低レベル電位が印加されて、トランジスタＴＡ［ｉ］は非導通状態となる。
【００７８】
時刻Ｔ２において、配線ＴＧに低レベル電位を印加する。これにより、トランジスタＴｒ１及びトランジスタＴｒ２が非導通状態となる。このとき、配線ＢＬＡ−１、配線ＢＬＡ−２、配線ＢＬＢ−１、及び配線ＢＬＢ−２の電位は、時刻Ｔ２以前の状態と同じである。
【００７９】
時刻Ｔ３において、センスアンプ１０１を作動させる。センスアンプ１０１は、配線ＢＬＡ−１と配線ＢＬＡ−２の一方の電位を、ＶＣＣにして、配線ＢＬＡ−１と配線ＢＬＡ−２の他方の電位をＧＮＤ電位にする回路である。このとき、配線ＢＬＡ−２よりも配線ＢＬＡ−１の電位が高いため、配線ＢＬＡ−１の電位は、ＶＣＣまで増幅される。一方、配線ＢＬＡ−２の電位は、ＧＮＤ電位まで降圧される。ここで、配線ＢＬＡ−１の電位から、上位ビットの読み出しを行う。配線ＢＬＡ−１の電位はＶＣＣで、リファレンス電位よりも高いため、”１”を読み出すことができる。このように、時刻Ｔ３から時刻Ｔ４までの間の配線ＢＬＡ−１の電位から、上位ビットの読み出しを行うことができる。
【００８０】
さらに、上述のセンスアンプの動作によって、クロスカップルされた容量素子ＣＸ１及び容量素子ＣＸ２を通して、配線ＢＬＢ−１及び配線ＢＬＢ−２の電位を変化させる。具体的には、容量素子ＣＸ１を介して、電位ＶＣＣに昇圧された配線ＢＬＡ−１と電気的に接続されている配線ＢＬＢ−２の電位をＶＳ／３昇圧させ、容量素子ＣＸ２を介して、ＧＮＤ電位に降圧された配線ＢＬＡ−２と電気的に接続されている配線ＢＬＢ−１の電位をＶＳ／３降圧させている。
【００８１】
時刻Ｔ４において、センスアンプ１０２を作動させる。センスアンプ１０２は、配線ＢＬＢ−１と配線ＢＬＢ−２の一方の電位をＶＣＣにして、配線ＢＬＢ−１と配線ＢＬＢ−２の他方の電位をＧＮＤ電位にする回路である。配線ＢＬＢ−１よりも配線ＢＬＢ−２の電位が高いため、配線ＢＬＢ−２の電位は、ＶＣＣまで増幅される。一方、配線ＢＬＢ−１の電位は、ＧＮＤ電位まで降圧される。ここで、配線ＢＬＢ−１の電位から、下位ビットの読み出しを行う。配線ＢＬＢ−１の電位はＧＮＤ電位で、リファレンス電位よりも低いため、”０”を読み出すことができる。このように、時刻Ｔ４から時刻Ｔ５までの間の配線ＢＬＢ−１の電位から、下位ビットの読み出しを行うことができる。
【００８２】
時刻Ｔ５において、配線ＴＧに高レベル電位を印加する。これにより、トランジスタＴｒ１及びトランジスタＴｒ２が導通状態となる。トランジスタＴｒ１が導通状態となった後は、配線ＢＬＡ−１と配線ＢＬＢ−１との間で電荷の再分配が行われる。時刻Ｔ５の直前では、配線ＢＬＡ−１の電位はＶＣＣ、配線ＢＬＢ−１の電位はＧＮＤなので、時刻Ｔ５以降の配線ＢＬＡ−１と配線ＢＬＢ−１の電位は、２ＶＣＣ／３となる。一方、トランジスタＴｒ２が導通状態となった後は、こちらでも配線ＢＬＡ−２と配線ＢＬＢ−２との間で電荷の再分配が行われる。時刻Ｔ５の直前では、配線ＢＬＡ−２の電位はＧＮＤ、配線ＢＬＢ−２の電位はＶＣＣなので、時刻Ｔ５以降の配線ＢＬＡ−２と配線ＢＬＢ−２の電位は、ＶＣＣ／３となる。
【００８３】
配線ＢＬＡ−１と配線ＢＬＢ−１の電荷の再分配が終了した時刻Ｔ６以降では、メモリセルＭＣＡ［ｉ］のデータ保持部に配線ＢＬＡ−１及び配線ＢＬＢ−１の電位を書き込むため、配線ＷＬＡ［ｉ］に高レベル電位が印加される。これにより、トランジスタＴＡ［ｉ］が導通状態となり、配線ＢＬＡ−１及び配線ＢＬＢ−１の電位、すなわち２ＶＣＣ／３が書き込まれる。
【００８４】
上述の時刻Ｔ０乃至時刻Ｔ６の動作によって、メモリセルＭＣＡ［ｉ］に保持されているデータ”１０”の読み出しを行うことができる。
＜＜動作例１−３＞＞
メモリセルＭＣＡ［ｉ］に保持されたデータが”０１”の時の、半導体装置１００の動作例について説明する。図８に示すタイミングチャートＴＣ１−３は、メモリセルＭＣＡ［ｉ］に保持されたデータが”０１”であった場合において、そのデータの読み出し動作期間における配線ＢＬＡ−１、配線ＢＬＡ−２、配線ＢＬＢ−１、配線ＢＬＢ−２、及び配線ＴＧの電位の変化を表している。
【００８５】
時刻Ｔ０において、配線ＴＧには高レベル電位が印加されており、トランジスタＴｒ１及びトランジスタＴｒ２が導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、及び配線ＢＬＢ−２の電位は、ＶＣＣ／２となる。なお、プリチャージ後は、配線ＢＬＡ−１と配線ＢＬＢ−１、及び配線ＢＬＡ−２と配線ＢＬＢ−２は、フローティング状態にする。
【００８６】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−１において降圧される電圧をＶＳ／３とする。メモリセルＭＣＡ［ｉ］のデータ読み出しが完了したあと、配線ＷＬＡ［ｉ］に低レベル電位が印加されて、トランジスタＴＡ［ｉ］は非導通状態となる。
【００８７】
時刻Ｔ２において、配線ＴＧに低レベル電位を印加する。これにより、トランジスタＴｒ１及びトランジスタＴｒ２が非導通状態となる。このとき、配線ＢＬＡ−１、配線ＢＬＡ−２、配線ＢＬＢ−１、及び配線ＢＬＢ−２の電位は、時刻Ｔ２以前の状態と同じである。
【００８８】
時刻Ｔ３において、センスアンプ１０１を作動させる。センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にする回路である。このとき、配線ＢＬＡ−１よりも配線ＢＬＡ−２の電位が高いため、配線ＢＬＡ−２の電位は、ＶＣＣまで増幅される。一方、配線ＢＬＡ−１の電位は、ＧＮＤ電位まで降圧される。ここで、配線ＢＬＡ−１の電位から、上位ビットの読み出しを行う。配線ＢＬＡ−１の電位はＧＮＤ電位で、リファレンス電位よりも低いため、”０”を読み出すことができる。このように、時刻Ｔ３から時刻Ｔ４までの間の配線ＢＬＡ−１の電位から、上位ビットの読み出しを行うことができる。
【００８９】
さらに、上述のセンスアンプの動作によって、クロスカップルされた容量素子ＣＸ１及び容量素子ＣＸ２を通して、配線ＢＬＢ−１及び配線ＢＬＢ−２の電位を変化させる。具体的には、容量素子ＣＸ２を介して、電位ＶＣＣに昇圧された配線ＢＬＡ−２と電気的に接続されている配線ＢＬＢ−１の電位をＶＳ／３昇圧させ、容量素子ＣＸ２を介して、ＧＮＤ電位に降圧された配線ＢＬＡ−１と電気的に接続されている配線ＢＬＢ−２の電位をＶＳ／３降圧させている。
【００９０】
時刻Ｔ４において、センスアンプ１０２を作動させる。センスアンプ１０２は、配線ＢＬＢ−１と配線ＢＬＢ−２の一方の電位をＶＣＣにして、配線ＢＬＢ−１と配線ＢＬＢ−２の他方の電位をＧＮＤ電位にする回路である。配線ＢＬＢ−２よりも配線ＢＬＢ−１の電位が高いため、配線ＢＬＢ−１の電位は、ＶＣＣまで増幅される。一方、配線ＢＬＢ−２の電位は、ＧＮＤ電位まで下降する。ここで、配線ＢＬＢ−１の電位から、下位ビットの読み出しを行う。配線ＢＬＢ−１の電位はＶＣＣで、リファレンス電位よりも高いため、”１”を読み出すことができる。このように、時刻Ｔ４から時刻Ｔ５までの間の配線ＢＬＢ−１の電位から、下位ビットの読み出しを行うことができる。
【００９１】
時刻Ｔ５において、配線ＴＧに高レベル電位を印加する。これにより、トランジスタＴｒ１及びトランジスタＴｒ２が導通状態となる。トランジスタＴｒ１が導通状態となった後は、配線ＢＬＡ−１と配線ＢＬＢ−１との間で電荷の再分配が行われる。時刻Ｔ５の直前では、配線ＢＬＡ−１の電位はＧＮＤ、配線ＢＬＢ−１の電位はＶＣＣなので、時刻Ｔ５以降の配線ＢＬＡ−１と配線ＢＬＢ−１の電位は、ＶＣＣ／３となる。一方、トランジスタＴｒ２が導通状態となった後は、こちらでも配線ＢＬＡ−２と配線ＢＬＢ−２との間で電荷の再分配が行われる。時刻Ｔ５の直前では、配線ＢＬＡ−２の電位はＶＣＣ、配線ＢＬＢ−２の電位はＧＮＤなので、時刻Ｔ５以降の配線ＢＬＡ−２と配線ＢＬＢ−２の電位は、２ＶＣＣ／３となる。
【００９２】
配線ＢＬＡ−１と配線ＢＬＢ−１の電荷の再分配が終了した時刻Ｔ６以降では、メモリセルＭＣＡ［ｉ］のデータ保持部に配線ＢＬＡ−１及び配線ＢＬＢ−１の電位を書き込むため、配線ＷＬＡ［ｉ］に高レベル電位が印加される。これにより、トランジスタＴＡ［ｉ］が導通状態となり、配線ＢＬＡ−１及び配線ＢＬＢ−１の電位、すなわちＶＣＣ／３が書き込まれる。
【００９３】
上述の時刻Ｔ０乃至時刻Ｔ６の動作によって、メモリセルＭＣＡ［ｉ］に保持されているデータ”０１”の読み出しを行うことができる。
【００９４】
＜＜動作例１−４＞＞
メモリセルＭＣＡ［ｉ］に保持されたデータが”００”の時の、半導体装置１００の動作例について説明する。図９に示すタイミングチャートＴＣ１−４は、メモリセルＭＣＡ［ｉ］に保持されたデータが”００”であった場合において、そのデータの読み出し動作期間における配線ＢＬＡ−１、配線ＢＬＡ−２、配線ＢＬＢ−１、配線ＢＬＢ−２、及び配線ＴＧの電位の変化を表している。
【００９５】
時刻Ｔ０において、配線ＴＧには高レベル電位が印加されており、トランジスタＴｒ１及びトランジスタＴｒ２が導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、及び配線ＢＬＢ−２の電位は、ＶＣＣ／２となる。なお、プリチャージ後は、配線ＢＬＡ−１と配線ＢＬＢ−１、及び配線ＢＬＡ−２と配線ＢＬＢ−２は、フローティング状態にする。
【００９６】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−１において降圧される電圧をＶＳとする。メモリセルＭＣＡ［ｉ］のデータ読み出しが完了したあと、配線ＷＬＡ［ｉ］に低レベル電位が印加されて、トランジスタＴＡ［ｉ］は非導通状態となる。
【００９７】
時刻Ｔ２において、配線ＴＧに低レベル電位を印加する。これにより、トランジスタＴｒ１及びトランジスタＴｒ２が非導通状態となる。このとき、配線ＢＬＡ−１、配線ＢＬＡ−２、配線ＢＬＢ−１、及び配線ＢＬＢ−２の電位は、時刻Ｔ２以前の状態と同じである。
【００９８】
時刻Ｔ３において、センスアンプ１０１を作動させる。センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にする回路である。このとき、配線ＢＬＡ−１よりも配線ＢＬＡ−２の電位が高いため、配線ＢＬＡ−２の電位は、ＶＣＣまで増幅される。一方、配線ＢＬＡ−１の電位は、ＧＮＤ電位まで降圧される。ここで、配線ＢＬＡ−１の電位から、上位ビットの読み出しを行う。配線ＢＬＡ−１の電位はＧＮＤ電位で、リファレンス電位よりも低いため、”０”を読み出すことができる。このように、時刻Ｔ３から時刻Ｔ４までの間の配線ＢＬＡ−１の電位から、上位ビットの読み出しを行うことができる。
【００９９】
さらに、上述のセンスアンプの動作によって、クロスカップルされた容量素子ＣＸ１及び容量素子ＣＸ２を通して、配線ＢＬＢ−１及び配線ＢＬＢ−２の電位を変化させる。具体的には、容量素子ＣＸ２を介して、電位ＶＣＣに昇圧された配線ＢＬＡ−２と電気的に接続されている配線ＢＬＢ−１の電位をＶＳ／３昇圧させ、容量素子ＣＸ１を介して、ＧＮＤ電位に降圧された配線ＢＬＡ−１と電気的に接続されている配線ＢＬＢ−２の電位をＶＳ／３降圧させている。
【０１００】
時刻Ｔ４において、センスアンプ１０２を作動させる。センスアンプ１０２は、配線ＢＬＢ−１と配線ＢＬＢ−２の一方の電位をＶＣＣにして、配線ＢＬＢ−１と配線ＢＬＢ−２の他方の電位をＧＮＤ電位にする回路である。配線ＢＬＢ−１よりも配線ＢＬＢ−２の電位が高いため、配線ＢＬＢ−２の電位は、ＶＣＣまで増幅される。一方、配線ＢＬＢ−１の電位は、ＧＮＤ電位まで下降する。ここで、配線ＢＬＢ−１の電位から、下位ビットの読み出しを行う。配線ＢＬＢ−１の電位はＧＮＤ電位で、リファレンス電位よりも低いため、”０”を読み出すことができる。このように、時刻Ｔ４から時刻Ｔ５までの間の配線ＢＬＢ−１の電位から、下位ビットの読み出しを行うことができる。
【０１０１】
時刻Ｔ５において、配線ＴＧに高レベル電位を印加する。これにより、トランジスタＴｒ１及びトランジスタＴｒ２が導通状態となる。トランジスタＴｒ１が導通状態となった後は、配線ＢＬＡ−１と配線ＢＬＢ−１との間で電荷の再分配が行われる。時刻Ｔ５の直前では、配線ＢＬＡ−１と配線ＢＬＢ−１の電位は、両方ともＧＮＤなので、時刻Ｔ５以降の配線ＢＬＡ−１と配線ＢＬＢ−１の電位は、ＧＮＤとなる。一方、トランジスタＴｒ２が導通状態となった後は、こちらでも配線ＢＬＡ−２と配線ＢＬＢ−２との間で電荷の再分配が行われる。時刻Ｔ５の直前では、配線ＢＬＡ−２と配線ＢＬＢ−２の電位は、両方ともＶＣＣなので、時刻Ｔ５以降の配線ＢＬＡ−２と配線ＢＬＢ−２の電位は、ＶＣＣとなる。
【０１０２】
配線ＢＬＡ−１と配線ＢＬＢ−１の電荷の再分配が終了した時刻Ｔ６以降では、メモリセルＭＣＡ［ｉ］のデータ保持部に配線ＢＬＡ−１及び配線ＢＬＢ−１の電位を書き込むため、配線ＷＬＡ［ｉ］に高レベル電位が印加される。これにより、トランジスタＴＡ［ｉ］が導通状態となり、配線ＢＬＡ−１及び配線ＢＬＢ−１の電位、すなわちＧＮＤが書き込まれる。
【０１０３】
上述の時刻Ｔ０乃至時刻Ｔ６の動作によって、メモリセルＭＣＡ［ｉ］に保持されているデータ”００”の読み出しを行うことができる。
【０１０４】
＜構成の変更例１＞
上述では、半導体装置１００の構成例と動作例について説明したが、本発明の一態様はこれに限定されない。例えば、配線ＢＬＢ−１にメモリセルアレイＭＣＡＬＡとは別のメモリセルアレイを設けて、メモリセルの数を増やした構成で読み出し動作を行うこともできる。
【０１０５】
上述のメモリセルの数を増やした構成について、図１０を用いて説明する。半導体装置１１０は、半導体装置１００の層ＬＹＲ２に新たにメモリセルアレイＭＣＡＬＢを設けた構成となっている。メモリセルアレイＭＣＡＬＢは、メモリセルＭＣＢ［１］乃至メモリセルＭＣＢ［ｎ］（ｎは１以上の整数）を有している。メモリセルアレイＭＣＡＬＢは、配線ＷＬＢ［１］乃至配線ＷＬＢ［ｎ］と電気的に接続されている。
【０１０６】
メモリセルＭＣＢ［ｊ］（ｊは１以上ｎ以下の整数）は、トランジスタＴＢ［ｊ］と、容量素子ＣＳＢ［ｊ］と、を有している。トランジスタＴＢ［ｊ］のソース又はドレインの一方は、容量素子ＣＳＢ［ｊ］の第１電極と電気的に接続され、トランジスタＴＢ［ｊ］のゲートは、配線ＷＬＢ［ｊ］と電気的に接続されている。容量素子ＣＳＢ［ｊ］の第２電極は、配線ＶＣと電気的に接続されている。配線ＢＬＢ−１は、トランジスタＴＢ［１］乃至トランジスタＴＢ［ｎ］のそれぞれのソース又はドレインの他方の電極と電気的に接続されている。
【０１０７】
上述の構成によって、構成例１の図１に示したメモリセルアレイＭＣＡＬＡと同様に、メモリセルアレイＭＣＡＬＢ側のメモリセルＭＣＢ［ｊ］の読み出しについても行うことができる。メモリセルアレイＭＣＡＬＢのメモリセルＭＣＢ［ｊ］の読み出しは、動作例１で説明したメモリセルアレイＭＣＡＬＡ側のメモリセルＭＣＡ［ｉ］と同様に行うことができる。
【０１０８】
また、本実施の形態は、上述の構成に限定されない。例えば、半導体装置１００及び半導体装置１１０において、配線ＢＬＡ−１、配線ＢＬＡ−２、配線ＢＬＢ−１、配線ＢＬＢ−２、に備わる寄生容量の大きさが、それぞれ容量素子ＣＡ１、容量素子ＣＡ２、容量素子ＣＢ１、容量素子ＣＢ２の容量の大きさと等しい場合、容量素子ＣＡ１、容量素子ＣＡ２、容量素子ＣＢ１、容量素子ＣＢ２を設ける必要はない。つまり、配線の寄生容量を考慮し、容量素子の代わりに配線の寄生容量を用いた回路の構成を採用することにより、半導体装置の回路面積を低減することができる。
【０１０９】
また、本実施の形態において、半導体装置１００、及び半導体装置１１０に用いた容量素子について、容量素子ＣＡ１と、容量素子ＣＡ２と、は同じ容量であり、容量素子ＣＢ１と、容量素子ＣＢ２と、は同じ容量であり、容量素子ＣＸ１と、容量素子ＣＸ２と、は同じ容量であり、容量素子ＣＡ１の容量は、容量素子ＣＢ１の容量の２倍有し、容量素子ＣＡ２の容量は、容量素子ＣＢ２の容量の２倍有している、と説明したが、本発明の一態様は、これに限定されない。例えば、容量素子ＣＡ１と、容量素子ＣＡ２と、は同じ容量であり、容量素子ＣＢ１と、容量素子ＣＢ２と、は同じ容量であり、容量素子ＣＢ１の容量は、容量素子ＣＡ１の容量の２倍有し、容量素子ＣＢ２の容量は、容量素子ＣＡ２の容量の２倍有してもよい。また、例えば、読み出したメモリセルの保持容量、配線の寄生容量、トランジスタの寄生容量などの影響も考慮して、容量素子ＣＡ１、容量素子ＣＡ２、容量素子ＣＢ１、容量素子ＣＢ２、容量素子ＣＸ１、容量素子ＣＸ２の容量をそれぞれ適した値に変更して、回路を作製してもよい。
【０１１０】
半導体装置１００、及び半導体装置１１０に用いたトランジスタＴＡ［１］乃至トランジスタＴＡ［ｍ］、トランジスタＴＢ［１］乃至トランジスタＴＢ［ｎ］は、ＯＳトランジスタであることが好ましい。特に、チャネル形成領域に有する酸化物半導体は、インジウム、ガリウム、亜鉛で構成されていることがより好ましい。この酸化物半導体を有するトランジスタは、オフ電流が極めて低い特性を有するため、電流のリークによるデータの劣化を抑制することができる。
【０１１１】
また、半導体装置１００及び半導体装置１１０のトランジスタＴｒ１及びトランジスタＴｒ２も上述と同様にＯＳトランジスタを用いることで、非導通状態のときの、配線ＢＬＡ−１と配線ＢＬＢ−１との間との電荷の移動、及び配線ＢＬＡ−２と配線ＢＬＢ−２との間との電荷の移動を抑制することができる。
【０１１２】
なお、本実施の形態の構成は、図１、又は図１０に限定されない。例えば、層ＬＹＲ１内の容量素子ＣＡ１、容量素子ＣＡ２、容量素子ＣＢ１、容量素子ＣＢ２、容量素子ＣＸ１、容量素子ＣＸ２、層ＬＹＲ２内の容量素子ＣＳＡ［１］乃至容量素子ＣＳＡ［ｍ］、容量素子ＣＳＢ［１］乃至容量素子ＣＳＢ［ｎ］を、層ＬＹＲ２よりも上方に位置する層にまとめて設けてもよい。このような構成にすることで、半導体装置１００、又は半導体装置１１０を作製する工程をより簡略でき、かつ回路面積を低減することができる。
【０１１３】
また、例えば、容量素子ＣＡ１、容量素子ＣＡ２、容量素子ＣＢ１、容量素子ＣＢ２、容量素子ＣＸ１、容量素子ＣＸ２を層ＬＹＲ１と層ＬＹＲ２の間に設け、容量素子ＣＳＡ［１］乃至容量素子ＣＳＡ［ｍ］、容量素子ＣＳＢ［１］乃至容量素子ＣＳＢ［ｎ］を層ＬＹＲ２よりも上方に位置する層に設けてもよい。このような構成にすることで、半導体装置１００、又は半導体装置１１０の回路面積をより低減することができる。
【０１１４】
また、例えば、トランジスタＴＡ［１］乃至トランジスタＴＡ［ｍ］、トランジスタＴＢ［１］乃至トランジスタＴＢ［ｎ］、トランジスタＴｒ１、及びトランジスタＴｒ２のチャネル形成領域が同じ材料で形成されている場合、トランジスタＴｒ１、及びトランジスタＴｒ２を層ＬＹＲ２に設けてもよい。このような構成にすることで、半導体装置１１０を作製する工程をより簡略化することができる。
【０１１５】
なお、本実施の形態において、本発明の一態様について述べた。又は、他の実施の形態において、本発明の一態様について述べる。ただし、本発明の一態様は、これらに限定されない。つまり、本実施の形態及び他の実施の形態では、様々な発明の態様が記載されているため、本発明の一態様は、特定の態様に限定されない。例えば、本発明の一態様として、トランジスタのチャネル形成領域、ソースドレイン領域などが、酸化物半導体を有する場合の例を示したが、本発明の一態様は、これに限定されない。場合によっては、又は、状況に応じて、本発明の一態様における様々なトランジスタ、トランジスタのチャネル形成領域、又は、トランジスタのソースドレイン領域などは、様々な半導体を有していてもよい。場合によっては、又は、状況に応じて、本発明の一態様における様々なトランジスタ、トランジスタのチャネル形成領域、又は、トランジスタのソースドレイン領域などは、例えば、シリコン、ゲルマニウム、ゲルマニウムシリコン、炭化シリコン、ガリウムヒ素、アルミニウムガリウムヒ素、インジウムリン、窒化ガリウム、又は、有機半導体などのすくなくとも一つを有していてもよい。又は、例えば、場合によっては、又は、状況に応じて、本発明の一態様における様々なトランジスタ、トランジスタのチャネル形成領域、又は、トランジスタのソースドレイン領域などは、酸化物半導体を有していなくてもよい。
【０１１６】
なお、本実施の形態は、本明細書で示す他の実施の形態と適宜組み合わせることができる。
【０１１７】
（実施の形態２）
本実施の形態では、実施の形態１とは別の構成例と動作例について、説明する。
【０１１８】
＜構成例２＞
本発明の一態様である半導体装置の構成例を図１１に示す。半導体装置２００は、メモリセルアレイと、読み出し回路と、を積層した記憶装置であり、層ＬＹＲ１、及び層ＬＹＲ２を有している。層ＬＹＲ１は、読み出し回路を有し、層ＬＹＲ２は、メモリセルアレイを有している。
【０１１９】
半導体装置２００は、実施の形態１で説明した半導体装置１００の層ＬＹＲ２に新たにダミーセルＭＣＤＢを設けた構成となっている。ダミーセルＭＣＤＢは、配線ＷＬＤＢと電気的に接続されている。
【０１２０】
ダミーセルＭＣＤＢは、トランジスタＴＤＢと、容量素子ＣＳＤＢと、を有している。
【０１２１】
ダミーセルＭＣＤＢは、メモリセルアレイＭＣＡＬＡ側のメモリセルＭＣＡ［ｉ］からデータを読み出すときに現れる容量素子ＣＳＡ［ｉ］の残存電荷の影響を低減するために設けられているメモリセルである。ダミーセルＭＣＤＢを用いたメモリセルアレイＭＣＡＬＡのメモリセルＭＣＡ［ｉ］の読み出し動作については、後述する動作例２で説明する。
【０１２２】
トランジスタＴＤＢのソース又はドレインの一方は、容量素子ＣＳＤＢの第１電極と電気的に接続され、トランジスタＴＤＢのゲートは配線ＷＬＤＢと電気的に接続されている。容量素子ＣＳＤＢの第２電極は、配線ＶＣと電気的に接続されている。トランジスタＴＤＢのソース又はドレインの他方は、配線ＢＬＢを介して配線ＢＬＢ−１と電気的に接続されている。
【０１２３】
配線ＶＣは、各容量素子の第２電極に電位を与えるための配線であり、ＧＮＤ電位が入力される。
【０１２４】
＜動作例２＞
次に、半導体装置２００の動作例について、図１２を用いて、説明する。
【０１２５】
図１２は、半導体装置２００の動作を示すタイミングチャートであり、メモリセルアレイＭＣＡＬＡの中のいずれかのメモリセルＭＣＡ［ｉ］に保持されたデータ”１１”を読み出す動作を表している。
【０１２６】
図１２に示すタイミングチャートＴＣ２は、メモリセルＭＣＡ［ｉ］に保持されたデータが”１１”であった場合、そのデータの読み出し動作期間における配線ＢＬＡ−１、配線ＢＬＡ−２、配線ＢＬＢ−１、配線ＢＬＢ−２、配線ＴＧ、配線ＷＬＤＢの電位の変化を表している。
【０１２７】
時刻Ｔ０において、配線ＴＧには高レベル電位が印加されており、トランジスタＴｒ１及びトランジスタＴｒ２が導通状態となっている。また、配線ＷＬＤＢには高レベル電位が印加されており、トランジスタＴＤＢが導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、配線ＢＬＢ−２、及びダミーセルＭＣＤＢの電位保持部の電位は、ＶＣＣ／２となる。なお、プリチャージ後は、配線ＢＬＡ−１と配線ＢＬＢ−１、及び配線ＢＬＡ−２と配線ＢＬＢ−２は、フローティング状態にする。
【０１２８】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−２において昇圧される電圧をＶＳとする。
【０１２９】
このとき、メモリセルＭＣＡ［ｉ］のデータを読み出す際に、あらかじめダミーセルＭＣＤＢのトランジスタＴＤＢを導通状態とすることで、メモリセルＭＣＡ［ｉ］に保持された電荷は、ダミーセルＭＣＤＢの電位保持部にまで移動することになる。すなわち、ダミーセルＭＣＤＢの容量素子ＣＳＤＢにも電位ＶＳが保持されることで、メモリセルＭＣＡ［ｉ］の読み出し時の容量素子ＣＳＡ［ｉ］の残存電荷の影響を低減することができる。
【０１３０】
メモリセルＭＣＡ［ｉ］のデータ読み出しが完了した後、配線ＷＬＡ［ｉ］に低レベル電位が印加されて、トランジスタＴＡ［ｉ］は非導通状態となる。更に、配線ＷＬＤＢに低レベル電位が印加されて、トランジスタＴＤＢは非導通状態となる。
【０１３１】
時刻Ｔ２において、配線ＴＧに低レベル電位を印加する。これにより、トランジスタＴｒ１及びトランジスタＴｒ２が非導通状態となる。このとき、配線ＢＬＡ−１、配線ＢＬＡ−２、配線ＢＬＢ−１、及び配線ＢＬＢ−２の電位は、時刻Ｔ２以前の状態と同じである。
【０１３２】
時刻Ｔ３において、センスアンプ１０１を作動させる。センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にする回路である。このとき、配線ＢＬＡ−２よりも配線ＢＬＡ−１の電位が高いため、配線ＢＬＡ−１の電位は、ＶＣＣまで増幅される。一方、配線ＢＬＡ−２の電位は、ＧＮＤ電位まで降圧される。ここで、配線ＢＬＡ−１の電位から、上位ビットの読み出しを行う。配線ＢＬＡ−１の電位はＶＣＣで、リファレンス電位よりも高いため、”１”を読み出すことができる。このように、時刻Ｔ３から時刻Ｔ４までの間の配線ＢＬＡ−１の電位から、上位ビットの読み出しを行うことができる。
【０１３３】
さらに、上述のセンスアンプの動作によって、クロスカップルされた容量素子ＣＸ１及び容量素子ＣＸ２を通して、配線ＢＬＢ−１及び配線ＢＬＢ−２の電位を変化させる。具体的には、容量素子ＣＸ１を介して、電位ＶＣＣに昇圧された配線ＢＬＡ−１と電気的に接続されている配線ＢＬＢ−２の電位をＶＳ／３昇圧させ、容量素子ＣＸ２を介して、ＧＮＤ電位に降圧された配線ＢＬＡ−２と電気的に接続されている配線ＢＬＢ−１の電位をＶＳ／３降圧させている。
【０１３４】
時刻Ｔ４において、センスアンプ１０２を作動させる。センスアンプ１０２は、配線ＢＬＢ−１と配線ＢＬＢ−２の一方の電位をＶＣＣにして、配線ＢＬＢ−１と配線ＢＬＢ−２の他方の電位をＧＮＤ電位にする回路である。配線ＢＬＢ−２よりも配線ＢＬＢ−１の電位が高いため、配線ＢＬＢ−１の電位は、ＶＣＣまで増幅される。一方、配線ＢＬＢ−２の電位は、ＧＮＤ電位まで下降する。ここで、配線ＢＬＢ−１の電位から、下位ビットの読み出しを行う。配線ＢＬＢ−１の電位はＶＣＣで、リファレンス電位よりも高いため、”１”を読み出すことができる。このように、時刻Ｔ４から時刻Ｔ５までの間の配線ＢＬＢ−１の電位から、下位ビットの読み出しを行うことができる。
【０１３５】
時刻Ｔ５において、配線ＴＧに高レベル電位を印加する。これにより、トランジスタＴｒ１及びトランジスタＴｒ２が導通状態となる。トランジスタＴｒ１が導通状態となった後は、配線ＢＬＡ−１と配線ＢＬＢ−１との間で電荷の再分配が行われる。時刻Ｔ５の直前では、配線ＢＬＡ−１と配線ＢＬＢ−１の電位は、両方ともＶＣＣなので、時刻Ｔ５以降の配線ＢＬＡ−１と配線ＢＬＢ−１の電位は、ＶＣＣとなる。一方、トランジスタＴｒ２が導通状態となった後は、こちらでも配線ＢＬＡ−２と配線ＢＬＢ−２との間で電荷の再分配が行われる。時刻Ｔ５の直前では、配線ＢＬＡ−２と配線ＢＬＢ−２の電位は、両方ともＧＮＤなので、時刻Ｔ５以降の配線ＢＬＡ−２と配線ＢＬＢ−２の電位は、ＧＮＤとなる。
【０１３６】
配線ＢＬＡ−１と配線ＢＬＢ−１の電荷の再分配が終了した時刻Ｔ６以降では、メモリセルＭＣＡ［ｉ］のデータ保持部に配線ＢＬＡ−１及び配線ＢＬＢ−１の電位を書き込むため、配線ＷＬＡ［ｉ］に高レベル電位が印加される。これにより、トランジスタＴＡ［ｉ］が導通状態となり、配線ＢＬＡ−１及び配線ＢＬＢ−１の電位、すなわちＶＣＣが書き込まれる。
【０１３７】
上述の時刻Ｔ０乃至時刻Ｔ６の動作によって、実施の形態１よりも正確にメモリセルＭＣＡ［ｉ］に保持されているデータ”１１”の読み出しを行うことができる。
【０１３８】
また、メモリセルＭＣＡ［ｉ］に保持されているデータが”１０”、”０１”、”００”の場合でも、上述の動作と同じタイミングでトランジスタＴＤＢを導通状態にすることで、容量素子ＣＳＡ［ｉ］の影響を低減して、電荷分配を行うことができる。つまり、実施の形態１よりも正確にメモリセルＭＣＡ［ｉ］に保持されているデータ”１０”、”０１”、”００”の読み出しを行うことができる。
【０１３９】
＜構成の変更例２＞
上述では、半導体装置２００の構成例と動作例について説明したが、本発明の一態様はこれに限定されない。例えば、配線ＢＬＢ−１にメモリセルアレイＭＣＡＬＡとは別のメモリセルアレイを設けて、メモリセルの数を増やした構成で読み出し動作を行うことができる。
【０１４０】
上述のメモリセルの数を増やした構成について、図１３を用いて説明する。半導体装置２１０は、半導体装置１１０の層ＬＹＲ２に新たにダミーセルＭＣＤＡと、ダミーセルＭＣＤＢと、を設けた構成となっている。ダミーセルＭＣＤＡとダミーセルＭＣＤＢは、それぞれ配線ＷＬＤＡと配線ＷＬＤＢと電気的に接続されている。
【０１４１】
ダミーセルＭＣＤＡは、トランジスタＴＤＡと、容量素子ＣＳＤＡと、を有し、ダミーセルＭＣＤＢは、トランジスタＴＤＢと、容量素子ＣＳＤＢと、を有している。
【０１４２】
ダミーセルＭＣＤＢは、メモリセルアレイＭＣＡＬＡ側のメモリセルＭＣＡ［ｉ］からデータを読み出すときに現れる容量素子ＣＳＡ［ｉ］の残存電荷の影響を低減するために設けられているメモリセルである。また、ダミーセルＭＣＤＡは、メモリセルアレイＭＣＡＬＢ側のメモリセルＭＣＢ［ｊ］からデータを読み出すときに現れる容量素子ＣＳＢ［ｊ］の残存電荷の影響を低減するために設けられているメモリセルである。
【０１４３】
トランジスタＴＤＡのソース又はドレインの一方は、容量素子ＣＳＤＡの第１電極と電気的に接続され、トランジスタＴＤＡのゲートは配線ＷＬＤＡと電気的に接続されている。容量素子ＣＳＤＡの第２電極は、配線ＶＣと電気的に接続されている。トランジスタＴＤＢのソース又はドレインの一方は、容量素子ＣＳＤＢの第１電極と電気的に接続され、トランジスタＴＤＢのゲートは配線ＷＬＤＢと電気的に接続されている。容量素子ＣＳＤＢの第２電極は、配線ＶＣと電気的に接続されている。
【０１４４】
トランジスタＴＤＡのソース又はドレインの他方は、配線ＢＬＡを介して配線ＢＬＡ−１と電気的に接続されている。トランジスタＴＤＢのソース又はドレインの他方は、配線ＢＬＢを介して配線ＢＬＢ−１と電気的に接続されている。
【０１４５】
メモリセルアレイＭＣＡＬＢ側のメモリセルＭＣＢ［ｊ］の読み出しを行うとき、ダミーセルＭＣＤＡは、動作例２のダミーセルＭＣＤＢと同様の動作方法を行えばよい。
【０１４６】
また、本実施の形態は、上述の構成に限定されない。例えば、半導体装置２００及び半導体装置２１０において、配線ＢＬＡ−１、配線ＢＬＡ−２、配線ＢＬＢ−１、配線ＢＬＢ−２、に備わる寄生容量の大きさが、それぞれ容量素子ＣＡ１、容量素子ＣＡ２、容量素子ＣＢ１、容量素子ＣＢ２の容量の大きさと等しい場合、容量素子ＣＡ１、容量素子ＣＡ２、容量素子ＣＢ１、容量素子ＣＢ２を設ける必要はない。つまり、配線の寄生容量を考慮し、容量素子の代わりに配線の寄生容量を用いた回路の構成を採用することにより、半導体装置の回路面積を低減することができる。
【０１４７】
また、本実施の形態において、半導体装置２００、及び半導体装置２１０に用いた容量素子について、容量素子ＣＡ１と、容量素子ＣＡ２と、は同じ容量であり、容量素子ＣＢ１と、容量素子ＣＢ２と、は同じ容量であり、容量素子ＣＸ１と、容量素子ＣＸ２と、は同じ容量であり、容量素子ＣＡ１の容量は、容量素子ＣＢ１の容量の２倍有し、容量素子ＣＡ２の容量は、容量素子ＣＢ２の容量の２倍有している、と説明したが、本発明の一態様は、これに限定されない。例えば、容量素子ＣＡ１と、容量素子ＣＡ２と、は同じ容量であり、容量素子ＣＢ１と、容量素子ＣＢ２と、は同じ容量であり、容量素子ＣＢ１の容量は、容量素子ＣＡ１の容量の２倍有し、容量素子ＣＢ２の容量は、容量素子ＣＡ２の容量の２倍有してもよい。また、例えば、読み出したメモリセルの保持容量、配線の寄生容量、トランジスタの寄生容量などの影響も考慮して、容量素子ＣＡ１、容量素子ＣＡ２、容量素子ＣＢ１、容量素子ＣＢ２、容量素子ＣＸ１、容量素子ＣＸ２の容量をそれぞれ適した値に変更して、回路を作製してもよい。
【０１４８】
半導体装置２００、及び半導体装置２１０に用いたトランジスタＴＡ［１］乃至トランジスタＴＡ［ｍ］、トランジスタＴＢ［１］乃至トランジスタＴＢ［ｎ］、トランジスタＴＤＡ、トランジスタＴＤＢは、ＯＳトランジスタであることが好ましい。特に、チャネル形成領域に有する酸化物半導体は、インジウム、ガリウム、亜鉛で構成されていることがより好ましい。この酸化物半導体を有するトランジスタは、オフ電流が極めて低い特性を有するため、電流のリークによるデータの劣化を抑制することができる。
【０１４９】
また、半導体装置２００、及び半導体装置２１０に用いたトランジスタＴｒ１と、トランジスタＴｒ２と、も上述と同様にＯＳトランジスタを用いることで、非導通状態のときの、配線ＢＬＡ−１と配線ＢＬＢ−１との間との電荷の移動、及び配線ＢＬＡ−２と配線ＢＬＢ−２との間との電荷の移動を抑制することができる。
【０１５０】
なお、本実施の形態の構成は、図１１、又は図１３に限定されない。例えば、層ＬＹＲ１内の容量素子ＣＡ１、容量素子ＣＡ２、容量素子ＣＢ１、容量素子ＣＢ２、容量素子ＣＸ１、容量素子ＣＸ２、層ＬＹＲ２内の容量素子ＣＳＡ［１］乃至容量素子ＣＳＡ［ｍ］、容量素子ＣＳＤＡ、容量素子ＣＳＢ［１］乃至容量素子ＣＳＢ［ｎ］、容量素子ＣＳＤＢを、層ＬＹＲ２よりも上方に位置する層にまとめて設けてもよい。このような構成にすることで、半導体装置２００、又は半導体装置２１０を作製する工程をより簡略でき、かつ回路面積を低減することができる。
【０１５１】
また、例えば、容量素子ＣＡ１、容量素子ＣＡ２、容量素子ＣＢ１、容量素子ＣＢ２、容量素子ＣＸ１、容量素子ＣＸ２を層ＬＹＲ１と層ＬＹＲ２の間に設け、容量素子ＣＳＡ［１］乃至容量素子ＣＳＡ［ｍ］、容量素子ＣＳＤＡ、容量素子ＣＳＢ［１］乃至容量素子ＣＳＢ［ｎ］、容量素子ＣＳＤＢを層ＬＹＲ２よりも上方に位置する層に設けてもよい。このような構成にすることで、半導体装置２００、又は半導体装置２１０の回路面積をより低減することができる。
【０１５２】
また、例えば、トランジスタＴＡ［１］乃至トランジスタＴＡ［ｍ］、トランジスタＴＢ［１］乃至トランジスタＴＢ［ｎ］、トランジスタＴｒ１、トランジスタＴｒ２、トランジスタＴＤＡ、及びトランジスタＴＤＢのチャネル形成領域が同じ材料で形成されている場合、トランジスタＴｒ１、及びトランジスタＴｒ２を層ＬＹＲ２に設けてもよい。このような構成にすることで、半導体装置２００を作製する工程をより簡略化することができる。
【０１５３】
なお、本実施の形態は、本明細書で示す他の実施の形態と適宜組み合わせることができる。
【０１５４】
（実施の形態３）
本実施の形態では、実施の形態１及び実施の形態２とは別の構成例と動作例について、説明する。
【０１５５】
＜構成例３＞
本発明の一態様である半導体装置の構成例を図１４に示す。半導体装置３００は、メモリセルアレイと、読み出し回路と、を積層した記憶装置であり、層ＬＹＲ１、及び層ＬＹＲ２を有している。層ＬＹＲ１は、読み出し回路を有し、層ＬＹＲ２は、複数のメモリセルを有している。
【０１５６】
読み出し回路は、センスアンプ１０１と、センスアンプ１０２と、配線ＢＬＡ−１と、配線ＢＬＡ−２と、配線ＢＬＢ−１と、配線ＢＬＢ−２と、配線ＢＬＣ−１と、配線ＢＬＣ−２と、容量素子ＣＡ１と、容量素子ＣＡ２と、容量素子ＣＢ１と、容量素子ＣＢ２と、容量素子ＣＣ１と、容量素子ＣＣ２と、容量素子ＣＸ１と、容量素子ＣＸ２と、トランジスタＴｒＬ１と、トランジスタＴｒＲ１と、トランジスタＴｒＬ２と、トランジスタＴｒＲ２と、を有している。読み出し回路は、配線ＴＧＬと、配線ＴＧＲと電気的に接続されている。なお、容量素子ＣＡ１と、容量素子ＣＡ２と、容量素子ＣＢ１と、容量素子ＣＢ２と、容量素子ＣＣ１と、容量素子ＣＣ２と、は同じ容量であり、容量素子ＣＸ１と、容量素子ＣＸ２と、は同じ容量である。
【０１５７】
配線ＢＬＡ−１は、センスアンプ１０１の第１入出力端子と、容量素子ＣＡ１の第１電極と、容量素子ＣＸ１の第１電極と、トランジスタＴｒＬ１のソース又はドレインの一方と電気的に接続されている。配線ＢＬＡ−２は、センスアンプ１０１の第２入出力端子と、容量素子ＣＡ２の第１電極と、容量素子ＣＸ２の第１電極と、トランジスタＴｒＬ２のソース又はドレインの一方と電気的に接続されている。配線ＢＬＢ−１は、容量素子ＣＢ１の第１電極と、トランジスタＴｒＬ１のソース又はドレインの他方と、トランジスタＴｒＲ１のソース又はドレインの一方と電気的に接続されている。配線ＢＬＢ−２は、容量素子ＣＢ２の第１電極と、トランジスタＴｒＬ２のソース又はドレインの他方と、トランジスタＴｒＲ２のソース又はドレインの一方と電気的に接続されている。配線ＢＬＣ−１は、センスアンプ１０２の第１入出力端子と、容量素子ＣＣ１の第１電極と、容量素子ＣＸ２の第２電極と、トランジスタＴｒＲ１のソース又はドレインの他方と電気的に接続されている。配線ＢＬＣ−２は、センスアンプ１０２の第２入出力端子と、容量素子ＣＣ２の第１電極と、容量素子ＣＸ１の第２電極と、トランジスタＴｒＲ２のソース又はドレインの他方と電気的に接続されている。配線ＴＧＬは、トランジスタＴｒＬ１のゲートと、トランジスタＴｒＬ２のゲートと電気的に接続されている。配線ＴＧＲは、トランジスタＴｒＲ１のゲートと、トランジスタＴｒＲ２のゲートと電気的に接続されている。容量素子ＣＡ１の第２電極と、容量素子ＣＡ２の第２電極と、容量素子ＣＢ１の第２電極と、容量素子ＣＢ２の第２電極と、容量素子ＣＣ１の第２電極と、容量素子ＣＣ２の第２電極と、は配線ＶＣと電気的に接続されている。
【０１５８】
層ＬＹＲ２は、メモリセルアレイＭＣＡＬＡと、メモリセルアレイＭＣＡＬＢと、メモリセルＭＣＡＬＣと、を有している。メモリセルアレイＭＣＡＬＡは、メモリセルＭＣＡ［１］乃至メモリセルＭＣＡ［ｍ］（ｍは１以上の整数）を有し、メモリセルアレイＭＣＡＬＢは、メモリセルＭＣＢ［１］乃至メモリセルＭＣＢ［ｎ］（ｎは１以上の整数）、を有し、メモリセルアレイＭＣＡＬＣは、メモリセルＭＣＣ［１］乃至メモリセルＭＣＣ［ｐ］（ｐは１以上の整数）、を有している。メモリセルアレイＭＣＡＬＡは、配線ＷＬＡ［１］乃至配線ＷＬＡ［ｍ］と電気的に接続され、メモリセルアレイＭＣＡＬＢは、配線ＷＬＢ［１］乃至配線ＷＬＢ［ｎ］と電気的に接続され、メモリセルアレイＭＣＡＬＣは、配線ＷＬＣ［１］乃至配線ＷＬＣ［ｐ］と電気的に接続されている。
【０１５９】
メモリセルＭＣＡ［ｉ］（ｉは１以上ｍ以下の整数）の素子、及び接続構成は、メモリセルＭＣＢ［ｊ］（ｊは１以上ｎ以下の整数）の素子、及び接続構成と、メモリセルＭＣＣ［ｋ］（ｋは１以上ｐ以下の整数）の素子、及び接続構成と同じである。メモリセルＭＣＡ［ｉ］は、トランジスタＴＡ［ｉ］と、容量素子ＣＳＡ［ｉ］と、を有し、メモリセルＭＣＢ［ｊ］は、トランジスタＴＢ［ｊ］と、容量素子ＣＳＢ［ｊ］と、を有し、メモリセルＭＣＣ［ｋ］は、トランジスタＴＣ［ｋ］と、容量素子ＣＳＣ［ｋ］と、を有している。トランジスタＴＡ［ｉ］のソース又はドレインの一方は、容量素子ＣＳＡ［ｉ］の第１電極と電気的に接続され、トランジスタＴＡ［ｉ］のゲートは、配線ＷＬＡ［ｉ］と電気的に接続されている。トランジスタＴＢ［ｊ］のソース又はドレインの一方は、容量素子ＣＳＢ［ｊ］の第１電極と電気的に接続され、トランジスタＴＢ［ｊ］のゲートは、配線ＷＬＢ［ｊ］と電気的に接続されている。トランジスタＴＣ［ｋ］のソース又はドレインの一方は、容量素子ＣＳＣ［ｋ］の第１電極と電気的に接続され、トランジスタＴＣ［ｋ］のゲートは、配線ＷＬＣ［ｋ］と電気的に接続されている。容量素子ＣＳＡ［ｉ］の第２電極は、配線ＶＣと電気的に接続され、容量素子ＣＳＢ［ｊ］の第２電極は、配線ＶＣと電気的に接続され、容量素子ＣＳＣ［ｋ］の第２電極は、配線ＶＣと電気的に接続されている。
【０１６０】
配線ＢＬＡ−１は、配線ＢＬＡを介してトランジスタＴＡ［１］乃至トランジスタＴＡ［ｍ］のそれぞれのソース又はドレインの他方の電極と電気的に接続され、配線ＢＬＢ−１は、配線ＢＬＢを介してトランジスタＴＢ［１］乃至トランジスタＴＢ［ｎ］のそれぞれのソース又はドレインの他方の電極と電気的に接続され、配線ＢＬＣ−１は、配線ＢＬＣを介してトランジスタＴＣ［１］乃至トランジスタＴＣ［ｐ］のそれぞれのソース又はドレインの他方の電極と電気的に接続されている。
【０１６１】
配線ＶＣは、各容量素子の第２電極に電位を与えるための配線であり、ＧＮＤ電位が入力される。
【０１６２】
＜動作例３＞
次に、半導体装置３００の動作例について、図１５、及び図１６を用いて、説明する。図１５、及び図１６は、半導体装置３００の動作を示すタイミングチャートである。
【０１６３】
＜＜動作例３−１＞＞
図１５に示すタイミングチャートＴＣ３−１は、メモリセルアレイＭＣＡＬＡの中のいずれかのメモリセルＭＣＡ［ｉ］に保持されたデータを読み出す動作期間において、配線ＢＬＡ−１、配線ＢＬＡ−２、配線ＢＬＢ−１、配線ＢＬＢ−２、配線ＢＬＣ−１、配線ＢＬＣ−２、配線ＴＧＬ及び配線ＴＧＲの電位の変化を表している。なお、本動作例で読み出すデータは”１０”としている。
【０１６４】
時刻Ｔ０において、配線ＴＧＬには高レベルの電位が印加されており、トランジスタＴｒＬ１及びトランジスタＴｒＬ２が導通状態となっている。さらに、配線ＴＧＲには高レベルの電位が印加されており、トランジスタＴｒＲ１及びトランジスタＴｒＲ２も導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、配線ＢＬＢ−２、配線ＢＬＣ−１、及び配線ＢＬＣ−２の電位は、ＶＣＣ／２となる。なお、プリチャージ後は、配線ＢＬＡ−１と配線ＢＬＢ−１と配線ＢＬＣ−１、及び配線ＢＬＡ−２と配線ＢＬＢ−２と配線ＢＬＣ−２を、フローティング状態にする。
【０１６５】
時刻Ｔ１では、メモリセルＭＣＡ［ｉ］のデータを読み出すため、配線ＷＬＡ［ｉ］に高レベル電位が印加される。このため、トランジスタＴＡ［ｉ］は導通状態となり、メモリセルＭＣＡ［ｉ］に保持された電荷が配線ＢＬＡ−１に移動する。この電荷の移動によって、配線ＢＬＡ−１と配線ＢＬＢ−１と配線ＢＬＣ−１において昇圧される電圧をＶＳ／３とする。メモリセルＭＣＡ［ｉ］のデータ読み出しが完了したあと、配線ＷＬＡ［ｉ］に低レベル電位が印加されて、トランジスタＴＡ［ｉ］は非導通状態となる。
【０１６６】
時刻Ｔ２において、配線ＴＧＲに低レベル電位を印加する。これにより、トランジスタＴｒＲ１及びトランジスタＴｒＲ２が非導通状態となる。このとき、配線ＢＬＡ−１、配線ＢＬＡ−２、配線ＢＬＢ−１、配線ＢＬＢ−２、配線ＢＬＣ−１、及び配線ＢＬＣ−２の電位は、時刻Ｔ２以前の状態と同じである。
【０１６７】
時刻Ｔ３において、センスアンプ１０１を作動させる。このとき、センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にするように動作する。このとき、配線ＢＬＡ−２よりも配線ＢＬＡ−１の電位が高いため、配線ＢＬＡ−１の電位は、ＶＣＣまで増幅される。一方、配線ＢＬＡ−２の電位は、ＧＮＤ電位まで降圧される。ここで、配線ＢＬＡ−１の電位から、上位ビットの読み出しを行う。配線ＢＬＡ−１の電位はＶＣＣで、リファレンス電位よりも高いため、”１”を読み出すことができる。このように、時刻Ｔ３から時刻Ｔ４までの間の配線ＢＬＡ−１の電位から、上位ビットの読み出しを行うことができる。
【０１６８】
更に、トランジスタＴｒＬ１及びトランジスタＴｒＬ２が導通状態であるため、配線ＢＬＡ−１と配線ＢＬＡ−２の電位が変化したとき、同時に配線ＢＬＢ−１と配線ＢＬＢ−２の電位も変化する。すなわち、配線ＢＬＡ−１と配線ＢＬＢ−１の電位はＶＣＣとなり、配線ＢＬＡ−２と配線ＢＬＢ−２の電位は、ＧＮＤ電位となる。
【０１６９】
更に、上述のセンスアンプの動作によって、クロスカップルされた容量素子ＣＸ１及び容量素子ＣＸ２を通して、配線ＢＬＣ−１及び配線ＢＬＣ−２の電位を変化させる。具体的には、容量素子ＣＸ１を介して、電位ＶＣＣに昇圧された配線ＢＬＡ−１と電気的に接続されている配線ＢＬＣ−２の電位をＶＳ／３昇圧させ、容量素子ＣＸ２を介して、ＧＮＤ電位に降圧された配線ＢＬＡ−２と電気的に接続されている配線ＢＬＣ−１の電位をＶＳ／３降圧させている。
【０１７０】
時刻Ｔ４において、センスアンプ１０２を作動させる。このとき、センスアンプ１０２は、配線ＢＬＣ−１と配線ＢＬＣ−２の一方の電位をＶＣＣにして、配線ＢＬＣ−１と配線ＢＬＣ−２の他方の電位をＧＮＤ電位にするように動作する。配線ＢＬＣ−１よりも配線ＢＬＣ−２の電位が高いため、配線ＢＬＣ−２の電位は、ＶＣＣまで増幅される。一方、配線ＢＬＣ−１の電位は、ＧＮＤ電位まで降圧される。ここで、配線ＢＬＣ−１の電位から、下位ビットの読み出しを行う。配線ＢＬＣ−１の電位はＧＮＤ電位で、リファレンス電位よりも低いため、”０”を読み出すことができる。このように、時刻Ｔ４から時刻Ｔ５までの間の配線ＢＬＣ−１の電位から、下位ビットの読み出しを行うことができる。
【０１７１】
時刻Ｔ５において、配線ＴＧＲに高レベル電位を印加する。これにより、トランジスタＴｒＲ１及びトランジスタＴｒＲ２が導通状態となる。トランジスタＴｒＲ１が導通状態となることによって、電位ＶＣＣとなっている配線ＢＬＡ−１及び配線ＢＬＢ−１と、ＧＮＤ電位となっている配線ＢＬＣ−１との間で、電荷の再分配が行われる。容量素子ＣＡ１と、容量素子ＣＢ１と、容量素子ＣＣ１の容量の大きさは全て等しいので、容量素子ＣＡ１と容量素子ＣＢ１の容量の和と、容量素子ＣＣ１の容量との比は２：１となる。つまり、トランジスタＴｒＲ１が導通状態となった後の電荷の再分配によって、配線ＢＬＡ−１、配線ＢＬＢ−１及び配線ＢＬＣ−１の電位は、２ＶＣＣ／３となる。一方、トランジスタＴｒＲ２が導通状態となることによって、電位ＶＣＣとなっている配線ＢＬＣ−２と、ＧＮＤ電位となっている配線ＢＬＡ−２及び配線ＢＬＢ−２との間でも、電荷の再分配が行われる。容量素子ＣＡ２と、容量素子ＣＢ２と、容量素子ＣＣ２の容量の大きさは全て等しいので、容量素子ＣＡ２と容量素子ＣＢ２の容量の和と、容量素子ＣＣ２の容量との比は２：１となる。つまり、トランジスタＴｒＲ２が導通状態となった後の電荷の再分配によって、配線ＢＬＡ−２、配線ＢＬＢ−２及び配線ＢＬＣ−２の電位は、ＶＣＣ／３となる。
【０１７２】
配線ＢＬＡ−１、配線ＢＬＢ−１、及び配線ＢＬＣ−１の電荷の再分配が終了した時刻Ｔ６以降では、メモリセルＭＣＡ［ｉ］のデータ保持部に配線ＢＬＡ−１、配線ＢＬＢ−１、及び配線ＢＬＣ−１の電位を書き込むため、配線ＷＬＡ［ｉ］に高レベル電位が印加される。これにより、トランジスタＴＡ［ｉ］が導通状態となり、配線ＢＬＡ−１、配線ＢＬＢ−１、及び配線ＢＬＣ−１の電位、すなわち２ＶＣＣ／３が書き込まれる。
【０１７３】
上述の時刻Ｔ０乃至時刻Ｔ６の動作によって、メモリセルＭＣＡ［ｉ］に保持されているデータ”１０”の読み出しを行うことができる。
【０１７４】
なお、本動作例では、”１０”のデータを読み出す例について説明したが、”１１”、”０１”、”００”についても、上述と同様の動作によって、読み出すことができる。
【０１７５】
なお、本動作例は、データを読み出すメモリセルは、メモリセルＭＣＡ［ｉ］に限定されない。例えば、メモリセルＭＣＡ［ｉ］の代わりにメモリセルＭＣＢ［ｊ］に保持されているデータを読み出してもよい。メモリセルＭＣＢ［ｊ］を選択する場合でも、トランジスタＴｒＬ１、トランジスタＴｒＬ２、トランジスタＴｒＲ１、及びトランジスタＴｒＲ２の導通、非導通状態の制御を、上述と同様に行うことで、メモリセルＭＣＢ［ｊ］のデータを読み出すことができる。
【０１７６】
＜＜動作例３−２＞＞
図１６に示すタイミングチャートＴＣ３−２は、メモリセルアレイＭＣＡＬＣの中のいずれかのメモリセルＭＣＣ［ｐ］に保持されたデータを読み出す動作期間において、配線ＢＬＡ−１、配線ＢＬＡ−２、配線ＢＬＢ−１、配線ＢＬＢ−２、配線ＢＬＣ−１、配線ＢＬＣ−２、配線ＴＧＬ及び配線ＴＧＲの電位の変化を表している。なお、本動作例で読み出すデータは”１０”としている。
【０１７７】
時刻Ｔ０において、配線ＴＧＬには高レベルの電位が印加されており、トランジスタＴｒＬ１及びトランジスタＴｒＬ２が導通状態となっている。さらに、配線ＴＧＲには高レベルの電位が印加されており、トランジスタＴｒＲ１及びトランジスタＴｒＲ２も導通状態となっている。この状態で、配線ＢＬＡ−１と、配線ＢＬＡ−２と、を電位ＶＣＣ／２にプリチャージする。すなわち、配線ＢＬＡ−１、配線ＢＬＡ−２、配線ＢＬＢ−１、配線ＢＬＢ−２、配線ＢＬＣ−１、及び配線ＢＬＣ−２の電位は、ＶＣＣ／２となる。なお、プリチャージ後は、配線ＢＬＡ−１と配線ＢＬＢ−１と配線ＢＬＣ−１、及び配線ＢＬＡ−２と配線ＢＬＢ−２と配線ＢＬＣ−２は、フローティング状態にする。
【０１７８】
時刻Ｔ１では、メモリセルＭＣＣ［ｐ］のデータを読み出すため、配線ＷＬＣ［ｐ］に高レベル電位が印加される。このため、トランジスタＴＣ［ｐ］は導通状態となり、メモリセルＭＣＣ［ｐ］に保持された電荷が配線ＢＬＣ−１に移動する。この電荷の移動によって、配線ＢＬＡ−１と配線ＢＬＢ−１と配線ＢＬＣ−１において昇圧される電圧をＶＳ／３とする。メモリセルＭＣＣ［ｐ］のデータ読み出しが完了したあと、配線ＷＬＣ［ｐ］に低レベル電位が印加されて、トランジスタＴＣ［ｐ］は非導通状態となる。
【０１７９】
時刻Ｔ２において、配線ＴＧＬに低レベル電位を印加する。これにより、トランジスタＴｒＬ１及びトランジスタＴｒＬ２が非導通状態となる。このとき、配線ＢＬＡ−１、配線ＢＬＡ−２、配線ＢＬＢ−１、配線ＢＬＢ−２、配線ＢＬＣ−１、及び配線ＢＬＣ−２の電位は、時刻Ｔ２以前の状態と同じである。
【０１８０】
時刻Ｔ３において、センスアンプ１０２を作動させる。このとき、センスアンプ１０２は、配線ＢＬＣ−１と配線ＢＬＣ−２の一方の電位をＶＣＣにして、配線ＢＬＣ−１と配線ＢＬＣ−２の他方の電位をＧＮＤ電位にするように動作する。このとき、配線ＢＬＣ−２よりも配線ＢＬＣ−１の電位が高いため、配線ＢＬＣ−１の電位は、ＶＣＣまで増幅される。一方、配線ＢＬＣ−２の電位は、ＧＮＤ電位まで降圧される。ここで、配線ＢＬＣ−１の電位から、上位ビットの読み出しを行う。配線ＢＬＣ−１の電位はＶＣＣで、リファレンス電位よりも高いため、”１”を読み出すことができる。このように、時刻Ｔ３から時刻Ｔ４までの間の配線ＢＬＣ−１の電位から、上位ビットの読み出しを行うことができる。
【０１８１】
更に、トランジスタＴｒＲ１及びトランジスタＴｒＲ２が導通状態であるため、配線ＢＬＣ−１と配線ＢＬＣ−２の電位が変化したとき、同時に配線ＢＬＢ−１と配線ＢＬＢ−２の電位も変化する。すなわち、配線ＢＬＣ−１と配線ＢＬＢ−１の電位はＶＣＣとなり、配線ＢＬＣ−２と配線ＢＬＢ−２の電位は、ＧＮＤ電位となる。
【０１８２】
さらに、上述のセンスアンプの動作によって、クロスカップルされた容量素子ＣＸ１及び容量素子ＣＸ２を通して、配線ＢＬＡ−１及び配線ＢＬＡ−２の電位を変化させる。具体的には、容量素子ＣＸ１を介して、電位ＶＣＣに昇圧された配線ＢＬＣ−１と電気的に接続されている配線ＢＬＡ−２の電位をＶＳ／３昇圧させ、容量素子ＣＸ２を介して、ＧＮＤ電位に降圧された配線ＢＬＣ−２と電気的に接続されている配線ＢＬＡ−１の電位をＶＳ／３降圧させている。
【０１８３】
時刻Ｔ４において、センスアンプ１０１を作動させる。このとき、センスアンプ１０１は、配線ＢＬＡ−１と配線ＢＬＡ−２の一方の電位をＶＣＣにして、配線ＢＬＡ−１と配線ＢＬＡ−２の他方の電位をＧＮＤ電位にするように動作する。配線ＢＬＡ−１よりも配線ＢＬＡ−２の電位が高いため、配線ＢＬＡ−２の電位は、ＶＣＣまで増幅される。一方、配線ＢＬＡ−１の電位は、ＧＮＤ電位まで降圧される。ここで、配線ＢＬＡ−１の電位から、下位ビットの読み出しを行う。配線ＢＬＡ−１の電位はＧＮＤ電位で、リファレンス電位よりも低いため、”０”を読み出すことができる。このように、時刻Ｔ４から時刻Ｔ５までの間の配線ＢＬＡ−１の電位から、下位ビットの読み出しを行うことができる。
【０１８４】
時刻Ｔ５において、配線ＴＧＬに高レベル電位を印加する。これにより、トランジスタＴｒＬ１及びトランジスタＴｒＬ２が導通状態となる。トランジスタＴｒＬ１が導通状態となることによって、電位ＶＣＣとなっている配線ＢＬＢ−１及び配線ＢＬＣ−１と、ＧＮＤ電位となっている配線ＢＬＡ−１との間で、電荷の再分配が行われる。容量素子ＣＡ１と、容量素子ＣＢ１と、容量素子ＣＣ１の容量の大きさは全て等しいので、容量素子ＣＢ１と容量素子ＣＣ１の容量の和と、容量素子ＣＡ１の容量との比は２：１となる。つまり、トランジスタＴｒＬ１が導通状態となった後の電荷の再分配によって、配線ＢＬＡ−１、配線ＢＬＢ−１及び配線ＢＬＣ−１の電位は、２ＶＣＣ／３となる。一方、トランジスタＴｒＬ２が導通状態となることによって、電位ＶＣＣとなっている配線ＢＬＡ−２と、ＧＮＤ電位となっている配線ＢＬＢ−２及び配線ＢＬＣ−２との間でも、電荷の再分配が行われる。容量素子ＣＡ２と、容量素子ＣＢ２と、容量素子ＣＣ２の容量の大きさは全て等しいので、容量素子ＣＢ２と容量素子ＣＣ２の容量の和と、容量素子ＣＡ２の容量との比は２：１となる。つまり、トランジスタＴｒＬ２が導通状態となった後の電荷の再分配によって、配線ＢＬＡ−２、配線ＢＬＢ−２及び配線ＢＬＣ−２の電位は、ＶＣＣ／３となる。
【０１８５】
配線ＢＬＡ−１、配線ＢＬＢ−１、及び配線ＢＬＣ−１の電荷の再分配が終了した時刻Ｔ６以降では、メモリセルＭＣＣ［ｐ］のデータ保持部に配線ＢＬＡ−１、配線ＢＬＢ−１、及び配線ＢＬＣ−１の電位を書き込むため、配線ＷＬＣ［ｐ］に高レベル電位が印加される。これにより、トランジスタＴＣ［ｐ］が導通状態となり、配線ＢＬＡ−１、配線ＢＬＢ−１、及び配線ＢＬＣ−１の電位、すなわち２ＶＣＣ／３が書き込まれる。
【０１８６】
上述の時刻Ｔ０乃至時刻Ｔ６の動作によって、メモリセルＭＣＣ［ｐ］に保持されているデータ”１０”の読み出しを行うことができる。
【０１８７】
なお、本動作例では、”１０”のデータを読み出す例について説明したが、”１１”、”０１”、”００”についても、上述と同様の動作によって、読み出すことができる。
【０１８８】
なお、本動作例は、データを読み出すメモリセルは、メモリセルＭＣＣ［ｐ］に限定されない。例えば、メモリセルＭＣＣ［ｐ］の代わりにメモリセルＭＣＢ［ｊ］に保持されているデータを読み出してもよい。メモリセルＭＣＢ［ｊ］を選択する場合でも、トランジスタＴｒＬ１、トランジスタＴｒＬ２、トランジスタＴｒＲ１、及びトランジスタＴｒＲ２の導通、非導通状態の制御を、上述と同様に行うことで、メモリセルＭＣＢ［ｊ］のデータを読み出すことができる。
【０１８９】
＜構成の変更例３＞
上述では、半導体装置３００の構成例と動作例について説明したが、本発明の一態様はこれに限定されない。例えば、配線ＢＬＡ−１、配線ＢＬＡ−２、配線ＢＬＢ−１、配線ＢＬＢ−２、配線ＢＬＣ−１、配線ＢＬＣ−２、に備わる寄生容量の大きさがそれぞれ容量素子ＣＡ１、容量素子ＣＡ２、容量素子ＣＢ１、容量素子ＣＢ２、容量素子ＣＣ１、容量素子ＣＣ２の容量の大きさと等しい場合、容量素子ＣＡ１、容量素子ＣＡ２、容量素子ＣＢ１、容量素子ＣＢ２を設ける必要はない。つまり、配線の寄生容量を考慮し、容量素子の代わりに配線の寄生容量を用いた回路の構成を採用することにより、半導体装置の回路面積を低減することができる。また、  例えば、読み出したメモリセルの保持容量、配線の寄生容量、トランジスタの寄生容量などの影響も考慮して、容量素子ＣＡ１、容量素子ＣＡ２、容量素子ＣＢ１、容量素子ＣＢ２、容量素子ＣＣ１、容量素子ＣＣ２、容量素子ＣＸ１、容量素子ＣＸ２の容量をそれぞれ適した値に変更して、回路を作製してもよい。
【０１９０】
半導体装置３００に用いた、トランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］は、ＯＳトランジスタであることが好ましい。特に、チャネル形成領域に有する酸化物半導体は、インジウム、ガリウム、亜鉛で構成されていることがより好ましい。この酸化物半導体を有するトランジスタは、オフ電流が極めて低い特性を有するため、電流のリークによるデータの劣化を抑制することができる。
【０１９１】
また、トランジスタＴｒＬ１、トランジスタＴｒＬ２、トランジスタＴｒＲ１、及びトランジスタＴｒＲ２も上述と同様にＯＳトランジスタを用いることで、非導通状態のときの、配線ＢＬＡ−１と配線ＢＬＢ−１との間、配線ＢＬＢ−１と配線ＢＬＣ−１との間、配線ＢＬＡ−２と配線ＢＬＢ−２との間、及び配線ＢＬＢ−２と配線ＢＬＣ−２との間での電荷の移動を抑制することができる。
【０１９２】
なお、本実施の形態の構成は、図１４に限定されない。例えば、層ＬＹＲ１内の容量素子ＣＡ１、容量素子ＣＡ２、容量素子ＣＢ１、容量素子ＣＢ２、容量素子ＣＣ１、容量素子ＣＣ２、容量素子ＣＸ１、容量素子ＣＸ２、層ＬＹＲ２内の容量素子ＣＳＡ［１］乃至容量素子ＣＳＡ［ｍ］、容量素子ＣＳＢ［１］乃至容量素子ＣＳＢ［ｎ］、容量素子ＣＳＣ［１］乃至容量素子ＣＳＣ［ｐ］を、層ＬＹＲ２よりも上方に位置する層にまとめて設けてもよい。このような構成にすることで、半導体装置３００を作製する工程をより簡略でき、かつ回路面積を低減することができる。
【０１９３】
また、例えば、容量素子ＣＡ１、容量素子ＣＡ２、容量素子ＣＢ１、容量素子ＣＢ２、容量素子ＣＣ１、容量素子ＣＣ２、容量素子ＣＸ１、容量素子ＣＸ２を層ＬＹＲ１と層ＬＹＲ２の間に設け、容量素子ＣＳＡ［１］乃至容量素子ＣＳＡ［ｍ］、容量素子ＣＳＢ［１］乃至容量素子ＣＳＢ［ｎ］、容量素子ＣＳＣ［１］乃至容量素子ＣＳＣ［ｐ］を層ＬＹＲ２よりも上方に位置する層に設けてもよい。このような構成にすることで、半導体装置１００、又は半導体装置３００の回路面積をより低減することができる。
【０１９４】
また、例えば、トランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］、トランジスタＴｒＬ１、トランジスタＴｒＬ２、トランジスタＴｒＲ１、及びトランジスタＴｒＲ２のチャネル形成領域が同じ材料で形成されている場合、トランジスタＴｒＬ１、トランジスタＴｒＬ２、トランジスタＴｒＲ１、及びトランジスタＴｒＲ２を層ＬＹＲ２に設けてもよい。このような構成にすることで、半導体装置３００を作製する工程をより簡略化することができる。
【０１９５】
なお、本実施の形態は、本明細書で示す他の実施の形態と適宜組み合わせることができる。
【０１９６】
（実施の形態４）
本発明の一態様に係る記憶装置の構成の一例について、図１７を用いながら説明する。
【０１９７】
図１７に記憶装置の構成の一例を示す。記憶装置２６００は、周辺回路２６０１、及びメモリセルアレイ２６１０を有する。周辺回路２６０１は、ローデコーダ２６２１、ワード線ドライバ回路２６２２、ビット線ドライバ回路２６３０、出力回路２６４０、コントロールロジック回路２６６０を有する。
【０１９８】
ビット線ドライバ回路２６３０は、カラムデコーダ２６３１、プリチャージ回路２６３２、センスアンプ２６３３、及び書き込み回路２６３４を有する。プリチャージ回路２６３２は、上述の実施の形態で説明した配線ＢＬＡ、配線ＢＬＢ、又は配線ＢＬＣ（図１７に図示していない）をプリチャージする機能を有する。センスアンプ２６３３は、配線ＢＬＡ、配線ＢＬＢ、又は配線ＢＬＣから読み出されたデータ信号を増幅する機能を有する。増幅されたデータ信号は、出力回路２６４０を介して、デジタルのデータ信号ＲＤＡＴＡとして記憶装置２６００の外部に出力される。
【０１９９】
また、記憶装置２６００には、外部から電源電圧として低電源電圧（ＶＳＳ）、周辺回路２６０１用の高電源電圧（ＶＤＤ）、メモリセルアレイ２６１０用の高電源電圧（ＶＩＬ）が供給される。
【０２００】
また、記憶装置２６００には、制御信号（ＣＥ、ＷＥ、ＲＥ）、アドレス信号ＡＤＤＲ、データ信号ＷＤＡＴＡが外部から入力される。アドレス信号ＡＤＤＲは、ローデコーダ２６２１及びカラムデコーダ２６３１に入力され、データ信号ＷＤＡＴＡは書き込み回路２６３４に入力される。
【０２０１】
コントロールロジック回路２６６０は、外部からの入力信号（ＣＥ、ＷＥ、ＲＥ）を処理して、ローデコーダ２６２１、カラムデコーダ２６３１の制御信号を生成する。ＣＥは、チップイネーブル信号であり、ＷＥは、書き込みイネーブル信号であり、ＲＥは、読み出しイネーブル信号である。コントロールロジック回路２６６０が処理する信号は、これに限定されるものではなく、必要に応じて、他の制御信号を入力すればよい。
【０２０２】
なお、上述の各回路あるいは各信号は、必要に応じて、適宜、取捨することができる。
【０２０３】
また、ｐチャネル型Ｓｉトランジスタと、後述する実施の形態の酸化物半導体（好ましくはＩｎ、Ｇａ、及びＺｎを含む酸化物）をチャネル形成領域に含むトランジスタを用い、記憶装置２６００に適用することで、小型の記憶装置２６００を提供できる。また、消費電力低減することが可能な記憶装置２６００を提供できる。また、動作速度を向上することが可能な記憶装置２６００を提供できる。特に、Ｓｉトランジスタはｐチャネル型のみとすることで、製造コストを低く抑えることができる。
【０２０４】
なお、本実施の形態の構成例は、図１７の構成に限定されない。例えば、実施の形態１乃至実施の形態３に適用する場合、センスアンプ２６３３をメモリセルアレイ２６１０の下層に設ける、などのように適宜構成を変更してもよい。
【０２０５】
なお、本実施の形態は、本明細書で示す他の実施の形態と適宜組み合わせることができる。
【０２０６】
（実施の形態５）
本実施の形態では、上記実施の形態に示した半導体装置を適用したＣＰＵ（Ｃｅｎｔｒａｌ  Ｐｒｏｃｅｓｓｏｒ  Ｕｎｉｔ）について説明する。
【０２０７】
図１８は、ＣＰＵの一例の構成を示すブロック図である。
【０２０８】
図１８に示すＣＰＵ２１００は、基板２１０１上に、プロセッサコア２１０２と、記憶装置２１０３と、ＰＭＵ２１０４と、データバス２１０５と、を有している。基板２１０１は、半導体基板、ＳＯＩ基板、ガラス基板などを用いる。
【０２０９】
プロセッサコア２１０２は、四則演算、論理演算などの各種演算処理を行う機能を有する。
【０２１０】
記憶装置２１０３は、ＣＰＵ２１００の動作中において、使用頻度の高いデータや演算処理に用いるデータ、演算処理結果のデータなどを一時的に記憶する機能を有する。そのため、記憶装置２１０３は、ＣＰＵ２１００のメインメモリ、又はキャッシュなどとして機能する。
【０２１１】
ＰＭＵ２１０４は、外部電圧ＶＳＳを得て、プロセッサコア２１０２、記憶装置２１０３、ＰＭＵ２１０４などの各回路の電源管理を行う装置である。なお、図１８において、ＰＭＵ２１０４が各回路に対して電力を供給するための配線は省略している。また、ＰＭＵ２１０４を介せず、外部電圧ＶＳＳを各回路に直接供給する構成としてもよい。
【０２１２】
プロセッサコア２１０２と、記憶装置２１０３やＰＭＵ２１０４などとのデータのやり取りは、データバス２１０５を介して行われる。ただし、ＣＰＵ２１００が起動開始を行う際、プロセッサコア２１０２への電力供給は、ＰＭＵ２１０４がプロセッサコア２１０２に対して直接行われる場合がある。
【０２１３】
データバス２１０５は、ＣＰＵ２１００の端子２１０６と電気的に接続されている。ＣＰＵ２１００で計算を行うとき、端子２１０６にプログラムコードが入力され、データバス２１０５を介してプロセッサコア２１０２に送られ、演算処理が進められる。
【０２１４】
また、データバス２１０５を介さずに、直接ＣＰＵ２１００の内部の回路と外部とを電気的に接続して、データのやり取りを行ってもよい。例えば、ＰＭＵ２１０４に直接データを送って、プロセッサコア２１０２を制御する構成としてもよい。
【０２１５】
ＣＰＵ２１００は、その構成を簡略化して示した一例にすぎず、実際のＣＰＵはその用途によって多種多様な構成を有している。例えば、演算回路を含む構成を一つのプロセッサコアとし、当該プロセッサコアを複数含み、それぞれのプロセッサコアが並列で動作するような構成としてもよい。また、ＣＰＵが内部演算回路やデータバスで扱えるビット数は、例えば８ビット、１６ビット、３２ビット、６４ビットなどとすることができる。
【０２１６】
記憶装置２１０３として、実施の形態１で述べた半導体装置１００、半導体装置１１０、半導体装置２００、半導体装置２１０、半導体装置３００を用いることができる。多値メモリである半導体装置１００、半導体装置１１０、半導体装置２００、半導体装置２１０、半導体装置３００をＣＰＵ２１００に適用することによって、より小さいＣＰＵを実現することができる。
【０２１７】
さらに、半導体装置１００、半導体装置１１０、半導体装置２００、半導体装置２１０、半導体装置３００に有するトランジスタとして、ＯＳトランジスタを適用することによって、読み出し、書き込み動作の速度を向上することができる。これにより、処理速度の速いＣＰＵを実現することができる。また、ＯＳトランジスタは、オフ電流が極めて小さい特性を有しているため、オフ電流による電力の消費が小さくなる。すなわち、ＣＰＵの消費電力を低減することができる。
【０２１８】
なお、本実施の形態は、本明細書で示す他の実施の形態と適宜組み合わせることができる。
【０２１９】
（実施の形態６）
本実施の形態では、開示する発明の一態様に係るトランジスタについて説明する。
【０２２０】
なお、本発明の一態様に係るトランジスタは、実施の形態７で説明するｎｃ−ＯＳ又はＣＡＡＳ−ＯＳを有することが好ましい。
【０２２１】
＜トランジスタの構成例１＞
図１９（Ａ）乃至図１９（Ｃ）は、トランジスタ１４００ａの上面図及び断面図である。図１９（Ａ）は上面図である。図１９（Ｂ）は、図１９（Ａ）に示す一点鎖線Ａ１−Ａ２に対応する断面図であり、図１９（Ｃ）は、図１９（Ａ）に示す一点鎖線Ａ３−Ａ４に対応する断面図である。なお、図１９（Ａ）の上面図では、図の明瞭化のために一部の要素を省いて図示している。なお、一点鎖線Ａ１−Ａ２をトランジスタ１４００ａのチャネル長方向、一点鎖線Ａ３−Ａ４をトランジスタ１４００ａのチャネル幅方向と呼ぶ場合がある。
【０２２２】
トランジスタ１４００ａは、基板１４５０と、基板１４５０上の絶縁膜１４０１と、絶縁膜１４０１上の導電膜１４１４と、導電膜１４１４を覆うように形成された絶縁膜１４０２と、絶縁膜１４０２上の絶縁膜１４０３と、絶縁膜１４０３上の絶縁膜１４０４と、絶縁膜１４０４上に、金属酸化物１４３１、金属酸化物１４３２の順で形成された積層と、金属酸化物１４３２の上面及び側面と接する導電膜１４２１と、同じく金属酸化物１４３２の上面及び側面と接する導電膜１４２３と、導電膜１４２１上の導電膜１４２２と、導電膜１４２３上の導電膜１４２４と、導電膜１４２２、導電膜１４２４上の絶縁膜１４０５と、金属酸化物１４３１、金属酸化物１４３２、導電膜１４２１乃至導電膜１４２４及び絶縁膜１４０５と接する金属酸化物１４３３と、金属酸化物１４３３上の絶縁膜１４０６と、絶縁膜１４０６上の導電膜１４１１と、導電膜１４１１上の導電膜１４１２と、導電膜１４１２上の導電膜１４１３と、導電膜１４１３を覆うように形成された絶縁膜１４０７と、絶縁膜１４０７上の絶縁膜１４０８を有する。なお、金属酸化物１４３１、金属酸化物１４３２及び金属酸化物１４３３をまとめて、金属酸化物１４３０と呼称する。
【０２２３】
金属酸化物１４３２は半導体であり、トランジスタ１４００ａのチャネルとしての機能を有する。
【０２２４】
また、金属酸化物１４３１及び金属酸化物１４３２は、領域１４４１及び領域１４４２を有する。領域１４４１は、導電膜１４２１と、金属酸化物１４３１、金属酸化物１４３２が接する領域の近傍に形成され、領域１４４２は、導電膜１４２３と、金属酸化物１４３１、金属酸化物１４３２が接する領域の近傍に形成される。
【０２２５】
領域１４４１、領域１４４２は低抵抗領域としての機能を有する。金属酸化物１４３１、金属酸化物１４３２は、領域１４４１を有することで、導電膜１４２１との間のコンタクト抵抗を低減させることが可能になる。同様に、金属酸化物１４３１、金属酸化物１４３２は、領域１４４２を有することで、導電膜１４２３との間のコンタクト抵抗を低減させることが可能になる。
【０２２６】
導電膜１４２１、導電膜１４２２は、トランジスタ１４００ａのソース電極又はドレイン電極の一方としての機能を有する。導電膜１４２３、導電膜１４２４は、トランジスタ１４００ａのソース電極又はドレイン電極の他方としての機能を有する。
【０２２７】
導電膜１４２２は導電膜１４２１よりも酸素を透過しにくい機能を有する。これにより、酸化による導電膜１４２１の導電率の低下を防ぐことが可能になる。
【０２２８】
同様に、導電膜１４２４は導電膜１４２３よりも酸素を透過しにくい機能を有する。これにより、酸化による導電膜１４２３の導電率の低下を防ぐことが可能になる。
【０２２９】
導電膜１４１１乃至導電膜１４１３は、トランジスタ１４００ａの第１のゲート電極としての機能を有する。
【０２３０】
導電膜１４１１、導電膜１４１３は、導電膜１４１２よりも酸素を透過しにくい機能を有する。これにより、酸化による導電膜１４１２の導電率の低下を防ぐことが可能になる。
【０２３１】
絶縁膜１４０６は、トランジスタ１４００ａの第１のゲート絶縁膜としての機能を有する。
【０２３２】
導電膜１４１４は、トランジスタ１４００ａの第２のゲート電極としての機能を有する。
【０２３３】
導電膜１４１１乃至導電膜１４１３と導電膜１４１４は同じ電位が与えられてもよいし、異なる電位が与えられてもよい。また導電膜１４１４は、場合によっては省略してもよい。
【０２３４】
絶縁膜１４０１乃至絶縁膜１４０４は、トランジスタ１４００ａの下地絶縁膜としての機能を有する。また、絶縁膜１４０２乃至絶縁膜１４０４は、トランジスタ１４００ａの第２のゲート絶縁膜としての機能も有する。
【０２３５】
絶縁膜１４０５乃至１４０８は、トランジスタ１４００ａの保護絶縁膜又は層間絶縁膜としての機能を有する。
【０２３６】
図１９（Ｃ）に示すように、金属酸化物１４３２の側面は、導電膜１４１１に囲まれている。上記構成をとることで、導電膜１４１１の電界によって、金属酸化物１４３２を電気的に取り囲むことができる。ゲート電極の電界によって、半導体を電気的に取り囲むトランジスタの構造を、ｓｕｒｒｏｕｎｄｅｄ  ｃｈａｎｎｅｌ（ｓ−ｃｈａｎｎｅｌ）構造とよぶ。そのため、金属酸化物１４３２の全体（バルク）にチャネルが形成される。ｓ−ｃｈａｎｎｅｌ構造は、トランジスタのソース−ドレイン間に大電流を流すことができ、トランジスタのオン電流を高くすることができる。
【０２３７】
ｓ−ｃｈａｎｎｅｌ構造は、高いオン電流が得られるため、ＬＳＩ（Ｌａｒｇｅ  Ｓｃａｌｅ  Ｉｎｔｅｇｒａｔｉｏｎ）など微細化されたトランジスタが要求される半導体装置に適した構造といえる。トランジスタを微細化できるため、該トランジスタを有する半導体装置は、集積度の高い、高密度化された半導体装置とすることが可能となる。
【０２３８】
トランジスタ１４００ａにおいて、ゲート電極として機能する領域は、絶縁膜１４０５などに形成された開口部１４１５を埋めるように自己整合（ｓｅｌｆ  ａｌｉｇｎ）的に形成される。
【０２３９】
図１９（Ｂ）に示すように、導電膜１４１１と導電膜１４２２は、絶縁膜を間に介して、互いに重なる領域を有する。同様に、導電膜１４１１と導電膜１４２３は、絶縁膜を間に介して、互いに重なる領域を有する。これらの領域は、ゲート電極と、ソース電極又はドレイン電極との間に生じた寄生容量として機能し、トランジスタ１４００ａの動作速度を低下させる原因になり得る。トランジスタ１４００ａは、絶縁膜１４０５を設けることで、上述の寄生容量を低下させることが可能になる。絶縁膜１４０５は、比誘電率の低い材料からなることが好ましい。
【０２４０】
図２０（Ａ）は、トランジスタ１４００ａの中央部を拡大したものである。図２０（Ａ）において、導電膜１４１１の底面が、絶縁膜１４０６及び金属酸化物１４３３を介して、金属酸化物１４３２の上面と平行に面する領域の長さを、幅ＬＧとして示す。幅ＬＧは、ゲート電極の線幅を表す。また、図２０（Ａ）において、導電膜１４２１と導電膜１４２３の間の長さを、幅ＬＳＤとして示す。幅ＬＳＤは、ソース電極とドレイン電極との間の長さを表す。
【０２４１】
幅ＬＳＤは最小加工寸法で決定されることが多い。図２０（Ａ）に示すように、幅ＬＧは、幅ＬＳＤよりも小さい。すなわち、トランジスタ１４００ａは、ゲート電極の線幅を、最小加工寸法より小さくすることが可能になる。具体的には、幅ＬＧは、５ｎｍ以上６０ｎｍ以下、好ましくは５ｎｍ以上３０ｎｍ以下とすることが可能になる。
【０２４２】
図２０（Ａ）において、導電膜１４２１及び導電膜１４２２の厚さの合計、又は、導電膜１４２３及び導電膜１４２４の厚さの合計を高さＨＳＤと表す。
【０２４３】
絶縁膜１４０６の厚さを、高さＨＳＤ以下とすることで、ゲート電極からの電界がチャネル形成領域全体に印加することが可能になり好ましい。絶縁膜１４０６の厚さは、３０ｎｍ以下、好ましくは１０ｎｍ以下とする。
【０２４４】
また、導電膜１４２２と導電膜１４１１の間に形成される寄生容量、及び、導電膜１４２４と導電膜１４１１の間に形成される寄生容量の値は、絶縁膜１４０５の厚さに反比例する。例えば、絶縁膜１４０５の厚さを、絶縁膜１４０６の厚さの３倍以上、好ましくは５倍以上とすることで、寄生容量は無視できるほど小さくなり、好ましい。その結果、トランジスタ１４００ａを高周波数で動作させることが可能になる。
【０２４５】
以下、トランジスタ１４００ａの各構成要素について説明を行う。
【０２４６】
＜＜金属酸化物層＞＞
まず、金属酸化物１４３１乃至金属酸化物１４３３に適用可能な金属酸化物について説明を行う。
【０２４７】
トランジスタ１４００ａは、非導通状態においてソースとドレインとの間を流れる電流（オフ電流）が低いことが好適である。オフ電流が低いトランジスタとしては、チャネル形成領域に酸化物半導体を有するトランジスタが挙げられる。
【０２４８】
金属酸化物１４３２は、例えば、インジウム（Ｉｎ）を含む酸化物半導体である。金属酸化物１４３２は、例えば、インジウムを含むと、キャリア移動度（電子移動度）が高くなる。また、金属酸化物１４３２は、元素Ｍを含むと好ましい。元素Ｍは、好ましくは、アルミニウム（Ａｌ）、ガリウム（Ｇａ）、イットリウム（Ｙ）又はスズ（Ｓｎ）などとする。そのほかの元素Ｍに適用可能な元素としては、ホウ素（Ｂ）、シリコン（Ｓｉ）、チタン（Ｔｉ）、鉄（Ｆｅ）、ニッケル（Ｎｉ）、ゲルマニウム（Ｇｅ）、ジルコニウム（Ｚｒ）、モリブデン（Ｍｏ）、ランタン（Ｌａ）、セリウム（Ｃｅ）、ネオジム（Ｎｄ）、ハフニウム（Ｈｆ）、タンタル（Ｔａ）、タングステン（Ｗ）、マグネシウム（Ｍｇ）などがある。ただし、元素Ｍとして、前述の元素を複数組み合わせても構わない場合がある。元素Ｍは、例えば、酸素との結合エネルギーが高い元素である。例えば、酸素との結合エネルギーがインジウムよりも高い元素である。又は、元素Ｍは、例えば、金属酸化物のエネルギーギャップを大きくする機能を有する元素である。また、金属酸化物１４３２は、亜鉛（Ｚｎ）を含むと好ましい。金属酸化物は、亜鉛を含むと結晶化しやすくなる場合がある。
【０２４９】
ただし、金属酸化物１４３２は、インジウムを含む酸化物半導体に限定されない。金属酸化物１４３２は、例えば、亜鉛スズ酸化物、ガリウムスズ酸化物などの、インジウムを含まず、亜鉛を含む酸化物半導体、ガリウムを含む酸化物半導体、スズを含む酸化物半導体などであっても構わない。
【０２５０】
金属酸化物１４３２は、例えば、エネルギーギャップが大きい酸化物半導体を用いる。金属酸化物１４３２のエネルギーギャップは、例えば、２．５ｅＶ以上４．２ｅＶ以下、好ましくは２．８ｅＶ以上３．８ｅＶ以下、さらに好ましくは３ｅＶ以上３．５ｅＶ以下とする。
【０２５１】
金属酸化物１４３２は、後述するＣＡＡＣ−ＯＳ膜であることが好ましい。
【０２５２】
例えば、金属酸化物１４３１及び金属酸化物１４３３は、金属酸化物１４３２を構成する酸素以外の元素一種以上、又は二種以上から構成される金属酸化物である。金属酸化物１４３２を構成する酸素以外の元素一種以上、又は二種以上から金属酸化物１４３１及び金属酸化物１４３３が構成されるため、金属酸化物１４３１と金属酸化物１４３２との界面、及び金属酸化物１４３２と金属酸化物１４３３との界面において、界面準位が形成されにくい。
【０２５３】
なお、金属酸化物１４３１がＩｎ−Ｍ−Ｚｎ酸化物のとき、Ｉｎ及びＭの和を１００ａｔｏｍｉｃ％としたとき、好ましくはＩｎが５０ａｔｏｍｉｃ％未満、Ｍが５０ａｔｏｍｉｃ％より高く、さらに好ましくはＩｎが２５ａｔｏｍｉｃ％未満、Ｍが７５ａｔｏｍｉｃ％より高いとする。金属酸化物１４３１をスパッタリング法で成膜する場合、上記の組成を満たすスパッタリングターゲットを用いることが好ましい。例えば、Ｉｎ：Ｍ：Ｚｎ＝１：３：２、Ｉｎ：Ｍ：Ｚｎ＝１：３：４などが好ましい。
【０２５４】
また、金属酸化物１４３２がＩｎ−Ｍ−Ｚｎ酸化物のとき、Ｉｎ及びＭの和を１００ａｔｏｍｉｃ％としたとき、好ましくはＩｎが２５ａｔｏｍｉｃ％より高く、Ｍが７５ａｔｏｍｉｃ％未満、さらに好ましくはＩｎが３４ａｔｏｍｉｃ％より高く、Ｍが６６ａｔｏｍｉｃ％未満とする。金属酸化物１４３２をスパッタリング法で成膜する場合、上記の組成を満たすスパッタリングターゲットを用いることが好ましい。例えば、Ｉｎ：Ｍ：Ｚｎ＝１：１：１、Ｉｎ：Ｍ：Ｚｎ＝１：１：１．２、Ｉｎ：Ｍ：Ｚｎ＝２：１：３、Ｉｎ：Ｍ：Ｚｎ＝３：１：２、Ｉｎ：Ｍ：Ｚｎ＝４：２：４．１が好ましい。特に、スパッタリングターゲットとして、原子数比がＩｎ：Ｇａ：Ｚｎ＝４：２：４．１を用いる場合、成膜される金属酸化物１４３２の原子数比は、Ｉｎ：Ｇａ：Ｚｎ＝４：２：３近傍となる場合がある。
【０２５５】
また、金属酸化物１４３３がＩｎ−Ｍ−Ｚｎ酸化物のとき、Ｉｎ及びＭの和を１００ａｔｏｍｉｃ％としたとき、好ましくはＩｎが５０ａｔｏｍｉｃ％未満、Ｍが５０ａｔｏｍｉｃ％より高く、さらに好ましくはＩｎが２５ａｔｏｍｉｃ％未満、Ｍが７５ａｔｏｍｉｃ％より高くする。例えば、Ｉｎ：Ｍ：Ｚｎ＝１：３：２、Ｉｎ：Ｍ：Ｚｎ＝１：３：４などが好ましい。また、金属酸化物１４３３は、金属酸化物１４３１と同種の金属酸化物を用いても構わない。
【０２５６】
また、金属酸化物１４３１又は金属酸化物１４３３がインジウムを含まなくても構わない場合がある。例えば、金属酸化物１４３１又は金属酸化物１４３３が酸化ガリウムであっても構わない。
【０２５７】
次に、金属酸化物１４３１乃至金属酸化物１４３３の積層により構成される金属酸化物１４３０の機能及びその効果について、図２０（Ｂ）に示すエネルギーバンド構造図を用いて説明する。図２０（Ｂ）は、図２０（Ａ）にＹ１−Ｙ２の鎖線で示した部位のエネルギーバンド構造を示している。また、図２０（Ｂ）は、トランジスタ１４００ａのチャネル形成領域とその近傍のエネルギーバンド構造を示している。
【０２５８】
図２０（Ｂ）中、Ｅｃ１４０４、Ｅｃ１４３１、Ｅｃ１４３２、Ｅｃ１４３３、Ｅｃ１４０６は、それぞれ、絶縁膜１４０４、金属酸化物１４３１、金属酸化物１４３２、金属酸化物１４３３、絶縁膜１４０６の伝導帯下端のエネルギーを示している。
【０２５９】
ここで、真空準位と伝導帯下端のエネルギーとの差（「電子親和力」ともいう。）は、真空準位と価電子帯上端のエネルギーとの差（イオン化ポテンシャルともいう。）からエネルギーギャップを引いた値となる。なお、エネルギーギャップは、分光エリプソメータを用いて測定できる。また、真空準位と価電子帯上端のエネルギー差は、紫外線光電子分光分析（ＵＰＳ：Ｕｌｔｒａｖｉｏｌｅｔ  Ｐｈｏｔｏｅｌｅｃｔｒｏｎ  Ｓｐｅｃｔｒｏｓｃｏｐｙ）装置を用いて測定できる。
【０２６０】
絶縁膜１４０４と絶縁膜１４０６は絶縁体であるため、Ｅｃ１４０６とＥｃ１４０４は、Ｅｃ１４３１、Ｅｃ１４３２、及びＥｃ１４３３よりも真空準位に近い（電子親和力が小さい）。
【０２６１】
金属酸化物１４３２は、金属酸化物１４３１及び金属酸化物１４３３よりも電子親和力の大きい金属酸化物を用いる。例えば、金属酸化物１４３２として、金属酸化物１４３１及び金属酸化物１４３３よりも電子親和力の０．０７ｅＶ以上１．３ｅＶ以下、好ましくは０．１ｅＶ以上０．７ｅＶ以下、さらに好ましくは０．１５ｅＶ以上０．４ｅＶ以下大きい金属酸化物を用いる。なお、電子親和力は、真空準位と伝導帯下端のエネルギーとの差である。
【０２６２】
なお、インジウムガリウム酸化物は、小さい電子親和力と、高い酸素ブロック性を有する。そのため、金属酸化物１４３３がインジウムガリウム酸化物を含むと好ましい。ガリウム原子割合［Ｇａ／（Ｉｎ＋Ｇａ）］は、例えば、７０％以上、好ましくは８０％以上、さらに好ましくは９０％以上とする。
【０２６３】
このとき、ゲート電圧を印加すると、金属酸化物１４３１、金属酸化物１４３２、金属酸化物１４３３のうち、電子親和力の大きい金属酸化物１４３２にチャネルが形成される。
【０２６４】
そのため、電子は、金属酸化物１４３１、金属酸化物１４３３の中ではなく、金属酸化物１４３２の中を主として移動する。そのため、金属酸化物１４３１と絶縁膜１４０４との界面、あるいは、金属酸化物１４３３と絶縁膜１４０６との界面に、電子の流れを阻害する界面準位が多く存在したとしても、トランジスタのオン電流にはほとんど影響を与えない。金属酸化物１４３１、金属酸化物１４３３は、絶縁膜のように機能する。
【０２６５】
金属酸化物１４３１と金属酸化物１４３２との間には、金属酸化物１４３１と金属酸化物１４３２との混合領域を有する場合がある。また、金属酸化物１４３２と金属酸化物１４３３との間には、金属酸化物１４３２と金属酸化物１４３３との混合領域を有する場合がある。混合領域は、界面準位密度が低くなる。そのため、金属酸化物１４３１、金属酸化物１４３２及び金属酸化物１４３３の積層体は、それぞれの界面近傍において、エネルギーが連続的に変化する（連続接合ともいう。）バンド構造となる。
【０２６６】
金属酸化物１４３１と金属酸化物１４３２の界面、あるいは、金属酸化物１４３２と金属酸化物１４３３との界面は、上述したように界面準位密度が小さいため、金属酸化物１４３２中で電子の移動が阻害されることが少なく、トランジスタのオン電流を高くすることが可能になる。
【０２６７】
例えば、トランジスタ中の電子の移動は、チャネル形成領域の物理的な凹凸が大きい場合に阻害される。トランジスタのオン電流を高くするためには、例えば、金属酸化物１４３２の上面又は下面（被形成面、ここでは金属酸化物１４３１の上面）の、１μｍ×１μｍの範囲における二乗平均平方根（ＲＭＳ：Ｒｏｏｔ  Ｍｅａｎ  Ｓｑｕａｒｅ）粗さが１ｎｍ未満、好ましくは０．６ｎｍ未満、さらに好ましくは０．５ｎｍ未満、より好ましくは０．４ｎｍ未満とすればよい。また、１μｍ×１μｍの範囲における平均面粗さ（Ｒａともいう。）が１ｎｍ未満、好ましくは０．６ｎｍ未満、さらに好ましくは０．５ｎｍ未満、より好ましくは０．４ｎｍ未満とすればよい。また、１μｍ×１μｍの範囲における最大高低差（Ｐ−Ｖともいう。）が１０ｎｍ未満、好ましくは９ｎｍ未満、さらに好ましくは８ｎｍ未満、より好ましくは７ｎｍ未満とすればよい。ＲＭＳ粗さ、Ｒａ及びＰ−Ｖは、エスアイアイ・ナノテクノロジー株式会社製走査型プローブ顕微鏡システムＳＰＡ−５００などを用いて測定することができる。
【０２６８】
チャネルの形成される領域中の欠陥準位密度が高い場合にも、電子の移動は阻害される。例えば、金属酸化物１４３２が酸素欠損（ＶＯとも表記。）を有する場合、酸素欠損のサイトに水素が入り込むことでドナー準位を形成することがある。以下では酸素欠損のサイトに水素が入り込んだ状態をＶＯＨと表記する場合がある。ＶＯＨは電子を散乱するため、トランジスタのオン電流を低下させる要因となる。なお、酸素欠損のサイトは、水素が入るよりも酸素が入る方が安定する。したがって、金属酸化物１４３２中の酸素欠損を低減することで、トランジスタのオン電流を高くすることができる場合がある。
【０２６９】
例えば、金属酸化物１４３２のある深さにおいて、又は、金属酸化物１４３２のある領域において、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）で測定される水素濃度は、１×１０１６ａｔｏｍｓ／ｃｍ３以上、２×１０２０ａｔｏｍｓ／ｃｍ３以下、好ましくは１×１０１６ａｔｏｍｓ／ｃｍ３以上、５×１０１９ａｔｏｍｓ／ｃｍ３以下、より好ましくは１×１０１６ａｔｏｍｓ／ｃｍ３以上、１×１０１９ａｔｏｍｓ／ｃｍ３以下、さらに好ましくは１×１０１６ａｔｏｍｓ／ｃｍ３以上、５×１０１８ａｔｏｍｓ／ｃｍ３以下とする。
【０２７０】
金属酸化物１４３２の酸素欠損を低減するために、例えば、絶縁膜１４０４に含まれる過剰酸素を、金属酸化物１４３１を介して金属酸化物１４３２まで移動させる方法などがある。この場合、金属酸化物１４３１は、酸素透過性を有する層（酸素を通過又は透過させる層）であることが好ましい。
【０２７１】
なお、トランジスタがｓ−ｃｈａｎｎｅｌ構造を有する場合、金属酸化物１４３２の全体にチャネルが形成される。したがって、金属酸化物１４３２が厚いほどチャネル領域は大きくなる。即ち、金属酸化物１４３２が厚いほど、トランジスタのオン電流を高くすることができる。
【０２７２】
また、トランジスタのオン電流を高くするためには、金属酸化物１４３３は薄いほど好ましい。金属酸化物１４３３は、例えば、１０ｎｍ未満、好ましくは５ｎｍ以下、さらに好ましくは３ｎｍ以下の領域を有していればよい。一方、金属酸化物１４３３は、チャネルの形成される金属酸化物１４３２へ、隣接する絶縁体を構成する酸素以外の元素（水素、シリコンなど）が入り込まないようブロックする機能を有する。そのため、金属酸化物１４３３は、ある程度の厚さを有することが好ましい。金属酸化物１４３３は、例えば、０．３ｎｍ以上、好ましくは１ｎｍ以上、さらに好ましくは２ｎｍ以上の厚さの領域を有していればよい。また、金属酸化物１４３３は、絶縁膜１４０４などから放出される酸素の外方拡散を抑制するために、酸素をブロックする性質を有すると好ましい。
【０２７３】
また、信頼性を高くするためには、金属酸化物１４３１は厚く、金属酸化物１４３３は薄いことが好ましい。金属酸化物１４３１は、例えば、１０ｎｍ以上、好ましくは２０ｎｍ以上、さらに好ましくは４０ｎｍ以上、より好ましくは６０ｎｍ以上の厚さの領域を有していればよい。金属酸化物１４３１の厚さを、厚くすることで、隣接する絶縁体と金属酸化物１４３１との界面からチャネルの形成される金属酸化物１４３２までの距離を離すことができる。ただし、半導体装置の生産性が低下する場合があるため、金属酸化物１４３１は、例えば、２００ｎｍ以下、好ましくは１２０ｎｍ以下、さらに好ましくは８０ｎｍ以下の厚さの領域を有していればよい。
【０２７４】
例えば、金属酸化物１４３２と金属酸化物１４３１との間に、例えば、ＳＩＭＳ分析において、１×１０１６ａｔｏｍｓ／ｃｍ３以上、１×１０１９ａｔｏｍｓ／ｃｍ３未満、好ましくは１×１０１６ａｔｏｍｓ／ｃｍ３以上、５×１０１８ａｔｏｍｓ／ｃｍ３未満、さらに好ましくは１×１０１６ａｔｏｍｓ／ｃｍ３以上、２×１０１８ａｔｏｍｓ／ｃｍ３未満のシリコン濃度となる領域を有する。また、金属酸化物１４３２と金属酸化物１４３３との間に、ＳＩＭＳにおいて、１×１０１６ａｔｏｍｓ／ｃｍ３以上、１×１０１９ａｔｏｍｓ／ｃｍ３未満、好ましくは１×１０１６ａｔｏｍｓ／ｃｍ３以上、５×１０１８ａｔｏｍｓ／ｃｍ３未満、さらに好ましくは１×１０１６ａｔｏｍｓ／ｃｍ３以上、２×１０１８ａｔｏｍｓ／ｃｍ３未満のシリコン濃度となる領域を有する。
【０２７５】
また、金属酸化物１４３２の水素濃度を低減するために、金属酸化物１４３１及び金属酸化物１４３３の水素濃度を低減すると好ましい。金属酸化物１４３１及び金属酸化物１４３３は、ＳＩＭＳにおいて、１×１０１６ａｔｏｍｓ／ｃｍ３以上、２×１０２０ａｔｏｍｓ／ｃｍ３以下、好ましくは１×１０１６ａｔｏｍｓ／ｃｍ３以上、５×１０１９ａｔｏｍｓ／ｃｍ３以下、より好ましくは１×１０１６ａｔｏｍｓ／ｃｍ３以上、１×１０１９ａｔｏｍｓ／ｃｍ３以下、さらに好ましくは１×１０１６ａｔｏｍｓ／ｃｍ３以上、５×１０１８ａｔｏｍｓ／ｃｍ３以下の水素濃度となる領域を有する。また、金属酸化物１４３２の窒素濃度を低減するために、金属酸化物１４３１及び金属酸化物１４３３の窒素濃度を低減すると好ましい。金属酸化物１４３１及び金属酸化物１４３３は、ＳＩＭＳにおいて、１×１０１６ａｔｏｍｓ／ｃｍ３以上、５×１０１９ａｔｏｍｓ／ｃｍ３未満、好ましくは１×１０１６ａｔｏｍｓ／ｃｍ３以上、５×１０１８ａｔｏｍｓ／ｃｍ３以下、より好ましくは１×１０１６ａｔｏｍｓ／ｃｍ３以上、１×１０１８ａｔｏｍｓ／ｃｍ３以下、さらに好ましくは１×１０１６ａｔｏｍｓ／ｃｍ３以上、５×１０１７ａｔｏｍｓ／ｃｍ３以下の窒素濃度となる領域を有する。
【０２７６】
金属酸化物１４３１乃至金属酸化物１４３３の成膜は、スパッタリング法、ＣＶＤ（Ｃｈｅｍｉｃａｌ  Ｖａｐｏｒ  Ｄｅｐｏｓｉｔｉｏｎ）法、ＭＢＥ（Ｍｏｌｅｃｕｌａｒ  Ｂｅａｍ  Ｅｐｉｔａｘｙ）法又はＰＬＤ（Ｐｕｌｓｅｄ  Ｌａｓｅｒ  Ｄｅｐｏｓｉｔｉｏｎ）法、ＡＬＤ（Ａｔｏｍｉｃ  Ｌａｙｅｒ  Ｄｅｐｏｓｉｔｉｏｎ）法などを用いて行えばよい。
【０２７７】
金属酸化物１４３１、金属酸化物１４３２を形成した後に、第１の加熱処理を行うと好ましい。第１の加熱処理は、２５０℃以上６５０℃以下、好ましくは４５０℃以上６００℃以下、さらに好ましくは５２０℃以上５７０℃以下で行えばよい。第１の加熱処理は、不活性ガス雰囲気、又は酸化性ガスを１０ｐｐｍ以上、１％以上もしくは１０％以上含む雰囲気で行う。第１の加熱処理は減圧状態で行ってもよい。又は、第１の加熱処理は、不活性ガス雰囲気で加熱処理した後に、脱離した酸素を補うために酸化性ガスを１０ｐｐｍ以上、１％以上又は１０％以上含む雰囲気で加熱処理を行ってもよい。第１の加熱処理によって、金属酸化物１４３１、金属酸化物１４３２の結晶性を高めることや、水素や水などの不純物を除去することが可能になる。
【０２７８】
上述の３層構造は一例である。例えば、金属酸化物１４３１又は金属酸化物１４３３のない２層構造としても構わない。又は、金属酸化物１４３１の上もしくは下、又は金属酸化物１４３３上もしくは下に、金属酸化物１４３１、金属酸化物１４３２及び金属酸化物１４３３として例示した半導体のいずれか一を有する４層構造としても構わない。又は、金属酸化物１４３１の上、金属酸化物１４３１の下、金属酸化物１４３３の上、金属酸化物１４３３の下のいずれか二箇所以上に、金属酸化物１４３１、金属酸化物１４３２及び金属酸化物１４３３として例示した半導体のいずれか一を有するｎ層構造（ｎは５以上の整数）としても構わない。
【０２７９】
＜＜基板＞＞
基板１４５０としては、例えば、絶縁体基板、半導体基板又は導電体基板を用いればよい。絶縁体基板としては、例えば、ガラス基板、石英基板、サファイア基板、安定化ジルコニア基板（イットリア安定化ジルコニア基板など）、樹脂基板などがある。また、半導体基板としては、例えば、シリコン、ゲルマニウムなどの単体半導体基板、又は炭化シリコン、シリコンゲルマニウム、ヒ化ガリウム、リン化インジウム、酸化亜鉛、酸化ガリウムからなる化合物半導体基板などがある。さらには、前述の半導体基板内部に絶縁体領域を有する半導体基板、例えばＳＯＩ（Ｓｉｌｉｃｏｎ  Ｏｎ  Ｉｎｓｕｌａｔｏｒ）基板などがある。導電体基板としては、黒鉛基板、金属基板、合金基板、導電性樹脂基板などがある。又は、金属の窒化物を有する基板、金属の酸化物を有する基板などがある。さらには、絶縁体基板に導電体又は半導体が設けられた基板、半導体基板に導電体又は絶縁体が設けられた基板、導電体基板に半導体又は絶縁体が設けられた基板などがある。又は、これらの基板に素子が設けられたものを用いてもよい。基板に設けられる素子としては、容量素子、抵抗素子、スイッチ素子、発光素子、記憶素子などがある。
【０２８０】
また、基板１４５０として、可とう性基板を用いてもよい。なお、可とう性基板上にトランジスタを設ける方法としては、非可とう性の基板上にトランジスタを作製した後、トランジスタを剥離し、可とう性基板である基板１４５０に転置する方法もある。その場合には、非可とう性基板とトランジスタとの間に剥離層を設けるとよい。なお、基板１４５０として、繊維を編みこんだシート、フィルム又は箔などを用いてもよい。また、基板１４５０が伸縮性を有してもよい。また、基板１４５０は、折り曲げや引っ張りをやめた際に、元の形状に戻る性質を有してもよい。又は、元の形状に戻らない性質を有してもよい。基板１４５０の厚さは、例えば、５μｍ以上７００μｍ以下、好ましくは１０μｍ以上５００μｍ以下、さらに好ましくは１５μｍ以上３００μｍ以下とする。基板１４５０を薄くすると、半導体装置を軽量化することができる。また、基板１４５０を薄くすることで、ガラスなどを用いた場合にも伸縮性を有する場合や、折り曲げや引っ張りをやめた際に、元の形状に戻る性質を有する場合がある。そのため、落下などによって基板１４５０上の半導体装置に加わる衝撃などを緩和することができる。即ち、丈夫な半導体装置を提供することができる。
【０２８１】
可とう性基板である基板１４５０としては、例えば、金属、合金、樹脂もしくはガラス、又はそれらの繊維などを用いることができる。可とう性基板である基板１４５０は、線膨張率が低いほど環境による変形が抑制されて好ましい。可とう性基板である基板１４５０としては、例えば、線膨張率が１×１０−３／Ｋ以下、５×１０−５／Ｋ以下、又は１×１０−５／Ｋ以下である材質を用いればよい。樹脂としては、例えば、ポリエステル、ポリオレフィン、ポリアミド（ナイロン、アラミドなど）、ポリイミド、ポリカーボネート、アクリル、ポリテトラフルオロエチレン（ＰＴＦＥ）などがある。特に、アラミドは、線膨張率が低いため、可とう性基板である基板１４５０として好適である。
【０２８２】
＜＜下地絶縁膜＞＞
絶縁膜１４０１は、基板１４５０と導電膜１４１４を電気的に分離させる機能を有する。
【０２８３】
絶縁膜１４０１又は絶縁膜１４０２は、単層構造又は積層構造の絶縁膜で形成される。絶縁膜を構成する材料には、例えば、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどがある。
【０２８４】
また、絶縁膜１４０２として、ＴＥＯＳ（Ｔｅｔｒａ−Ｅｔｈｙｌ−Ｏｒｔｈｏ−Ｓｉｌｉｃａｔｅ）若しくはシラン等と、酸素若しくは亜酸化窒素等とを反応させて形成した段差被覆性の良い酸化シリコンを用いてもよい。
【０２８５】
また、絶縁膜１４０２を成膜した後、その上面の平坦性を高めるためにＣＭＰ法等を用いた平坦化処理を行ってもよい。
【０２８６】
絶縁膜１４０４は、酸化物を含むことが好ましい。特に加熱により一部の酸素が脱離する酸化物材料を含むことが好ましい。好適には、化学量論的組成を満たす酸素よりも多くの酸素を含む酸化物を用いることが好ましい。化学量論的組成を満たす酸素よりも多くの酸素を含む酸化物膜は、加熱により一部の酸素が脱離する。絶縁膜１４０４から脱離した酸素は金属酸化物１４３０に供給され、金属酸化物１４３０の酸素欠損を低減することが可能となる。その結果、トランジスタの電気特性の変動を抑制し、信頼性を高めることができる。
【０２８７】
化学量論的組成を満たす酸素よりも多くの酸素を含む酸化物膜は、例えば、ＴＤＳ（Ｔｈｅｒｍａｌ  Ｄｅｓｏｒｐｔｉｏｎ  Ｓｐｅｃｔｒｏｓｃｏｐｙ）分析にて、酸素原子に換算しての酸素の脱離量が１．０×１０１８ａｔｏｍｓ／ｃｍ３以上、好ましくは３．０×１０２０ａｔｏｍｓ／ｃｍ３以上である酸化物膜である。なお、上記ＴＤＳ分析時における膜の表面温度としては１００℃以上７００℃以下、又は１００℃以上５００℃以下の範囲が好ましい。
【０２８８】
絶縁膜１４０４は、金属酸化物１４３０に酸素を供給することができる酸化物を含むことが好ましい。例えば、酸化シリコン又は酸化窒化シリコンを含む材料を用いることが好ましい。
【０２８９】
又は、絶縁膜１４０４として、酸化アルミニウム、酸化窒化アルミニウム、酸化ガリウム、酸化窒化ガリウム、酸化イットリウム、酸化窒化イットリウム、酸化ハフニウム、酸化窒化ハフニウム等の金属酸化物を用いてもよい。
【０２９０】
絶縁膜１４０４に酸素を過剰に含有させるためには、例えば酸素雰囲気下にて絶縁膜１４０４の成膜を行えばよい。又は、成膜後の絶縁膜１４０４に酸素を導入して酸素を過剰に含有する領域を形成してもよく、双方の手段を組み合わせてもよい。
【０２９１】
例えば、成膜後の絶縁膜１４０４に、酸素（少なくとも酸素ラジカル、酸素原子、酸素イオンのいずれかを含む）を導入して酸素を過剰に含有する領域を形成する。酸素の導入方法としては、イオン注入法、イオンドーピング法、プラズマイマージョンイオン注入法、プラズマ処理などを用いることができる。
【０２９２】
酸素導入方法には、酸素を含むガスを用いることができる。酸素を含むガスとしては、例えば酸素、亜酸化窒素、二酸化窒素、二酸化炭素、一酸化炭素などを用いることができる。また、酸素導入処理において、酸素を含むガスに希ガスを含ませてもよい。又は、水素等を含ませてもよい。例えば、二酸化炭素、水素及びアルゴンの混合ガスを用いるとよい。
【０２９３】
また、絶縁膜１４０４を成膜した後、その上面の平坦性を高めるためにＣＭＰ法等を用いた平坦化処理を行ってもよい。
【０２９４】
絶縁膜１４０３は、絶縁膜１４０４に含まれる酸素が、導電膜１４１４に含まれる金属と結びつき、絶縁膜１４０４に含まれる酸素が減少することを防ぐパッシベーション機能を有する。
【０２９５】
絶縁膜１４０３は、酸素、水素、水、アルカリ金属、アルカリ土類金属等のブロッキングできる機能を有する。絶縁膜１４０３を設けることで、金属酸化物１４３０からの酸素の外部への拡散と、外部から金属酸化物１４３０への水素、水等の入り込みを防ぐことができる。
【０２９６】
絶縁膜１４０３としては、例えば、窒化物絶縁膜を用いることができる。該窒化物絶縁膜としては、窒化シリコン、窒化酸化シリコン、窒化アルミニウム、窒化酸化アルミニウム等がある。なお、窒化物絶縁膜の代わりに、酸素、水素、水等のブロッキング効果を有する酸化物絶縁膜を設けてもよい。酸化物絶縁膜としては、酸化アルミニウム、酸化窒化アルミニウム、酸化ガリウム、酸化窒化ガリウム、酸化イットリウム、酸化窒化イットリウム、酸化ハフニウム、酸化窒化ハフニウム等がある。
【０２９７】
トランジスタ１４００ａは、電荷捕獲層に電子を注入することで、しきい値電圧を制御することが可能になる。電荷捕獲層は、絶縁膜１４０２又は絶縁膜１４０３に設けることが好ましい。例えば、絶縁膜１４０３を酸化ハフニウム、酸化アルミニウム、酸化タンタル、アルミニウムシリケート等で形成することで、電荷捕獲層として機能させることができる。
【０２９８】
＜＜ゲート電極＞＞
導電膜１４１１乃至導電膜１４１４して、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）、ルテニウム（Ｒｕ）、白金（Ｐｔ）、イリジウム（Ｉｒ）、ストロンチウム（Ｓｒ）の低抵抗材料からなる単体、合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【０２９９】
＜＜ソース電極、ドレイン電極＞＞
導電膜１４２１乃至導電膜１４２４として、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）、ルテニウム（Ｒｕ）、白金（Ｐｔ）、イリジウム（Ｉｒ）、ストロンチウム（Ｓｒ）の低抵抗材料からなる単体、合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【０３００】
また、導電膜１４２１乃至導電膜１４２４には、酸化イリジウム、酸化ルテニウム、ストロンチウムルテナイトなど、貴金属を含む導電性酸化物を用いることが好ましい。これらの導電性酸化物は、酸化物半導体と接しても酸化物半導体から酸素を奪うことが少なく、酸化物半導体の酸素欠損を作りにくい。
【０３０１】
＜＜低抵抗領域＞＞
領域１４４１、領域１４４２は、例えば、導電膜１４２１、導電膜１４２３が、金属酸化物１４３１、金属酸化物１４３２の酸素を引き抜くことで形成される。酸素の引き抜きは、高い温度で加熱するほど起こりやすい。トランジスタの作製工程には、いくつかの加熱工程があることから、領域１４４１、領域１４４２には酸素欠損が形成される。また、加熱により該酸素欠損のサイトに水素が入りこみ、領域１４４１、領域１４４２に含まれるキャリア濃度が増加する。その結果、領域１４４１、領域１４４２が低抵抗化する。
【０３０２】
＜＜ゲート絶縁膜＞＞
絶縁膜１４０６は、比誘電率の高い絶縁体を有することが好ましい。例えば、絶縁膜１４０６は、酸化ガリウム、酸化ハフニウム、アルミニウム及びハフニウムを有する酸化物、アルミニウム及びハフニウムを有する酸化窒化物、シリコン及びハフニウムを有する酸化物、又はシリコン及びハフニウムを有する酸化窒化物などを有することが好ましい。
【０３０３】
また、絶縁膜１４０６は、酸化シリコン又は酸化窒化シリコンと、比誘電率の高い絶縁体と、の積層構造を有することが好ましい。酸化シリコン及び酸化窒化シリコンは、熱的に安定であるため、比誘電率の高い絶縁体と組み合わせることで、熱的に安定かつ比誘電率の高い積層構造とすることができる。例えば、酸化アルミニウム、酸化ガリウム又は酸化ハフニウムを金属酸化物１４３３側に有することで、酸化シリコン又は酸化窒化シリコンに含まれるシリコンが、金属酸化物１４３２に混入することを抑制することができる。
【０３０４】
また、例えば、酸化シリコン又は酸化窒化シリコンを金属酸化物１４３３側に有することで、酸化アルミニウム、酸化ガリウム又は酸化ハフニウムと、酸化シリコン又は酸化窒化シリコンと、の界面にトラップセンターが形成される場合がある。該トラップセンターは、電子を捕獲することでトランジスタのしきい値電圧をプラス方向に変動させることができる場合がある。
【０３０５】
＜＜層間絶縁膜、保護絶縁膜＞＞
【０３０６】
絶縁膜１４０５は、比誘電率の低い絶縁体を有することが好ましい。例えば、絶縁膜１４０５は、酸化シリコン、酸化窒化シリコン、窒化酸化シリコン、窒化シリコン又は樹脂などを有することが好ましい。又は、絶縁膜１４０５は、酸化シリコン又は酸化窒化シリコンと、樹脂と、の積層構造を有することが好ましい。酸化シリコン及び酸化窒化シリコンは、熱的に安定であるため、樹脂と組み合わせることで、熱的に安定かつ比誘電率の低い積層構造とすることができる。樹脂としては、例えば、ポリエステル、ポリオレフィン、ポリアミド（ナイロン、アラミドなど）、ポリイミド、ポリカーボネート又はアクリルなどがある。
【０３０７】
絶縁膜１４０７は、酸素、水素、水、アルカリ金属、アルカリ土類金属等のブロッキングできる機能を有する。絶縁膜１４０７を設けることで、金属酸化物１４３０からの酸素の外部への拡散と、外部から金属酸化物１４３０への水素、水等の入り込みを防ぐことができる。
【０３０８】
絶縁膜１４０７としては、例えば、窒化物絶縁膜を用いることができる。該窒化物絶縁膜としては、窒化シリコン、窒化酸化シリコン、窒化アルミニウム、窒化酸化アルミニウム等がある。なお、窒化物絶縁膜の代わりに、酸素、水素、水等のブロッキング効果を有する酸化物絶縁膜を設けてもよい。酸化物絶縁膜としては、酸化アルミニウム、酸化窒化アルミニウム、酸化ガリウム、酸化窒化ガリウム、酸化イットリウム、酸化窒化イットリウム、酸化ハフニウム、酸化窒化ハフニウム等がある。
【０３０９】
酸化アルミニウム膜は、水素、水分などの不純物、及び酸素の両方に対して膜を透過させない遮断効果が高いので絶縁膜１４０７に適用するのに好ましい。
【０３１０】
絶縁膜１４０７は、スパッタリング法または、ＣＶＤ法などにより酸素を含むプラズマを用いて成膜することで、絶縁膜１４０５、絶縁膜１４０６の側面及び表面に、酸素を添加することが可能になる。また、絶縁膜１４０７を成膜した後、何れかのタイミングにおいて、第２の加熱処理を行うことが好ましい。第２の加熱処理によって、絶縁膜１４０５、絶縁膜１４０６に添加された酸素が、絶縁膜中を拡散し、金属酸化物１４３０に到達し、金属酸化物１４３０の酸素欠損を低減することが可能になる。
【０３１１】
図２１（Ａ）（Ｂ）は、絶縁膜１４０７を成膜する際に絶縁膜１４０５、絶縁膜１４０６に添加された酸素が、第２の加熱処理によって絶縁膜中を拡散し、金属酸化物１４３０に到達する様子を描いた模式図である。図２１（Ａ）は、図１９（Ｂ）の断面図において、酸素が拡散する様子を矢印で示している。同様に、図２１（Ｂ）は、図１９（Ｃ）の断面図において、酸素が拡散する様子を矢印で示している。
【０３１２】
図２１（Ａ）、図２１（Ｂ）に示すように、絶縁膜１４０６の側面に添加された酸素が、絶縁膜１４０６の内部を拡散し、金属酸化物１４３０に到達する。また、絶縁膜１４０７と絶縁膜１４０５の界面近傍に、酸素を過剰に含む領域１４６１、領域１４６２及び領域１４６３が形成される場合がある。領域１４６１乃至１４６３に含まれる酸素は、絶縁膜１４０５、絶縁膜１４０４を経由し、金属酸化物１４３０に到達する。絶縁膜１４０５が酸化シリコンを含み、絶縁膜１４０７が酸化アルミニウムを含む場合、領域１４６１乃至１４６３は、シリコンとアルミニウムと酸素の混合層が形成される場合がある。
【０３１３】
絶縁膜１４０７は、酸素をブロックする機能を有し、酸素が絶縁膜１４０７より上方に拡散することを防ぐ。同様に、絶縁膜１４０３は、酸素をブロックする機能を有し、酸素が絶縁膜１４０３より下方に拡散することを防ぐ。
【０３１４】
なお、第２の加熱処理は、絶縁膜１４０５、絶縁膜１４０６に添加された酸素が金属酸化物１４３０まで拡散する温度で行えばよい。例えば、第１の加熱処理についての記載を参照しても構わない。又は、第２の加熱処理は、第１の加熱処理よりも低い温度が好ましい。第１の加熱処理と第２の加熱処理の温度差は、２０℃以上１５０℃以下、好ましくは４０℃以上１００℃以下とする。これにより、絶縁膜１４０４から余分に酸素が放出することを抑えることができる。なお、第２の加熱処理は、同等の加熱処理を各層の成膜時の加熱によって兼ねることができる場合、行わなくてもよい場合がある。
【０３１５】
このように、金属酸化物１４３０は、絶縁膜１４０７の成膜及び第２の加熱処理によって、上下方向から酸素が供給されることが可能になる。
【０３１６】
また、Ｉｎ−Ｍ−Ｚｎ酸化物など、酸化インジウムを含む膜を絶縁膜１４０７として成膜することで、絶縁膜１４０５、絶縁膜１４０６に酸素を添加してもよい。
【０３１７】
絶縁膜１４０８には、酸化アルミニウム、窒化酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどから選ばれた一種以上含む絶縁体を用いることができる。また、絶縁膜１４０８には、ポリイミド樹脂、ポリアミド樹脂、アクリル樹脂、シロキサン樹脂、エポキシ樹脂、フェノール樹脂等の樹脂を用いることもできる。また、絶縁膜１４０８は上記材料の積層であってもよい。
【０３１８】
＜トランジスタの構成例２＞
図１９に示すトランジスタ１４００ａは、導電膜１４１４及び絶縁膜１４０２、絶縁膜１４０３を省略してもよい。その場合の例を図２２に示す。
【０３１９】
図２２（Ａ）乃至図２２（Ｃ）は、トランジスタ１４００ｂの上面図及び断面図である。図２２（Ａ）は上面図である。図２２（Ｂ）は、図２２（Ａ）に示す一点鎖線Ａ１−Ａ２に対応する断面図であり、図２２（Ｃ）は、図２２（Ａ）に示す一点鎖線Ａ３−Ａ４に対応する断面図である。なお、図２２（Ａ）の上面図では、図の明瞭化のために一部の要素を省いて図示している。なお、一点鎖線Ａ１−Ａ２をトランジスタ１４００ｂのチャネル長方向、一点鎖線Ａ３−Ａ４をトランジスタ１４００ｂのチャネル幅方向と呼ぶ場合がある。
【０３２０】
図１９に示すトランジスタ１４００ａにおいて、導電膜１４２１、導電膜１４２３は、ゲート電極（導電膜１４１１乃至導電膜１４１３）と重なる部分の膜厚を薄くしてもよい。その場合の例を図２３に示す。
【０３２１】
図２３（Ａ）乃至図２３（Ｃ）は、トランジスタ１４００ｃの上面図及び断面図である。図２３（Ａ）は上面図である。図２３（Ｂ）は、図２３（Ａ）に示す一点鎖線Ａ１−Ａ２に対応する断面図であり、図２３（Ｃ）は、図２３（Ａ）に示す一点鎖線Ａ３−Ａ４に対応する断面図である。なお、図２３（Ａ）の上面図では、図の明瞭化のために一部の要素を省いて図示している。なお、一点鎖線Ａ１−Ａ２をトランジスタ１４００ｃのチャネル長方向、一点鎖線Ａ３−Ａ４をトランジスタ１４００ｃのチャネル幅方向と呼ぶ場合がある。
【０３２２】
図２３（Ｂ）のトランジスタ１４００ｃにおいて、ゲート電極と重なる部分の導電膜１４２１が薄膜化され、その上を導電膜１４２２が覆っている。同様に、ゲート電極と重なる部分の導電膜１４２３が薄膜化され、その上を導電膜１４２４が覆っている。
【０３２３】
トランジスタ１４００ｃは、図２３（Ｂ）に示すような構成にすることで、ゲート電極とソース電極との間の距離、又は、ゲート電極とドレイン電極との間の距離を長くすることが可能になり、ゲート電極とソース電極及びドレイン電極との間に形成される寄生容量を低減することが可能になる。その結果、高速動作が可能なトランジスタを得ることが可能になる。
【０３２４】
＜トランジスタの構成例３＞
図２３に示すトランジスタ１４００ｃにおいて、Ａ３−Ａ４方向に、金属酸化物１４３１、１４３２の幅を広げてもよい。その場合の例を図２４に示す。
【０３２５】
図２４（Ａ）乃至図２４（Ｃ）は、トランジスタ１４００ｄの上面図及び断面図である。図２４（Ａ）は上面図である。図２４（Ｂ）は、図２４（Ａ）に示す一点鎖線Ａ１−Ａ２に対応する断面図であり、図２４（Ｃ）は、図２４（Ａ）に示す一点鎖線Ａ３−Ａ４に対応する断面図である。なお、図２４（Ａ）の上面図では、図の明瞭化のために一部の要素を省いて図示している。なお、一点鎖線Ａ１−Ａ２をトランジスタ１４００ｄのチャネル長方向、一点鎖線Ａ３−Ａ４をトランジスタ１４００ｄのチャネル幅方向と呼ぶ場合がある。
【０３２６】
トランジスタ１４００ｄは、図２４に示す構成にすることで、オン電流を増大させることが可能になる。
【０３２７】
＜トランジスタの構成例４＞
図２３に示すトランジスタ１４００ｃにおいて、Ａ３−Ａ４方向に、金属酸化物１４３１、金属酸化物１４３２から成る領域（以下、フィンと呼ぶ）を複数設けてもよい。その場合の例を図２５に示す。
【０３２８】
図２５（Ａ）乃至図２５（Ｃ）は、トランジスタ１４００ｅの上面図及び断面図である。図２５（Ａ）は上面図である。図２５（Ｂ）は、図２５（Ａ）に示す一点鎖線Ａ１−Ａ２に対応する断面図であり、図２５（Ｃ）は、図２５（Ａ）に示す一点鎖線Ａ３−Ａ４に対応する断面図である。なお、図２５（Ａ）の上面図では、図の明瞭化のために一部の要素を省いて図示している。なお、一点鎖線Ａ１−Ａ２をトランジスタ１４００ｅのチャネル長方向、一点鎖線Ａ３−Ａ４をトランジスタ１４００ｅのチャネル幅方向と呼ぶ場合がある。
【０３２９】
トランジスタ１４００ｅは、金属酸化物１４３１ａ、金属酸化物１４３２ａから成る第１のフィンと、金属酸化物１４３１ｂ、金属酸化物１４３２ｂから成る第２のフィンと、金属酸化物１４３１ｃ、金属酸化物１４３２ｃから成る第３のフィンと、を有している。
【０３３０】
トランジスタ１４００ｅは、チャネルが形成される金属酸化物１４３２ａ乃至金属酸化物１４３２ｃを、ゲート電極が取り囲むことで、チャネル全体にゲート電界を印加することが可能になり、オン電流が高いトランジスタを得ることが可能になる。
【０３３１】
＜トランジスタの構成例５＞
図２６（Ａ）乃至図２６（Ｄ）は、トランジスタ１４００ｆの上面図及び断面図である。図２６（Ａ）は、トランジスタ１４００ｆの上面図であり、図２６（Ｂ）は図２６（Ａ）に示す一点鎖線Ａ１−Ａ２に対応する断面図であり、図２６（Ｃ）は一点鎖線Ａ３−Ａ４に対応する断面図である。なお、一点鎖線Ａ１−Ａ２をチャネル長方向、一点鎖線Ａ３−Ａ４をチャネル幅方向という場合がある。トランジスタ１４００ｆもトランジスタ１４００ａ等と同様に、ｓ−ｃｈａｎｎｅｌ構造のトランジスタである。トランジスタ１４００ｆでは、ゲート電極を構成する導電膜１４１２の側面に接して、絶縁膜１４０９が設けられている。絶縁膜１４０９及び導電膜１４１２は、絶縁膜１４０７及び絶縁膜１４０８に覆われている。絶縁膜１４０９はトランジスタ１４００ｆのサイドウォール絶縁膜として機能する。トランジスタ１４００ａと同様に、ゲート電極を導電膜１４１１乃至導電膜１４１３の積層としてもよい。
【０３３２】
絶縁膜１４０６及び導電膜１４１２は、少なくとも一部が導電膜１４１４及び金属酸化物１４３２と重なる。導電膜１４１２のチャネル長方向の側面端部と絶縁膜１４０６のチャネル長方向の側面端部は概略一致していることが好ましい。ここで、絶縁膜１４０６はトランジスタ１４００ｆのゲート絶縁膜として機能し、導電膜１４１２はトランジスタ１４００ｆのゲート電極として機能する。
【０３３３】
金属酸化物１４３２は、金属酸化物１４３３及び絶縁膜１４０６を介して導電膜１４１２と重なる領域を有する。金属酸化物１４３１の外周が金属酸化物１４３２の外周と概略一致し、金属酸化物１４３３の外周が金属酸化物１４３１及び金属酸化物１４３２の外周よりも外側に位置することが好ましい。ここでは、金属酸化物１４３３の外周が金属酸化物１４３１の外周よりも外側に位置する形状となっているが、本実施の形態に示すトランジスタはこれに限られるものではない。例えば、金属酸化物１４３１の外周が金属酸化物１４３３の外周より外側に位置してもよいし、金属酸化物１４３１の側面端部と、金属酸化物１４３３の側面端部とが概略一致する形状としてもよい。
【０３３４】
図２６（Ｄ）に図２６（Ｂ）の部分拡大図を示す。図２６（Ｄ）に示すように、金属酸化物１４３０には、領域１４６１ａ、１４６１ｂ、１４６１ｃ、１４６１ｄ及び１４６１ｅが形成されている。領域１４６１ｂ乃至領域１４６１ｅは、領域１４６１ａと比較してドーパントの濃度が高く、低抵抗化されている。さらに、領域１４６１ｂ及び領域１４６１ｃは、領域１４６１ｄ及び領域１４６１ｅと比較して水素の濃度が高く、より低抵抗化されている。例えば、領域１４６１ａは、領域１４６１ｂ又は領域１４６１ｃのドーパントの最大濃度に対して、５％以下の濃度の領域、２％以下の濃度の領域、又は１％以下の濃度の領域とすればよい。なお、ドーパントを、ドナー、アクセプター、不純物又は元素と言い換えてもよい。
【０３３５】
図２６（Ｄ）に示すように、金属酸化物１４３０において、領域１４６１ａは導電膜１４１２と概ね重なる領域であり、領域１４６１ｂ、領域１４６１ｃ、領域１４６１ｄ及び領域１４６１ｅは、領域１４６１ａを除いた領域である。領域１４６１ｂ及び領域１４６１ｃにおいては、金属酸化物１４３３の上面が絶縁膜１４０７と接する。領域１４６１ｄ及び領域１４６１ｅにおいては、金属酸化物１４３３の上面が絶縁膜１４０９又は絶縁膜１４０６と接する。つまり、図２６（Ｄ）に示すように、領域１４６１ｂと領域１４６１ｄの境界は、絶縁膜１４０７と絶縁膜１４０９の側面端部の境界と重なる部分である。領域１４６１ｃと領域１４６１ｅの境界についても同様である。ここで、領域１４６１ｄ及び領域１４６１ｅの一部が、金属酸化物１４３２の導電膜１４１２と重なる領域（チャネル形成領域）の一部と重なることが好ましい。例えば、領域１４６１ｄ及び領域１４６１ｅのチャネル長方向の側面端部は、導電膜１４１２の側面端部より距離ｄだけ導電膜１４１２の内側に位置することが好ましい。このとき、絶縁膜１４０６の膜厚ｔ４０６及び距離ｄは、０．２５ｔ４０６＜ｄ＜ｔ４０６を満たすことが好ましい。
【０３３６】
このように、金属酸化物１４３０の導電膜１４１２と重なる領域の一部に領域１４６１ｄ及び領域１４６１ｅが形成される。これにより、トランジスタ１４００ｆのチャネル形成領域と抵抗化された領域１４６１ｄ及び領域１４６１ｅが接し、領域１４６１ｄ及び領域１４６１ｅと、領域１４６１ａとの間に、高抵抗のオフセット領域が形成されないため、トランジスタ１４００ｆのオン電流を増大させることができる。さらに、領域１４６１ｄ及び領域１４６１ｅのチャネル長方向の側面端部が上記の範囲を満たして形成されることで、領域１４６１ｄ及び領域１４６１ｅがチャネル形成領域に対して深く形成されすぎて常に導通状態になってしまうことも防ぐことができる。
【０３３７】
領域１４６１ｂ、領域１４６１ｃ、領域１４６１ｄ及び領域１４６１ｅは、イオン注入法などのイオンドーピング処理により形成される。このため、図２６（Ｄ）に示すように、領域１４６１ｄと領域１４６１ａの境界は、金属酸化物１４３３の上面から金属酸化物１４３１の下面方向に深くなるにしたがって、領域１４６１ｄと領域１４６１ｂの境界に近づく場合がある。このときの距離ｄは、一点鎖線Ａ１−Ａ２方向において導電膜１４１２の最も内側に近い、領域１４６１ｄと領域１４６１ａの境界と、導電膜１４１２の一点鎖線Ａ１−Ａ２方向におけるＡ１側の側面端部との距離とする。同様に、領域１４６１ｅと領域１４６１ａの境界が、金属酸化物１４３３上面から金属酸化物１４３１の下面方向に深くなるにしたがって、領域１４６１ｅと領域１４６１ｃの境界に近づく場合がある。このときの距離ｄは、一点鎖線Ａ１−Ａ２方向において導電膜１４１２の最も内側に近い、領域１４６１ｅと領域１４６１ａの境界と、導電膜１４１２の一点鎖線Ａ１−Ａ２方向におけるＡ２側の側面端部との距離とする。
【０３３８】
この場合、例えば、金属酸化物１４３１中に形成される領域１４６１ｄ及び領域１４６１ｅが導電膜１４１２と重なる領域に形成されない場合がある。この場合、金属酸化物１４３１又は金属酸化物１４３２に形成される領域１４６１ｄ及び領域１４６１ｅの少なくとも一部が導電膜１４１２と重なる領域に形成されることが好ましい。
【０３３９】
また、金属酸化物１４３１、金属酸化物１４３２及び金属酸化物１４３３の絶縁膜１４０７との界面近傍に低抵抗領域１４５１及び低抵抗領域１４５２が形成されることが好ましい。低抵抗領域１４５１及び低抵抗領域１４５２は、絶縁膜１４０７に含まれる元素の少なくとも一が含まれる。低抵抗領域１４５１及び低抵抗領域１４５２の一部が、金属酸化物１４３２の導電膜１４１２と重なる領域（チャネル形成領域）と概略接するか、当該領域の一部と重なることが好ましい。
【０３４０】
また、金属酸化物１４３３は絶縁膜１４０７と接する領域が大きいため、低抵抗領域１４５１及び低抵抗領域１４５２は金属酸化物１４３３に形成されやすい。金属酸化物１４３３における低抵抗領域１４５１と低抵抗領域１４５２は、金属酸化物１４３３の低抵抗領域１４５１及び低抵抗領域１４５２ではない領域（例えば、金属酸化物１４３３の導電膜１４１２と重なる領域）より、絶縁膜１４０７に含まれる元素の濃度が高い。
【０３４１】
領域１４６１ｂ中に低抵抗領域１４５１が形成され、領域１４６１ｃ中に低抵抗領域１４５２が形成される。金属酸化物１４３０の理想的な構造は、例えば、添加元素の濃度が最も高い領域が低抵抗領域１４５１、１４５２であり、次に濃度が高い領域が、領域１４６１ｂ、領域１４６１ｃ―１４６１ｅの低抵抗領域１４５１、１４５２を含まない領域であり、濃度が最も低い領域が領域１４６１ａであることである。添加元素とは、領域１４６１ｂ、１４６１ｃを形成するためのドーパント、及び低抵抗領域１４５１、１４５２に絶縁膜１４０７から添加される元素が該当する。
【０３４２】
なおトランジスタ１４００ｆでは低抵抗領域１４５１、１４５２が形成される構成としているが、本実施の形態に示す半導体装置は、必ずしもこれに限られるものではない。例えば、領域１４６１ｂ及び領域１４６１ｃの抵抗が十分低い場合、低抵抗領域１４５１及び低抵抗領域１４５２を形成する必要はない。
【０３４３】
＜トランジスタの構成例６＞
図２７（Ａ）及び図２７（Ｂ）は、トランジスタ１６８０の上面図及び断面図である。図２７（Ａ）は上面図であり、図２７（Ａ）に示す一点鎖線Ａ−Ｂ方向の断面が図２７（Ｂ）に相当する。なお、図２７（Ａ）及び図２７（Ｂ）では、図の明瞭化のために一部の要素を拡大、縮小、又は省略して図示している。また、一点鎖線Ａ−Ｂ方向をチャネル長方向と呼称する場合がある。
【０３４４】
図２７（Ｂ）に示すトランジスタ１６８０は、第１のゲートとして機能する導電膜１６８９と、第２のゲートとして機能する導電膜１６８８と、半導体１６８２と、ソース及びドレインとして機能する導電膜１６８３及び導電膜１６８４と、絶縁膜１６８１と、絶縁膜１６８５と、絶縁膜１６８６と、絶縁膜１６８７と、を有する。
【０３４５】
導電膜１６８９は、絶縁表面上に設けられる。導電膜１６８９と、半導体１６８２とは、絶縁膜１６８１を間に挟んで、互いに重なる。また、導電膜１６８８と、半導体１６８２とは、絶縁膜１６８５、絶縁膜１６８６及び絶縁膜１６８７を間に挟んで、互いに重なる。また、導電膜１６８３及び導電膜１６８４は、半導体１６８２に、接続されている。
【０３４６】
導電膜１６８９及び導電膜１６８８の詳細は、図１９に示す導電膜１４１１乃至導電膜１４１４の記載を参照すればよい。
【０３４７】
導電膜１６８９と導電膜１６８８は、異なる電位が与えられてもよいし、同時に同じ電位が与えられてもよい。トランジスタ１６８０は、第２のゲート電極として機能する導電膜１６８８を設けることで、しきい値電圧を安定化させることが可能になる。なお、導電膜１６８８は、場合によっては省略してもよい。
【０３４８】
半導体１６８２の詳細は、図１９に示す金属酸化物１４３２の記載を参照すればよい。また、半導体１６８２は、一層でも良いし、複数の半導体層の積層でも良い。
【０３４９】
導電膜１６８３及び導電膜１６８４の詳細は、図１９に示す導電膜１４２１乃至１４２４の記載を参照すればよい。
【０３５０】
絶縁膜１６８１の詳細は、図１９に示す絶縁膜１４０６の記載を参照すればよい。
【０３５１】
なお、図２７（Ｂ）では、半導体１６８２、導電膜１６８３及び導電膜１６８４上に、順に積層された絶縁膜１６８５乃至絶縁膜１６８７が設けられている場合を例示しているが、半導体１６８２、導電膜１６８３及び導電膜１６８４上に設けられる絶縁膜は、一層でも良いし、複数の絶縁膜の積層でも良い。
【０３５２】
半導体１６８２に酸化物半導体を用いた場合、絶縁膜１６８６は、化学量論的組成以上の酸素が含まれており、加熱により上記酸素の一部を半導体１６８２に供給する機能を有する絶縁膜であることが望ましい。ただし、絶縁膜１６８６を半導体１６８２上に直接設けると、絶縁膜１６８６の形成時に半導体１６８２にダメージが与えられる場合、図２７（Ｂ）に示すように、絶縁膜１６８５を半導体１６８２と絶縁膜１６８６の間に設けると良い。絶縁膜１６８５は、その形成時に半導体１６８２に与えるダメージが絶縁膜１６８６の場合よりも小さく、なおかつ、酸素を透過する機能を有する絶縁膜であることが望ましい。ただし、半導体１６８２に与えられるダメージを小さく抑えつつ、半導体１６８２上に絶縁膜１６８６を直接形成することができるのであれば、絶縁膜１６８５は必ずしも設けなくとも良い。
【０３５３】
例えば、絶縁膜１６８５及び絶縁膜１６８６として、酸化シリコン又は酸化窒化シリコンを含む材料を用いることが好ましい。又は、酸化アルミニウム、酸化窒化アルミニウム、酸化ガリウム、酸化窒化ガリウム、酸化イットリウム、酸化窒化イットリウム、酸化ハフニウム、酸化窒化ハフニウム等の金属酸化物を用いることもできる。
【０３５４】
絶縁膜１６８７は、酸素、水素、水の拡散を防ぐブロッキング効果を有することが、望ましい。或いは、絶縁膜１６８７は、水素、水の拡散を防ぐブロッキング効果を有することが、望ましい。
【０３５５】
絶縁膜は、密度が高くて緻密である程、また未結合手が少なく化学的に安定である程、より高いブロッキング効果を示す。酸素、水素、水の拡散を防ぐブロッキング効果を示す絶縁膜は、例えば、酸化アルミニウム、酸化窒化アルミニウム、酸化ガリウム、酸化窒化ガリウム、酸化イットリウム、酸化窒化イットリウム、酸化ハフニウム、酸化窒化ハフニウム等を用いて、形成することができる。水素、水の拡散を防ぐブロッキング効果を示す絶縁膜は、例えば、窒化シリコン、窒化酸化シリコン等を用いることができる。
【０３５６】
絶縁膜１６８７が水、水素などの拡散を防ぐブロッキング効果を有する場合、パネル内の樹脂や、パネルの外部に存在する水、水素などの不純物が、半導体１６８２に侵入するのを防ぐことができる。半導体１６８２に酸化物半導体を用いる場合、酸化物半導体に侵入した水又は水素の一部は電子供与体（ドナー）となるため、上記ブロッキング効果を有する絶縁膜１６８７を用いることで、トランジスタ１６８０の閾値電圧がドナーの生成によりシフトするのを防ぐことができる。
【０３５７】
また、半導体１６８２に酸化物半導体を用いる場合、絶縁膜１６８７が酸素の拡散を防ぐブロッキング効果を有することで、酸化物半導体からの酸素が外部に拡散するのを防ぐことができる。よって、酸化物半導体中において、ドナーとなる酸素欠損が低減されるので、トランジスタ１６８０の閾値電圧がドナーの生成によりシフトするのを防ぐことができる。
【０３５８】
なお、本実施の形態は、本明細書で示す他の実施の形態と適宜組み合わせることができる。
【０３５９】
（実施の形態７）
本実施の形態では、上記実施の形態に示す半導体装置１００、半導体装置１１０、半導体装置２００、半導体装置３００（以下、まとめて半導体装置ＣＤと呼称する）に適用可能なデバイスの構成例について、図２８乃至図３１を用いて説明を行う。
【０３６０】
＜断面図１＞
図２８（Ａ）、図２８（Ｂ）は半導体装置ＣＤの断面図の一部を示している。図２８（Ａ）は、半導体装置ＣＤのメモリセルＭＣＡ［１］乃至メモリセルＭＣＡ［ｍ］、メモリセルＭＣＢ［１］乃至メモリセルＭＣＡ［ｎ］、メモリセルＭＣＣ［１］乃至メモリセルＭＣＣ［ｐ］、ダミーセルＭＣＤＡ、ダミーセルＭＣＤＢ（以下、まとめてメモリセルＭＣと呼称する）を構成するトランジスタのチャネル長方向の断面図を表している。また、図２８（Ｂ）は、半導体装置ＣＤのメモリセルＭＣを構成するトランジスタのチャネル幅方向の断面図を表している。
【０３６１】
図２８（Ａ）、図２８（Ｂ）に示す半導体装置ＣＤは、下から順に、層Ｌ１、Ｌ２、Ｌ３、Ｌ４、Ｌ５、Ｌ６、Ｌ７、Ｌ８、Ｌ９、Ｌ１０、Ｌ１１、Ｌ１２を有している。
【０３６２】
層Ｌ１は、基板１７００と、基板１７００に形成されたトランジスタＴｒＡと、素子分離層１７０１と、導電体１７１０、導電体１７１１などの複数の導電体を有する。
【０３６３】
層Ｌ２は、配線１７３０、配線１７３１などの複数の配線を有する。
【０３６４】
層Ｌ３は、導電体１７１２、導電体１７１３などの複数の導電体と、複数の配線（図示せず）を有する。
【０３６５】
層Ｌ４は、絶縁体１７０６と、トランジスタＴｒＢと、絶縁体１７０２と、絶縁体１７０３と、導電体１７１４、導電体１７１５などの複数の導電体を有する。
【０３６６】
層Ｌ５は、配線１７３２、配線１７３３などの複数の配線を有する。
【０３６７】
層Ｌ６は、導電体１７１６などの複数の導電体を有する。
【０３６８】
層Ｌ７は、トランジスタＴｒＣと、絶縁体１７０４、絶縁体１７０５と、導電体１７１７などの複数の導電体を有する。
【０３６９】
層Ｌ８は、配線１７３４、配線１７３５などの複数の配線を有する。
【０３７０】
層Ｌ９は、導電体１７１８などの複数の導電体と、複数の配線（図示せず）を有する。
【０３７１】
層Ｌ１０は、配線１７３６などの複数の配線を有する。
【０３７２】
層Ｌ１１は、容量素子Ｃ１と、導電体１７１９などの複数の導電体とを有している。また、容量素子Ｃ１は、第１の電極１７５１と、第２の電極１７５２と、絶縁体１７５３と、を有している。
【０３７３】
層Ｌ１２は、配線１７３７などの複数の配線を有している。
【０３７４】
トランジスタＴｒＢ、トランジスタＴｒＣは、実施の形態６に示したＯＳトランジスタを適用することが好ましい。図２８（Ａ）、図２８（Ｂ）は、トランジスタＴｒＢ、トランジスタＴｒＣに、図２３（Ａ）及び図２３（Ｂ）に示すトランジスタ１４００ｃを適用した例を示している。
【０３７５】
トランジスタＴｒＡは、トランジスタＴｒＢ、トランジスタＴｒＣとは異なる半導体材料で形成されることが好ましい。図２８（Ａ）、図２８（Ｂ）では、トランジスタＴｒＡにＳｉトランジスタを適用した例を示している。
【０３７６】
つまり、層ＬＹＲ１は、層Ｌ１及び層Ｌ２であることが好ましい。また、層ＬＹＲ２は、層Ｌ４乃至層Ｌ１１であることが好ましい。また、層ＬＹＲ１の容量素子ＣＡ１、容量素子ＣＡ２、容量素子ＣＢ１、容量素子ＣＢ２は、層Ｌ１及び層Ｌ２に設けず、層Ｌ１１に設ける構成としてもよい。また、層ＬＹＲ１のトランジスタＴｒ１、トランジスタＴｒ２にＯＳトランジスタを適用する場合、層Ｌ４乃至層Ｌ７に設ける構成としてもよい。
【０３７７】
基板１７００としては、シリコンや炭化シリコンからなる単結晶半導体基板、多結晶半導体基板、シリコンゲルマニウムからなる化合物半導体基板や、ＳＯＩ基板などを用いることができる。
【０３７８】
また、基板１７００として、例えば、ガラス基板、石英基板、プラスチック基板、金属基板、可撓性基板、貼り合わせフィルム、繊維状の材料を含む紙、又は基材フィルム、などを用いてもよい。また、ある基板を用いて半導体素子を形成し、その後、別の基板に半導体素子を転置してもよい。図２８（Ａ）、図２８（Ｂ）では、一例として、基板１７００に単結晶シリコンウェハを用いた例を示している。
【０３７９】
図３０（Ａ）、図３０（Ｂ）を用いて、トランジスタＴｒＡの詳細について説明を行う。図３０（Ａ）はトランジスタＴｒＡのチャネル長方向の断面図を示し、図３０（Ｂ）はトランジスタＴｒＡのチャネル幅方向の断面図を示している。トランジスタＴｒＡは、ウェル１７９２に設けられたチャネル形成領域１７９３と、低濃度不純物領域１７９４及び高濃度不純物領域１７９５（これらを合わせて単に不純物領域とも呼ぶ）と、該不純物領域に接して設けられた導電性領域１７９６と、チャネル形成領域１７９３上に設けられたゲート絶縁膜１７９７と、ゲート絶縁膜１７９７上に設けられたゲート電極１７９０と、ゲート電極１７９０の側面に設けられた側壁絶縁層１７９８、側壁絶縁層１７９９とを有する。なお、導電性領域１７９６には、金属シリサイド等を用いてもよい。
【０３８０】
図３０（Ｂ）において、トランジスタＴｒＡはチャネル形成領域１７９３が凸形状を有し、その側面及び上面に沿ってゲート絶縁膜１７９７及びゲート電極１７９０が設けられている。このような形状を有するトランジスタをＦＩＮ型トランジスタと呼ぶ。本実施の形態では、半導体基板の一部を加工して凸部を形成する場合を示したが、ＳＯＩ基板を加工して凸形状を有する半導体層を形成してもよい。
【０３８１】
なお、トランジスタＴｒＡは、ＦＩＮ型トランジスタに限定されず、図３１（Ａ）、図３１（Ｂ）に示すプレーナー型トランジスタを用いてもよい。図３１（Ａ）は、トランジスタＴｒＡのチャネル長方向の断面図を示し、図３１（Ｂ）はトランジスタＴｒＡのチャネル幅方向の断面図を示している。図３１に示す符号は、図３０に示す符号と同一である。
【０３８２】
図２８（Ａ）、図２８（Ｂ）において、絶縁体１７０２乃至絶縁体１７０６は、水素、水等に対するブロッキング効果を有することが好ましい。水、水素等は酸化物半導体中にキャリアを生成する要因の一つであるので、水素、水等に対するブロッキング層を設けることにより、トランジスタＴｒＢ及びトランジスタＴｒＣの信頼性を向上させることが可能になる。水素、水等に対するブロッキング効果を有する絶縁物には、例えば、酸化アルミニウム、酸化窒化アルミニウム、酸化ガリウム、酸化窒化ガリウム、酸化イットリウム、酸化窒化イットリウム、酸化ハフニウム、酸化窒化ハフニウム、イットリア安定化ジルコニア（ＹＳＺ）等がある。
【０３８３】
配線１７３０乃至配線１７３７、及び、導電体１７１０乃至導電体１７１９には、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）の低抵抗材料からなる単体、もしくは合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【０３８４】
図２８において、符号及びハッチングパターンが与えられていない領域は、絶縁体で構成されている。上記絶縁体には、酸化アルミニウム、窒化酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどから選ばれた一種以上の材料を含む絶縁体を用いることができる。また、当該領域には、ポリイミド樹脂、ポリアミド樹脂、アクリル樹脂、シロキサン樹脂、エポキシ樹脂、フェノール樹脂等の有機樹脂を用いることもできる。なお、本明細書において、酸化窒化物とは、窒素よりも酸素の含有量が多い化合物をいい、窒化酸化物とは、酸素よりも窒素の含有量が多い化合物をいう。
【０３８５】
実施の形態１乃至実施の形態３に示すトランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］、トランジスタＴＤＡ、トランジスタＴＤＢにＯＳトランジスタを適用した場合、トランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］、トランジスタＴＤＡ、トランジスタＴＤＢは、層Ｌ４又は層Ｌ７に形成されることが好ましい。
【０３８６】
実施の形態１乃至実施の形態３に示すトランジスタＴｒ１、トランジスタＴｒ２、トランジスタＴｒＬ１、トランジスタＴｒＬ２、トランジスタＴｒＲ１、トランジスタＴｒＲ２にＳｉトランジスタを適用した場合、トランジスタＴｒ１、トランジスタＴｒ２、トランジスタＴｒＬ１、トランジスタＴｒＬ２、トランジスタＴｒＲ１、トランジスタＴｒＲ２は層Ｌ１に形成されることが好ましい。
【０３８７】
実施の形態１乃至実施の形態３に示すトランジスタＴｒ１、トランジスタＴｒ２、トランジスタＴｒＬ１、トランジスタＴｒＬ２、トランジスタＴｒＲ１、トランジスタＴｒＲ２にＯＳトランジスタを適用した場合、トランジスタＴｒ１、トランジスタＴｒ２、トランジスタＴｒＬ１、トランジスタＴｒＬ２、トランジスタＴｒＲ１、トランジスタＴｒＲ２は層Ｌ４又は層Ｌ７に形成されることが好ましい。
【０３８８】
実施の形態１乃至実施の形態３に示す容量素子ＣＳＡ［１］乃至容量素子ＣＳＡ［ｍ］、容量素子ＣＳＢ［１］乃至容量素子ＣＳＢ［ｎ］、容量素子ＣＳＣ［１］乃至容量素子ＣＳＣ［ｐ］、容量素子ＣＳＤＡ、容量素子ＣＳＤＢは、層Ｌ１１に形成されることが好ましい。
【０３８９】
実施の形態１乃至実施の形態３に示す容量素子ＣＡ１、容量素子ＣＡ２、容量素子ＣＢ１、容量素子ＣＢ２、容量素子ＣＣ１、容量素子ＣＣ２は、層Ｌ１１に形成されることが好ましい。
【０３９０】
半導体装置ＣＤの周辺に形成される駆動回路をＯＳトランジスタで形成する場合、該ＯＳトランジスタは層Ｌ４又は層Ｌ７に形成してもよい。
【０３９１】
半導体装置ＣＤの周辺に形成される駆動回路をＳｉトランジスタで形成する場合、該Ｓｉトランジスタは層Ｌ１に形成してもよい。
【０３９２】
半導体装置ＣＤは、図２８に示す構成にすることで、占有面積を小さくし、メモリセルを高集積化することが可能になる。
【０３９３】
なお、実施の形態１乃至実施の形態３に示す半導体装置ＣＤを図２８（Ａ）、図２８（Ｂ）の構造として適用する場合、図２８（Ａ）、図２８（Ｂ）に図示しているトランジスタ（ＴｒＡ、ＴｒＢ、ＴｒＣ）の数、また容量素子（Ｃ１）の数に過不足が生じる場合がある。この場合、層Ｌ４、層Ｌ７、層Ｌ１１の数を増減する、また同じ層内で素子を追加する、などといったように図２８（Ａ）、図２８（Ｂ）の構造を適宜変更すればよい。
【０３９４】
＜断面図２＞
半導体装置ＣＤは、半導体装置ＣＤが有する全てのＯＳトランジスタを、同一の層に形成してもよい。その場合の例を、図２９（Ａ）、図２９（Ｂ）に示す。図２８と同様に、図２９（Ａ）は半導体装置ＣＤのメモリセルＭＣを構成するトランジスタのチャネル長方向の断面図を表し、図２９（Ｂ）は半導体装置ＣＤのメモリセルＭＣを構成するトランジスタのチャネル幅方向の断面図を表している。
【０３９５】
図２９（Ａ）、図２９（Ｂ）は、層Ｌ６乃至Ｌ８が省かれ、層Ｌ５の上に層Ｌ９が形成されている点で、図２８（Ａ）、図２８（Ｂ）に示す断面図と相違する。図２９（Ａ）、図２９（Ｂ）のその他の詳細は、図２８（Ａ）、図２８（Ｂ）の記載を参酌する。
【０３９６】
実施の形態１乃至実施の形態３に示すトランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］、トランジスタＴＤＡ、トランジスタＴＤＢにＯＳトランジスタを適用した場合、トランジスタＴＡ［１］乃至トランジスタＴＡ［ｍ］、トランジスタＴＢ［１］乃至トランジスタＴＢ［ｎ］、トランジスタＴＣ［１］乃至トランジスタＴＣ［ｐ］、トランジスタＴＤＡ、トランジスタＴＤＢは、層Ｌ４に形成されることが好ましい。
【０３９７】
実施の形態１乃至実施の形態３に示すトランジスタＴｒ１、トランジスタＴｒ２、トランジスタＴｒＬ１、トランジスタＴｒＬ２、トランジスタＴｒＲ１、トランジスタＴｒＲ２にＳｉトランジスタを適用した場合、トランジスタＴｒ１、トランジスタＴｒ２、トランジスタＴｒＬ１、トランジスタＴｒＬ２、トランジスタＴｒＲ１、トランジスタＴｒＲ２は層Ｌ１に形成されることが好ましい。
【０３９８】
実施の形態１乃至実施の形態３に示すトランジスタＴｒ１、トランジスタＴｒ２、トランジスタＴｒＬ１、トランジスタＴｒＬ２、トランジスタＴｒＲ１、トランジスタＴｒＲ２にＯＳトランジスタを適用した場合、トランジスタＴｒ１、トランジスタＴｒ２、トランジスタＴｒＬ１、トランジスタＴｒＬ２、トランジスタＴｒＲ１、トランジスタＴｒＲ２は層Ｌ４に形成されることが好ましい。
【０３９９】
実施の形態１乃至実施の形態３に示す容量素子ＣＳＡ［１］乃至容量素子ＣＳＡ［ｍ］、容量素子ＣＳＢ［１］乃至容量素子ＣＳＢ［ｎ］、容量素子ＣＳＣ［１］乃至容量素子ＣＳＣ［ｐ］、容量素子ＣＳＤＡ、容量素子ＣＳＤＢは、層Ｌ１１に形成されることが好ましい。
【０４００】
実施の形態１乃至実施の形態３に示す容量素子ＣＡ１、容量素子ＣＡ２、容量素子ＣＢ１、容量素子ＣＢ２、容量素子ＣＣ１、容量素子ＣＣ２は、層Ｌ１１に形成されることが好ましい。
【０４０１】
半導体装置ＣＤの周辺に形成される駆動回路をＯＳトランジスタで形成する場合、該ＯＳトランジスタは層Ｌ４に形成してもよい。
【０４０２】
半導体装置ＣＤの周辺に形成される駆動回路をＳｉトランジスタで形成する場合、該Ｓｉトランジスタは層Ｌ１に形成してもよい。
【０４０３】
半導体装置ＣＤは、図２９（Ａ）、図２９（Ｂ）に示す構成にすることで、製造工程を単純化することが可能になる。
【０４０４】
なお、実施の形態１乃至実施の形態３に示す半導体装置ＣＤを図２９（Ａ）、図２９（Ｂ）の構造として適用する場合、図２９（Ａ）、図２９（Ｂ）に図示しているトランジスタ（ＴｒＡ、ＴｒＢ、ＴｒＣ）の数、また容量素子（Ｃ１）の数に過不足が生じる場合がある。この場合、層Ｌ４、層Ｌ１１の数を増減する、また同じ層内で素子を追加する、などといったように図２９（Ａ）、図２９（Ｂ）の構造を適宜変更すればよい。
【０４０５】
なお、本実施の形態は、本明細書で示す他の実施の形態と適宜組み合わせることができる。
【０４０６】
（実施の形態８）
本実施の形態では、上記実施の形態で説明したＯＳトランジスタに適用可能な酸化物半導体膜の構造について説明する。
【０４０７】
＜酸化物半導体の構造＞
以下では、酸化物半導体の構造について説明する。
【０４０８】
酸化物半導体は、単結晶酸化物半導体と、それ以外の非単結晶酸化物半導体と、に分けられる。非単結晶酸化物半導体としては、ＣＡＡＣ−ＯＳ（ｃ−ａｘｉｓ−ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）及び非晶質酸化物半導体などがある。
【０４０９】
また別の観点では、酸化物半導体は、非晶質酸化物半導体と、それ以外の結晶性酸化物半導体と、に分けられる。結晶性酸化物半導体としては、単結晶酸化物半導体、ＣＡＡＣ−ＯＳ、多結晶酸化物半導体及びｎｃ−ＯＳなどがある。
【０４１０】
非晶質構造は、一般に、等方的であって不均質構造を持たない、準安定状態で原子の配置が固定化していない、結合角度が柔軟である、短距離秩序は有するが長距離秩序を有さない、などといわれている。
【０４１１】
即ち、安定な酸化物半導体を完全な非晶質（ｃｏｍｐｌｅｔｅｌｙ  ａｍｏｒｐｈｏｕｓ）酸化物半導体とは呼べない。また、等方的でない（例えば、微小な領域において周期構造を有する）酸化物半導体を、完全な非晶質酸化物半導体とは呼べない。一方、ａ−ｌｉｋｅ  ＯＳは、等方的でないが、鬆（ボイドともいう。）を有する不安定な構造である。不安定であるという点では、ａ−ｌｉｋｅ  ＯＳは、物性的に非晶質酸化物半導体に近い。
【０４１２】
＜ＣＡＡＣ−ＯＳ＞
まずは、ＣＡＡＣ−ＯＳについて説明する。
【０４１３】
ＣＡＡＣ−ＯＳは、ｃ軸配向した複数の結晶部（ペレットともいう。）を有する酸化物半導体の一種である。
【０４１４】
ＣＡＡＣ−ＯＳをＸ線回折（ＸＲＤ：Ｘ−Ｒａｙ  Ｄｉｆｆｒａｃｔｉｏｎ）によって解析した場合について説明する。例えば、空間群Ｒ−３ｍに分類されるＩｎＧａＺｎＯ４の結晶を有するＣＡＡＣ−ＯＳに対し、ｏｕｔ−ｏｆ−ｐｌａｎｅ法による構造解析を行うと、図３２（Ａ）に示すように回折角（２θ）が３１°近傍にピークが現れる。このピークは、ＩｎＧａＺｎＯ４の結晶の（００９）面に帰属されることから、ＣＡＡＣ−ＯＳでは、結晶がｃ軸配向性を有し、ｃ軸がＣＡＡＣ−ＯＳの膜を形成する面（被形成面ともいう。）、又は上面に略垂直な方向を向いていることが確認できる。なお、２θが３１°近傍のピークの他に、２θが３６°近傍にもピークが現れる場合がある。２θが３６°近傍のピークは、空間群Ｆｄ−３ｍに分類される結晶構造に起因する。そのため、ＣＡＡＣ−ＯＳは、該ピークを示さないことが好ましい。
【０４１５】
一方、ＣＡＡＣ−ＯＳに対し、被形成面に平行な方向からＸ線を入射させるｉｎ−ｐｌａｎｅ法による構造解析を行うと、２θが５６°近傍にピークが現れる。このピークは、ＩｎＧａＺｎＯ４の結晶の（１１０）面に帰属される。そして、２θを５６°近傍に固定し、試料面の法線ベクトルを軸（φ軸）として試料を回転させながら分析（φスキャン）を行っても、図３２（Ｂ）に示すように明瞭なピークは現れない。一方、単結晶ＩｎＧａＺｎＯ４に対し、２θを５６°近傍に固定してφスキャンした場合、図３２（Ｃ）に示すように（１１０）面と等価な結晶面に帰属されるピークが６本観察される。したがって、ＸＲＤを用いた構造解析から、ＣＡＡＣ−ＯＳは、ａ軸及びｂ軸の配向が不規則であることが確認できる。
【０４１６】
次に、電子回折によって解析したＣＡＡＣ−ＯＳについて説明する。例えば、ＩｎＧａＺｎＯ４の結晶を有するＣＡＡＣ−ＯＳに対し、ＣＡＡＣ−ＯＳの被形成面に平行にプローブ径が３００ｎｍの電子線を入射させると、図３２（Ｄ）に示すような回折パターン（制限視野電子回折パターンともいう。）が現れる場合がある。この回折パターンには、ＩｎＧａＺｎＯ４の結晶の（００９）面に起因するスポットが含まれる。したがって、電子回折によっても、ＣＡＡＣ−ＯＳに含まれるペレットがｃ軸配向性を有し、ｃ軸が被形成面又は上面に略垂直な方向を向いていることがわかる。一方、同じ試料に対し、試料面に垂直にプローブ径が３００ｎｍの電子線を入射させたときの回折パターンを図３２（Ｅ）に示す。図３２（Ｅ）より、リング状の回折パターンが確認される。したがって、プローブ径が３００ｎｍの電子線を用いた電子回折によっても、ＣＡＡＣ−ＯＳに含まれるペレットのａ軸及びｂ軸は配向性を有さないことがわかる。なお、図３２（Ｅ）における第１リングは、ＩｎＧａＺｎＯ４の結晶の（０１０）面及び（１００）面などに起因すると考えられる。また、図３２（Ｅ）における第２リングは（１１０）面などに起因すると考えられる。
【０４１７】
また、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）によって、ＣＡＡＣ−ＯＳの明視野像と回折パターンとの複合解析像（高分解能ＴＥＭ像ともいう。）を観察すると、複数のペレットを確認することができる。一方、高分解能ＴＥＭ像であってもペレット同士の境界、即ち結晶粒界（グレインバウンダリーともいう。）を明確に確認することができない場合がある。そのため、ＣＡＡＣ−ＯＳは、結晶粒界に起因する電子移動度の低下が起こりにくいといえる。
【０４１８】
図３３（Ａ）に、試料面と略平行な方向から観察したＣＡＡＣ−ＯＳの断面の高分解能ＴＥＭ像を示す。高分解能ＴＥＭ像の観察には、球面収差補正（Ｓｐｈｅｒｉｃａｌ  Ａｂｅｒｒａｔｉｏｎ  Ｃｏｒｒｅｃｔｏｒ）機能を用いた。球面収差補正機能を用いた高分解能ＴＥＭ像を、特にＣｓ補正高分解能ＴＥＭ像と呼ぶ。Ｃｓ補正高分解能ＴＥＭ像は、例えば、日本電子株式会社製原子分解能分析電子顕微鏡ＪＥＭ−ＡＲＭ２００Ｆなどによって観察することができる。
【０４１９】
図３３（Ａ）より、金属原子が層状に配列している領域であるペレットを確認することができる。ペレット一つの大きさは１ｎｍ以上のものや、３ｎｍ以上のものがあることがわかる。したがって、ペレットを、ナノ結晶（ｎｃ：ｎａｎｏｃｒｙｓｔａｌ）と呼ぶこともできる。また、ＣＡＡＣ−ＯＳを、ＣＡＮＣ（Ｃ−Ａｘｉｓ  Ａｌｉｇｎｅｄ  ｎａｎｏｃｒｙｓｔａｌｓ）を有する酸化物半導体と呼ぶこともできる。ペレットは、ＣＡＡＣ−ＯＳの被形成面又は上面の凹凸を反映しており、ＣＡＡＣ−ＯＳの被形成面又は上面と平行となる。
【０４２０】
また、図３３（Ｂ）及び図３３（Ｃ）に、試料面と略垂直な方向から観察したＣＡＡＣ−ＯＳの平面のＣｓ補正高分解能ＴＥＭ像を示す。図３３（Ｄ）及び図３３（Ｅ）は、それぞれ図３３（Ｂ）及び図３３（Ｃ）を画像処理した像である。以下では、画像処理の方法について説明する。まず、図３３（Ｂ）を高速フーリエ変換（ＦＦＴ：Ｆａｓｔ  Ｆｏｕｒｉｅｒ  Ｔｒａｎｓｆｏｒｍ）処理することでＦＦＴ像を取得する。次に、取得したＦＦＴ像において原点を基準に、２．８ｎｍ−１から５．０ｎｍ−１の間の範囲を残すマスク処理する。次に、マスク処理したＦＦＴ像を、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理することで画像処理した像を取得する。こうして取得した像をＦＦＴフィルタリング像と呼ぶ。ＦＦＴフィルタリング像は、Ｃｓ補正高分解能ＴＥＭ像から周期成分を抜き出した像であり、格子配列を示している。
【０４２１】
図３３（Ｄ）では、格子配列の乱れた箇所を破線で示している。破線で囲まれた領域が、一つのペレットである。そして、破線で示した箇所がペレットとペレットとの連結部である。破線は、六角形状であるため、ペレットが六角形状であることがわかる。なお、ペレットの形状は、正六角形状とは限らず、非正六角形状である場合が多い。
【０４２２】
図３３（Ｅ）では、格子配列の揃った領域と、別の格子配列の揃った領域と、の間を点線で示し、格子配列の向きを破線で示している。点線近傍においても、明確な結晶粒界を確認することはできない。点線近傍の格子点を中心に周囲の格子点を繋ぐと、歪んだ六角形や、五角形又は／及び七角形などが形成できる。即ち、格子配列を歪ませることによって結晶粒界の形成を抑制していることがわかる。これは、ＣＡＡＣ−ＯＳが、ａ−ｂ面方向において原子間の結合距離が稠密でないことや、金属元素が置換することで原子間の結合距離が変化することなどによって、歪みを許容することができるためと考えられる。
【０４２３】
以上に示すように、ＣＡＡＣ−ＯＳは、ｃ軸配向性を有し、かつａ−ｂ面方向において複数のペレット（ナノ結晶）が連結し、歪みを有した結晶構造となっている。よって、ＣＡＡＣ−ＯＳを、ＣＡＡ  ｃｒｙｓｔａｌ（ｃ−ａｘｉｓ−ａｌｉｇｎｅｄ  ａ−ｂ−ｐｌａｎｅ−ａｎｃｈｏｒｅｄ  ｃｒｙｓｔａｌ）を有する酸化物半導体と称することもできる。
【０４２４】
ＣＡＡＣ−ＯＳは結晶性の高い酸化物半導体である。酸化物半導体の結晶性は不純物の混入や欠陥の生成などによって低下する場合があるため、逆の見方をするとＣＡＡＣ−ＯＳは不純物や欠陥（酸素欠損など）の少ない酸化物半導体ともいえる。
【０４２５】
なお、不純物は、酸化物半導体の主成分以外の元素で、水素、炭素、シリコン、遷移金属元素などがある。例えば、シリコンなどの、酸化物半導体を構成する金属元素よりも酸素との結合力の強い元素は、酸化物半導体から酸素を奪うことで酸化物半導体の原子配列を乱し、結晶性を低下させる要因となる。また、鉄やニッケルなどの重金属、アルゴン、二酸化炭素などは、原子半径（又は分子半径）が大きいため、酸化物半導体の原子配列を乱し、結晶性を低下させる要因となる。
【０４２６】
＜ｎｃ−ＯＳ＞
次に、ｎｃ−ＯＳについて説明する。
【０４２７】
ｎｃ−ＯＳをＸＲＤによって解析した場合について説明する。例えば、ｎｃ−ＯＳに対し、ｏｕｔ−ｏｆ−ｐｌａｎｅ法による構造解析を行うと、配向性を示すピークが現れない。即ち、ｎｃ−ＯＳの結晶は配向性を有さない。
【０４２８】
また、例えば、ＩｎＧａＺｎＯ４の結晶を有するｎｃ−ＯＳを薄片化し、厚さが３４ｎｍの領域に対し、被形成面に平行にプローブ径が５０ｎｍの電子線を入射させると、図３４（Ａ）に示すようなリング状の回折パターン（ナノビーム電子回折パターン）が観測される。また、同じ試料にプローブ径が１ｎｍの電子線を入射させたときの回折パターン（ナノビーム電子回折パターン）を図３４（Ｂ）に示す。図３４（Ｂ）より、リング状の領域内に複数のスポットが観測される。したがって、ｎｃ−ＯＳは、プローブ径が５０ｎｍの電子線を入射させることでは秩序性が確認されないが、プローブ径が１ｎｍの電子線を入射させることでは秩序性が確認される。
【０４２９】
また、厚さが１０ｎｍ未満の領域に対し、プローブ径が１ｎｍの電子線を入射させると、図３４（Ｃ）に示すように、スポットが略正六角状に配置された電子回折パターンが観測される場合がある。したがって、厚さが１０ｎｍ未満の範囲において、ｎｃ−ＯＳが秩序性の高い領域、即ち結晶を有することがわかる。なお、結晶が様々な方向を向いているため、規則的な電子回折パターンが観測されない領域もある。
【０４３０】
図３４（Ｄ）に、被形成面と略平行な方向から観察したｎｃ−ＯＳの断面のＣｓ補正高分解能ＴＥＭ像を示す。ｎｃ−ＯＳは、高分解能ＴＥＭ像において、補助線で示す箇所などのように結晶部を確認することのできる領域と、明確な結晶部を確認することのできない領域と、を有する。ｎｃ−ＯＳに含まれる結晶部は、１ｎｍ以上１０ｎｍ以下の大きさであり、特に１ｎｍ以上３ｎｍ以下の大きさであることが多い。なお、結晶部の大きさが１０ｎｍより大きく１００ｎｍ以下である酸化物半導体を微結晶酸化物半導体（ｍｉｃｒｏ  ｃｒｙｓｔａｌｌｉｎｅ  ｏｘｉｄｅ  ｓｅｍｉｃｏｎｄｕｃｔｏｒ）と呼ぶことがある。ｎｃ−ＯＳは、例えば、高分解能ＴＥＭ像では、結晶粒界を明確に確認できない場合がある。なお、ナノ結晶は、ＣＡＡＣ−ＯＳにおけるペレットと起源を同じくする可能性がある。そのため、以下ではｎｃ−ＯＳの結晶部をペレットと呼ぶ場合がある。
【０４３１】
このように、ｎｃ−ＯＳは、微小な領域（例えば、１ｎｍ以上１０ｎｍ以下の領域、特に１ｎｍ以上３ｎｍ以下の領域）において原子配列に周期性を有する。また、ｎｃ−ＯＳは、異なるペレット間で結晶方位に規則性が見られない。そのため、膜全体で配向性が見られない。したがって、ｎｃ−ＯＳは、分析方法によっては、ａ−ｌｉｋｅ  ＯＳや非晶質酸化物半導体と区別が付かない場合がある。
【０４３２】
なお、ペレット（ナノ結晶）間で結晶方位が規則性を有さないことから、ｎｃ−ＯＳを、ＲＡＮＣ（Ｒａｎｄｏｍ  Ａｌｉｇｎｅｄ  ｎａｎｏｃｒｙｓｔａｌｓ）を有する酸化物半導体、又はＮＡＮＣ（Ｎｏｎ−Ａｌｉｇｎｅｄ  ｎａｎｏｃｒｙｓｔａｌｓ）を有する酸化物半導体と呼ぶこともできる。
【０４３３】
ｎｃ−ＯＳは、非晶質酸化物半導体よりも規則性の高い酸化物半導体である。そのため、ｎｃ−ＯＳは、ａ−ｌｉｋｅ  ＯＳや非晶質酸化物半導体よりも欠陥準位密度が低くなる。ただし、ｎｃ−ＯＳは、異なるペレット間で結晶方位に規則性が見られない。そのため、ｎｃ−ＯＳは、ＣＡＡＣ−ＯＳと比べて欠陥準位密度が高くなる。
【０４３４】
＜ａ−ｌｉｋｅ  ＯＳ＞
ａ−ｌｉｋｅ  ＯＳは、ｎｃ−ＯＳと非晶質酸化物半導体との間の構造を有する酸化物半導体である。
【０４３５】
図３５に、ａ−ｌｉｋｅ  ＯＳの高分解能断面ＴＥＭ像を示す。ここで、図３５（Ａ）は電子照射開始時におけるａ−ｌｉｋｅ  ＯＳの高分解能断面ＴＥＭ像である。図３５（Ｂ）は４．３×１０８ｅ−／ｎｍ２の電子（ｅ−）照射後におけるａ−ｌｉｋｅ  ＯＳの高分解能断面ＴＥＭ像である。図３５（Ａ）及び図３５（Ｂ）より、ａ−ｌｉｋｅ  ＯＳは電子照射開始時から、縦方向に延伸する縞状の明領域が観察されることがわかる。また、明領域は、電子照射後に形状が変化することがわかる。なお、明領域は、鬆又は低密度領域と推測される。
【０４３６】
鬆を有するため、ａ−ｌｉｋｅ  ＯＳは、不安定な構造である。以下では、ａ−ｌｉｋｅ  ＯＳが、ＣＡＡＣ−ＯＳ及びｎｃ−ＯＳと比べて不安定な構造であることを示すため、電子照射による構造の変化を示す。
【０４３７】
試料として、ａ−ｌｉｋｅ  ＯＳ、ｎｃ−ＯＳ及びＣＡＡＣ−ＯＳを準備する。いずれの試料もＩｎ−Ｇａ−Ｚｎ酸化物である。
【０４３８】
まず、各試料の高分解能断面ＴＥＭ像を取得する。高分解能断面ＴＥＭ像により、各試料は、いずれも結晶部を有する。
【０４３９】
なお、ＩｎＧａＺｎＯ４の結晶の単位格子は、Ｉｎ−Ｏ層を３層有し、またＧａ−Ｚｎ−Ｏ層を６層有する、計９層がｃ軸方向に層状に重なった構造を有することが知られている。これらの近接する層同士の間隔は、（００９）面の格子面間隔（ｄ値ともいう。）と同程度であり、結晶構造解析からその値は０．２９ｎｍと求められている。したがって、以下では、格子縞の間隔が０．２８ｎｍ以上０．３０ｎｍ以下である箇所を、ＩｎＧａＺｎＯ４の結晶部と見なした。なお、格子縞は、ＩｎＧａＺｎＯ４の結晶のａ−ｂ面に対応する。
【０４４０】
図３６は、各試料の結晶部（２２箇所から３０箇所）の平均の大きさを調査した例である。なお、上述した格子縞の長さを結晶部の大きさとしている。図３６より、ａ−ｌｉｋｅ  ＯＳは、ＴＥＭ像の取得などに係る電子の累積照射量に応じて結晶部が大きくなっていくことがわかる。図３６より、ＴＥＭによる観察初期においては１．２ｎｍ程度の大きさだった結晶部（初期核ともいう。）が、電子（ｅ−）の累積照射量が４．２×１０８ｅ−／ｎｍ２においては１．９ｎｍ程度の大きさまで成長していることがわかる。一方、ｎｃ−ＯＳ及びＣＡＡＣ−ＯＳは、電子照射開始時から電子の累積照射量が４．２×１０８ｅ−／ｎｍ２までの範囲で、結晶部の大きさに変化が見られないことがわかる。図３６より、電子の累積照射量によらず、ｎｃ−ＯＳ及びＣＡＡＣ−ＯＳの結晶部の大きさは、それぞれ１．３ｎｍ程度及び１．８ｎｍ程度であることがわかる。なお、電子線照射及びＴＥＭの観察は、日立透過電子顕微鏡Ｈ−９０００ＮＡＲを用いた。電子線照射条件は、加速電圧を３００ｋＶ、電流密度を６．７×１０５ｅ−／（ｎｍ２・ｓ）、照射領域の直径を２３０ｎｍとした。
【０４４１】
このように、ａ−ｌｉｋｅ  ＯＳは、電子照射によって結晶部の成長が見られる場合がある。一方、ｎｃ−ＯＳ及びＣＡＡＣ−ＯＳは、電子照射による結晶部の成長がほとんど見られない。即ち、ａ−ｌｉｋｅ  ＯＳは、ｎｃ−ＯＳ及びＣＡＡＣ−ＯＳと比べて、不安定な構造であることがわかる。
【０４４２】
また、鬆を有するため、ａ−ｌｉｋｅ  ＯＳは、ｎｃ−ＯＳ及びＣＡＡＣ−ＯＳと比べて密度の低い構造である。具体的には、ａ−ｌｉｋｅ  ＯＳの密度は、同じ組成の単結晶の密度の７８．６％以上９２．３％未満となる。また、ｎｃ−ＯＳの密度及びＣＡＡＣ−ＯＳの密度は、同じ組成の単結晶の密度の９２．３％以上１００％未満となる。単結晶の密度の７８％未満となる酸化物半導体は、成膜すること自体が困難である。
【０４４３】
例えば、Ｉｎ：Ｇａ：Ｚｎ＝１：１：１［原子数比］を満たす酸化物半導体において、菱面体晶構造を有する単結晶ＩｎＧａＺｎＯ４の密度は６．３５７ｇ／ｃｍ３となる。よって、例えば、Ｉｎ：Ｇａ：Ｚｎ＝１：１：１［原子数比］を満たす酸化物半導体において、ａ−ｌｉｋｅ  ＯＳの密度は５．０ｇ／ｃｍ３以上５．９ｇ／ｃｍ３未満となる。また、例えば、Ｉｎ：Ｇａ：Ｚｎ＝１：１：１［原子数比］を満たす酸化物半導体において、ｎｃ−ＯＳの密度及びＣＡＡＣ−ＯＳの密度は５．９ｇ／ｃｍ３以上６．３ｇ／ｃｍ３未満となる。
【０４４４】
なお、同じ組成の単結晶が存在しない場合、任意の割合で組成の異なる単結晶を組み合わせることにより、所望の組成における単結晶に相当する密度を見積もることができる。所望の組成の単結晶に相当する密度は、組成の異なる単結晶を組み合わせる割合に対して、加重平均を用いて見積もればよい。ただし、密度は、可能な限り少ない種類の単結晶を組み合わせて見積もることが好ましい。
【０４４５】
以上のように、酸化物半導体は、様々な構造をとり、それぞれが様々な特性を有する。なお、酸化物半導体は、例えば、非晶質酸化物半導体、ａ−ｌｉｋｅ  ＯＳ、ｎｃ−ＯＳ、ＣＡＡＣ−ＯＳのうち、二種以上を有する積層膜であってもよい。
【０４４６】
＜酸化物半導体のキャリア密度＞
次に、酸化物半導体のキャリア密度について、以下に説明を行う。
【０４４７】
酸化物半導体のキャリア密度に影響を与える因子としては、酸化物半導体中の酸素欠損（ＶＯ）、または酸化物半導体中の不純物などが挙げられる。
【０４４８】
酸化物半導体中の酸素欠損が多くなると、該酸素欠損に水素が結合（この状態をＶＯＨともいう）した際に、欠陥準位密度が高くなる。または、酸化物半導体中の不純物が多くなると、該不純物に起因し欠陥準位密度が高くなる。したがって、酸化物半導体中の欠陥準位密度を制御することで、酸化物半導体のキャリア密度を制御することができる。
【０４４９】
ここで、酸化物半導体をチャネル領域に用いるトランジスタを考える。
【０４５０】
トランジスタのしきい値電圧のマイナスシフトの抑制、またはトランジスタのオフ電流の低減を目的とする場合においては、酸化物半導体のキャリア密度を低くする方が好ましい。酸化物半導体のキャリア密度を低くする場合においては、酸化物半導体中の不純物濃度を低くし、欠陥準位密度を低くすればよい。本明細書等において、不純物濃度が低く、欠陥準位密度の低いことを高純度真性または実質的に高純度真性と言う。高純度真性の酸化物半導体のキャリア密度としては、８×１０１５ｃｍ−３未満、好ましくは１×１０１１ｃｍ−３未満、さらに好ましくは１×１０１０ｃｍ−３未満であり、１×１０−９ｃｍ−３以上とすればよい。
【０４５１】
一方で、トランジスタのオン電流の向上、またはトランジスタの電界効果移動度の向上を目的とする場合においては、酸化物半導体のキャリア密度を高くする方が好ましい。酸化物半導体のキャリア密度を高くする場合においては、酸化物半導体の不純物濃度をわずかに高める、または酸化物半導体の欠陥準位密度をわずかに高めればよい。あるいは、酸化物半導体のバンドギャップをより小さくするとよい。例えば、トランジスタのＩｄ−Ｖｇ特性のオン／オフ比が取れる範囲において、不純物濃度がわずかに高い、または欠陥準位密度がわずかに高い酸化物半導体は、実質的に真性とみなせる。また、電子親和力が大きく、それにともなってバンドギャップが小さくなり、その結果、熱励起された電子（キャリア）の密度が増加した酸化物半導体は、実質的に真性とみなせる。なお、より電子親和力が大きな酸化物半導体を用いた場合には、トランジスタのしきい値電圧がより低くなる。
【０４５２】
上述のキャリア密度が高められた酸化物半導体は、わずかにｎ型化している。したがって、キャリア密度が高められた酸化物半導体を、「Ｓｌｉｇｈｔｌｙ−ｎ」と呼称してもよい。
【０４５３】
実質的に真性の酸化物半導体のキャリア密度は、１×１０５ｃｍ−３以上１×１０１８ｃｍ−３未満が好ましく、１×１０７ｃｍ−３以上１×１０１７ｃｍ−３以下がより好ましく、１×１０９ｃｍ−３以上５×１０１６ｃｍ−３以下がさらに好ましく、１×１０１０ｃｍ−３以上１×１０１６ｃｍ−３以下がさらに好ましく、１×１０１１ｃｍ−３以上１×１０１５ｃｍ−３以下がさらに好ましい。
【０４５４】
なお、本実施の形態は、本明細書で示す他の実施の形態と適宜組み合わせることができる。
【０４５５】
（実施の形態９）
本実施の形態では、上述の実施の形態で説明した半導体装置を電子部品に適用する例、及び該電子部品を具備する電子機器に適用する例について、図３７、図３８を用いて説明する。
【０４５６】
＜電子部品＞
図３７（Ａ）では上述の実施の形態で説明し半導体装置を電子部品に適用する例について説明する。なお電子部品は、半導体パッケージ、又はＩＣ用パッケージともいう。この電子部品は、端子取り出し方向や、端子の形状に応じて、複数の規格や名称が存在する。そこで、本実施の形態では、その一例について説明することにする。
【０４５７】
上記実施の形態１に示すようなトランジスタで構成される半導体装置は、組み立て工程（後工程）を経て、プリント基板に脱着可能な部品が複数合わさることで完成する。
【０４５８】
後工程については、図３７（Ａ）に示す各工程を経ることで完成させることができる。具体的には、前工程で得られる素子基板が完成（ステップＳ１）した後、基板の裏面を研削する（ステップＳ２）。この段階で基板を薄膜化することで、前工程での基板の反り等を低減し、部品としての小型化を図るためである。
【０４５９】
基板の裏面を研削して、基板を複数のチップに分離するダイシング工程を行う。そして、分離したチップを個々にピックアップしてリードフレーム上に搭載し接合する、ダイボンディング工程を行う（ステップＳ３）。このダイボンディング工程におけるチップとリードフレームとの接着は、樹脂による接着や、テープによる接着等、適宜製品に応じて適した方法を選択する。なお、ダイボンディング工程は、インターポーザ上に搭載し接合してもよい。
【０４６０】
なお、本実施の形態において、基板の一方の面に素子が形成されていたとき、基板の一方の面を表面とし、該基板の他方の面（該基板の素子が形成されていない側の面）を裏面とする。
【０４６１】
次いでリードフレームのリードとチップ上の電極とを、金属の細線（ワイヤー）で電気的に接続する、ワイヤーボンディングを行う（ステップＳ４）。金属の細線には、銀線や金線を用いることができる。また、ワイヤーボンディングは、ボールボンディングや、ウェッジボンディングを用いることができる。
【０４６２】
ワイヤーボンディングされたチップは、エポキシ樹脂等で封止される、モールド工程が施される（ステップＳ５）。モールド工程を行うことで電子部品の内部が樹脂で充填され、機械的な外力による内蔵される回路部やワイヤーに対するダメージを低減することができ、また水分や埃による特性の劣化を低減することができる。
【０４６３】
次いでリードフレームのリードをメッキ処理する。そしてリードを切断及び成形加工する（ステップＳ６）。このめっき処理によりリードの錆を防止し、後にプリント基板に実装する際のはんだ付けをより確実に行うことができる。
【０４６４】
次いでパッケージの表面に印字処理（マーキング）を施す（ステップＳ７）。そして最終的な検査工程（ステップＳ８）を経て電子部品が完成する（ステップＳ９）。
【０４６５】
以上説明した電子部品は、上述の実施の形態で説明した半導体装置を含む構成とすることができる。そのため、信頼性に優れた電子部品を実現することができる。
【０４６６】
また、完成した電子部品の斜視模式図を図３７（Ｂ）に示す。図３７（Ｂ）では、電子部品の一例として、ＱＦＰ（Ｑｕａｄ  Ｆｌａｔ  Ｐａｃｋａｇｅ）の斜視模式図を示している。図３７（Ｂ）に示す電子部品４７００は、リード４７０１及び回路部４７０３を示している。図３７（Ｂ）に示す電子部品４７００は、例えばプリント基板４７０２に実装される。このような電子部品４７００が複数組み合わされて、それぞれがプリント基板４７０２上で電気的に接続されることで電子機器の内部に搭載することができる。完成した回路基板４７０４は、電子機器等の内部に設けられる。
【０４６７】
＜電子機器＞
次に上述した電子部品を適用した電子機器について説明する。
【０４６８】
本発明の一態様に係る半導体装置は、表示機器、パーソナルコンピュータ、記録媒体を備えた画像再生装置（代表的にはＤＶＤ：Ｄｉｇｉｔａｌ  Ｖｅｒｓａｔｉｌｅ  Ｄｉｓｃ等の記録媒体を再生し、その画像を表示しうるディスプレイを有する装置）に用いることができる。その他に、本発明の一態様に係る半導体装置を用いることができる電子機器として、携帯電話、携帯型を含むゲーム機、携帯情報端末、電子書籍端末、ビデオカメラ、デジタルスチルカメラ等のカメラ、ゴーグル型ディスプレイ（ヘッドマウントディスプレイ）、ナビゲーションシステム、音響再生装置（カーオーディオ、デジタルオーディオプレイヤー等）、複写機、ファクシミリ、プリンタ、プリンタ複合機、現金自動預け入れ払い機（ＡＴＭ）、自動販売機、医療機器などが挙げられる。これら電子機器の具体例を図３８に示す。
【０４６９】
図３８（Ａ）は携帯型ゲーム機であり、筐体５２０１、筐体５２０２、表示部５２０３、表示部５２０４、マイクロホン５２０５、スピーカー５２０６、操作キー５２０７、スタイラス５２０８等を有する。本発明の一態様にかかる半導体装置は、携帯型ゲーム機の各種集積回路に用いることができる。なお、図３８（Ａ）に示した携帯型ゲーム機は、２つの表示部５２０３と表示部５２０４とを有しているが、携帯型ゲーム機が有する表示部の数は、これに限定されない。
【０４７０】
図３８（Ｂ）は携帯情報端末であり、第１筐体５６０１、第２筐体５６０２、第１表示部５６０３、第２表示部５６０４、接続部５６０５、操作キー５６０６等を有する。本発明の一態様にかかる半導体装置は、携帯情報端末の各種集積回路に用いることができる。第１表示部５６０３は第１筐体５６０１に設けられており、第２表示部５６０４は第２筐体５６０２に設けられている。そして、第１筐体５６０１と第２筐体５６０２とは、接続部５６０５により接続されており、第１筐体５６０１と第２筐体５６０２の間の角度は、接続部５６０５により変更が可能である。第１表示部５６０３における映像を、接続部５６０５における第１筐体５６０１と第２筐体５６０２との間の角度に従って、切り替える構成としても良い。また、第１表示部５６０３及び第２表示部５６０４の少なくとも一方に、位置入力装置としての機能が付加された表示装置を用いるようにしても良い。なお、位置入力装置としての機能は、表示装置にタッチパネルを設けることで付加することができる。或いは、位置入力装置としての機能は、フォトセンサとも呼ばれる光電変換素子を表示装置の画素部に設けることでも、付加することができる。
【０４７１】
図３８（Ｃ）はノート型パーソナルコンピュータであり、筐体５４０１、表示部５４０２、キーボード５４０３、ポインティングデバイス５４０４等を有する。本発明の一態様にかかる半導体装置は、ノート型パーソナルコンピュータの各種集積回路に用いることができる。
【０４７２】
図３８（Ｄ）は電気冷凍冷蔵庫であり、筐体５３０１、冷蔵室用扉５３０２、冷凍室用扉５３０３等を有する。本発明の一態様にかかる半導体装置は、電気冷凍冷蔵庫の各種集積回路に用いることができる。
【０４７３】
図３８（Ｅ）はビデオカメラであり、第１筐体５８０１、第２筐体５８０２、表示部５８０３、操作キー５８０４、レンズ５８０５、接続部５８０６等を有する。本発明の一態様にかかる半導体装置は、ビデオカメラの各種集積回路に用いることができる。操作キー５８０４及びレンズ５８０５は第１筐体５８０１に設けられており、表示部５８０３は第２筐体５８０２に設けられている。そして、第１筐体５８０１と第２筐体５８０２とは、接続部５８０６により接続されており、第１筐体５８０１と第２筐体５８０２の間の角度は、接続部５８０６により変更が可能である。表示部５８０３における映像を、接続部５８０６における第１筐体５８０１と第２筐体５８０２との間の角度に従って切り替える構成としてもよい。
【０４７４】
図３８（Ｆ）は乗用車であり、車体５７０１、車輪５７０２、ダッシュボード５７０３、ライト５７０４等を有する。本発明の一態様にかかる半導体装置は、乗用車の各種集積回路に用いることができる。
【０４７５】
次に、本発明の一態様の半導体装置又は記憶装置を備えることができる表示装置の使用例について説明する。一例としては、表示装置は、画素を有する。画素は、例えば、トランジスタや表示素子を有する。又は、表示装置は、画素を駆動する駆動回路を有する。駆動回路は、例えば、トランジスタを有する。例えば、これらのトランジスタとして、他の実施の形態で述べたトランジスタを採用することができる。
【０４７６】
例えば、本明細書等において、表示素子、表示素子を有する装置である表示装置、発光素子、及び発光素子を有する装置である発光装置は、様々な形態を用いること、又は様々な素子を有することが出来る。表示素子、表示装置、発光素子又は発光装置は、例えば、ＥＬ（エレクトロルミネッセンス）素子（有機物及び無機物を含むＥＬ素子、有機ＥＬ素子、無機ＥＬ素子）、ＬＥＤチップ（白色ＬＥＤチップ、赤色ＬＥＤチップ、緑色ＬＥＤチップ、青色ＬＥＤチップなど）、トランジスタ（電流に応じて発光するトランジスタ）、プラズマディスプレイ（ＰＤＰ）、電子放出素子、カーボンナノチューブを用いた表示素子、液晶素子、電子インク、エレクトロウェッティング素子、電気泳動素子、ＭＥＭＳ（マイクロ・エレクトロ・メカニカル・システム）を用いた表示素子（例えば、グレーティングライトバルブ（ＧＬＶ）、デジタルマイクロミラーデバイス（ＤＭＤ）、ＤＭＳ（デジタル・マイクロ・シャッター）、ＭＩＲＡＳＯＬ（登録商標）、ＩＭＯＤ（インターフェアレンス・モジュレーション）素子、シャッター方式のＭＥＭＳ表示素子、光干渉方式のＭＥＭＳ表示素子、圧電セラミックディスプレイなど）、又は、量子ドットなどの少なくとも一つを有している。これらの他にも、表示素子、表示装置、発光素子又は発光装置は、電気的又は磁気的作用により、コントラスト、輝度、反射率、透過率などが変化する表示媒体を有していてもよい。ＥＬ素子を用いた表示装置の一例としては、ＥＬディスプレイなどがある。電子放出素子を用いた表示装置の一例としては、フィールドエミッションディスプレイ（ＦＥＤ）又はＳＥＤ方式平面型ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などがある。液晶素子を用いた表示装置の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク、電子粉流体（登録商標）、又は電気泳動素子を用いた表示装置の一例としては、電子ペーパーなどがある。量子ドットを各画素に用いた表示装置の一例としては、量子ドットディスプレイなどがある。なお、量子ドットは、表示素子としてではなく、バックライトの一部に設けてもよい。量子ドットを用いることにより、色純度の高い表示を行うことができる。なお、半透過型液晶ディスプレイや反射型液晶ディスプレイを実現する場合には、画素電極の一部、又は、全部が、反射電極としての機能を有するようにすればよい。例えば、画素電極の一部、又は、全部が、アルミニウム、銀、などを有するようにすればよい。さらに、その場合、反射電極の下に、ＳＲＡＭなどの記憶回路を設けることも可能である。これにより、さらに、消費電力を低減することができる。なお、ＬＥＤチップを用いる場合、ＬＥＤチップの電極や窒化物半導体の下に、グラフェンやグラファイトを配置してもよい。グラフェンやグラファイトは、複数の層を重ねて、多層膜としてもよい。このように、グラフェンやグラファイトを設けることにより、その上に、窒化物半導体、例えば、結晶を有するｎ型ＧａＮ半導体層などを容��に成膜することができる。さらに、その上に、結晶を有するｐ型ＧａＮ半導体層などを設けて、ＬＥＤチップを構成することができる。なお、グラフェンやグラファイトと、結晶を有するｎ型ＧａＮ半導体層との間に、ＡｌＮ層を設けてもよい。なお、ＬＥＤチップが有するＧａＮ半導体層は、ＭＯＣＶＤで成膜してもよい。ただし、グラフェンを設けることにより、ＬＥＤチップが有するＧａＮ半導体層は、スパッタ法で成膜することも可能である。また、ＭＥＭＳ（マイクロ・エレクトロ・メカニカル・システム）を用いた表示素子においては、表示素子が封止されている空間（例えば、表示素子が配置されている素子基板と、素子基板に対向して配置されている対向基板との間）に、乾燥剤を配置してもよい。乾燥剤を配置することにより、ＭＥＭＳなどが水分によって動きにくくなることや、劣化しやすくなることを防止することができる。
【０４７７】
なお、本実施の形態は、本明細書で示す他の実施の形態と適宜組み合わせることができる。
【０４７８】
（実施の形態１０）
本実施の形態では、本発明の一態様の記憶装置を備えることができるＲＦタグの使用例について図３９を用いながら説明する。ＲＦタグの用途は広範にわたるが、例えば、紙幣、硬貨、有価証券類、無記名債券類、証書類（運転免許証や住民票等、図３９（Ａ）参照）、記録媒体（ＤＶＤやビデオテープ等、図３９（Ｂ）参照）、包装用容器類（包装紙やボトル等、図３９（Ｃ）参照）、乗り物類（自転車等、図３９（Ｄ）参照）、身の回り品（鞄や眼鏡等）、食品類、植物類、動物類、人体、衣類、生活用品類、薬品や薬剤を含む医療品、又は電子機器（液晶表示装置、ＥＬ表示装置、テレビジョン装置、又は携帯電話）等の物品、若しくは各物品に取り付ける荷札（図３９（Ｅ）、図３９（Ｆ）参照）等に設けて使用することができる。
【０４７９】
本発明の一態様に係るＲＦタグ４０００は、表面に貼る、又は埋め込むことにより、物品に固定される。例えば、本であれば紙に埋め込み、有機樹脂からなるパッケージであれば当該有機樹脂の内部に埋め込み、各物品に固定される。本発明の一態様に係るＲＦタグ４０００は、小型、薄型、軽量を実現するため、物品に固定した後もその物品自体のデザイン性を損なうことがない。また、紙幣、硬貨、有価証券類、無記名債券類、又は証書類等に本発明の一態様に係るＲＦタグ４０００を設けることにより、認証機能を設けることができ、この認証機能を活用すれば、偽造を防止することができる。また、包装用容器類、記録媒体、身の回り品、食品類、衣類、生活用品類、又は電子機器等に本発明の一態様に係るＲＦタグを取り付けることにより、検品システム等のシステムの効率化を図ることができる。また、乗り物類であっても、本発明の一態様に係るＲＦタグを取り付けることにより、盗難などに対するセキュリティ性を高めることができる。
【０４８０】
以上のように、本発明の一態様に係わるＲＦタグを本実施の形態に挙げた各用途に用いることにより、情報の書込みや読み出しを含む動作電力を低減できるため、最大通信距離を長くとることが可能となる。また、電力が遮断された状態であっても情報を極めて長い期間保持可能であるため、書き込みや読み出しの頻度が低い用途にも好適に用いることができる。
【０４８１】
なお、本実施の形態は、本明細書で示す他の実施の形態と適宜組み合わせることができる。
【０４８２】
（本明細書等の記載に関する付記）
以上の実施の形態、及び実施の形態における各構成の説明について、以下に付記する。
【０４８３】
＜実施の形態で述べた本発明の一態様に関する付記＞
各実施の形態に示す構成は、他の実施の形態に示す構成と適宜組み合わせて、本発明の一態様とすることができる。また、１つの実施の形態の中に、複数の構成例が示される場合は、互いに構成例を適宜組み合わせることが可能である。
【０４８４】
なお、ある一つの実施の形態の中で述べる内容（一部の内容でもよい）は、その実施の形態で述べる別の内容（一部の内容でもよい）と、一つ若しくは複数の別の実施の形態で述べる内容（一部の内容でもよい）との少なくとも一つの内容に対して、適用、組み合わせ、又は置き換えなどを行うことができる。
【０４８５】
なお、実施の形態の中で述べる内容とは、各々の実施の形態において、様々な図を用いて述べる内容、又は明細書に記載される文章を用いて述べる内容のことである。
【０４８６】
なお、ある一つの実施の形態において述べる図（一部でもよい）は、その図の別の部分、その実施の形態において述べる別の図（一部でもよい）と、一つ若しくは複数の別の実施の形態において述べる図（一部でもよい）との少なくとも一つの図に対して、組み合わせることにより、さらに多くの図を構成させることができる。
【０４８７】
＜序数詞に関する付記＞
本明細書等において、「第１」、「第２」、「第３」という序数詞は、構成要素の混同を避けるために付したものである。従って、構成要素の数を限定するものではない。また、構成要素の順序を限定するものではない。また例えば、本明細書等の実施の形態の一において「第１」に言及された構成要素が、他の実施の形態、あるいは特許請求の範囲において「第２」に言及された構成要素とすることもありうる。また例えば、本明細書等の実施の形態の一において「第１」に言及された構成要素を、他の実施の形態、あるいは特許請求の範囲において省略することもありうる。
【０４８８】
＜図面を説明する記載に関する付記＞
実施の形態について図面を参照しながら説明している。但し、実施の形態は多くの異なる態様で実施することが可能であり、趣旨及びその範囲から逸脱することなく、その形態及び詳細を様々に変更し得ることは当業者であれば容易に理解される。従って、本発明は、実施の形態の記載内容に限定して解釈されるものではない。なお、本明細書で説明する発明の構成において、同一部分又は同様な機能を有する部分には同一の符号を異なる図面間で共通して用い、その繰り返しの説明は省略する。
【０４８９】
また、本明細書等において、「上に」、「下に」などの配置を示す語句は、構成同士の位置関係を、図面を参照して説明するために、便宜上用いている。構成同士の位置関係は、各構成を描写する方向に応じて適宜変化する。そのため、配置を示す語句は、明細書で説明した記載に限定されず、状況に応じて適切に言い換えることができる。
【０４９０】
また、「上」や「下」の用語は、構成要素の位置関係が直上又は直下で、かつ、直接接していることを限定するものではない。例えば、「絶縁層Ａ上の電極Ｂ」の表現であれば、絶縁層Ａの上に電極Ｂが直接接して形成されている必要はなく、絶縁層Ａと電極Ｂとの間に他の構成要素を含むものを除外しない。
【０４９１】
また本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【０４９２】
また、図面において、大きさ、層の厚さ、又は領域は、説明の便宜上任意の大きさに示したものである。よって、必ずしもそのスケールに限定されない。なお図面は明確性を期すために模式的に示したものであり、図面に示す形状又は値などに限定されない。例えば、ノイズによる信号、電圧、若しくは電流のばらつき、又は、タイミングのずれによる信号、電圧、若しくは電流のばらつきなどを含むことが可能である。
【０４９３】
また、図面において、上面図（平面図、レイアウト図ともいう）や斜視図などにおいて、図面の明確性を期すために、一部の構成要素の記載を省略している場合がある。
【０４９４】
また、図面において、同一の要素又は同様な機能を有する要素、同一の材質の要素、あるいは同時に形成される要素等には同一の符号を付す場合があり、その繰り返しの説明は省略する場合がある。
【０４９５】
＜言い換え可能な記載に関する付記＞
本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０４９６】
また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【０４９７】
また、本明細書等において、電圧と電位は、適宜言い換えることができる。電圧は、基準となる電位からの電位差のことであり、例えば基準となる電位をグラウンド電位（接地電位）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【０４９８】
なお本明細書等において、「膜」、「層」などの語句は、場合によっては、又は、状況に応じて、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。又は、場合によっては、又は、状況に応じて、「膜」、「層」などの語句を使わずに、別の用語に入れ替えることが可能である。例えば、「導電層」又は「導電膜」という用語を、「導電体」という用語に変更することが可能な場合がある。又は、例えば、「絶縁層」「絶縁膜」という用語を、「絶縁体」という用語に変更することが可能な場合がある。
【０４９９】
なお本明細書等において、「配線」、「信号線」、「電源線」などの用語は、場合によっては、又は、状況に応じて、互いに入れ替えることが可能である。例えば、「配線」という用語を、「信号線」という用語に変更することが可能な場合がある。また、例えば、「配線」という用語を、「電源線」などの用語に変更することが可能な場合がある。また、その逆も同様で、「信号線」「電源線」などの用語を、「配線」という用語に変更することが可能な場合がある。「電源線」などの用語は、「信号線」などの用語に変更することが可能な場合がある。また、その逆も同様で「信号線」などの用語は、「電源線」などの用語に変更することが可能な場合がある。
【０５００】
＜語句の定義に関する付記＞
以下では、上記実施の形態中で言及した語句の定義について説明する。
【０５０１】
＜＜半導体について＞＞
本明細書において、「半導体」と表記した場合でも、例えば、導電性が十分低い場合は「絶縁体」としての特性を有する場合がある。また、「半導体」と「絶縁体」は境界が曖昧であり、厳密に区別できない場合がある。したがって、本明細書に記載の「半導体」は、「絶縁体」と言い換えることができる場合がある。同様に、本明細書に記載の「絶縁体」は、「半導体」と言い換えることができる場合がある。
【０５０２】
また、「半導体」と表記した場合でも、例えば、導電性が十分高い場合は「導電体」としての特性を有する場合がある。また、「半導体」と「導電体」は境界が曖昧であり、厳密に区別できない場合がある。したがって、本明細書に記載の「半導体」は、「導電体」と言い換えることができる場合がある。同様に、本明細書に記載の「導電体」は、「半導体」と言い換えることができる場合がある。
【０５０３】
なお、半導体の不純物とは、例えば、半導体層を構成する主成分以外をいう。例えば、濃度が０．１原子％未満の元素は不純物である。不純物が含まれることにより、例えば、半導体にＤＯＳ（Ｄｅｎｓｉｔｙ  ｏｆ  Ｓｔａｔｅ）が形成されることや、キャリア移動度が低下することや、結晶性が低下することなどが起こる場合がある。半導体が酸化物半導体である場合、半導体の特性を変化させる不純物としては、例えば、第１族元素、第２族元素、第１３族元素、第１４族元素、第１５族元素、主成分以外の遷移金属などがあり、特に、例えば、水素（水にも含まれる）、リチウム、ナトリウム、シリコン、ホウ素、リン、炭素、窒素などがある。酸化物半導体の場合、例えば水素などの不純物の混入によって酸素欠損を形成する場合がある。また、半導体がシリコン層である場合、半導体の特性を変化させる不純物としては、例えば、酸素、水素を除く第１族元素、第２族元素、第１３族元素、第１５族元素などがある。
【０５０４】
＜＜トランジスタについて＞＞
本明細書において、トランジスタとは、ゲートと、ドレインと、ソースとを含む少なくとも三つの端子を有する素子である。そして、ドレイン（ドレイン端子、ドレイン領域又はドレイン電極）とソース（ソース端子、ソース領域又はソース電極）の間にチャネル形成領域を有しており、ドレインとチャネル形成領域とソースとを介して電流を流すことができるものである。なお、本明細書等において、チャネル形成領域とは、電流が主として流れる領域をいう。
【０５０５】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【０５０６】
＜＜スイッチについて＞＞
本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【０５０７】
一例としては、電気的スイッチ又は機械的なスイッチなどを用いることができる。つまり、スイッチは、電流を制御できるものであればよく、特定のものに限定されない。
【０５０８】
電気的なスイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。
【０５０９】
なお、スイッチとしてトランジスタを用いる場合、トランジスタの「導通状態」とは、トランジスタのソース電極とドレイン電極が電気的に短絡されているとみなせる状態をいう。また、トランジスタの「非導通状態」とは、トランジスタのソース電極とドレイン電極が電気的に遮断されているとみなせる状態をいう。なおトランジスタを単なるスイッチとして動作させる場合には、トランジスタの極性（導電型）は特に限定されない。
【０５１０】
機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【０５１１】
＜＜チャネル長について＞＞
本明細書等において、チャネル長とは、例えば、トランジスタの上面図において、半導体（又はトランジスタがオン状態のときに半導体の中で電流の流れる部分）とゲート電極とが重なる領域、又はチャネルが形成される領域における、ソース（ソース領域又はソース電極）とドレイン（ドレイン領域又はドレイン電極）との間の距離をいう。
【０５１２】
なお、一つのトランジスタにおいて、チャネル長が全ての領域で同じ値をとるとは限らない。即ち、一つのトランジスタのチャネル長は、一つの値に定まらない場合がある。そのため、本明細書では、チャネル長は、チャネルの形成される領域における、いずれか一の値、最大値、最小値又は平均値とする。
【０５１３】
＜＜チャネル幅について＞＞
本明細書等において、チャネル幅とは、例えば、上面図において半導体（又はトランジスタがオン状態のときに半導体の中で電流の流れる部分）とゲート電極とが重なる領域、又はチャネルが形成される領域における、ソースとドレインとが向かい合っている部分の長さをいう。
【０５１４】
なお、一つのトランジスタにおいて、チャネル幅がすべての領域で同じ値をとるとは限らない。即ち、一つのトランジスタのチャネル幅は、一つの値に定まらない場合がある。そのため、本明細書では、チャネル幅は、チャネルの形成される領域における、いずれか一の値、最大値、最小値又は平均値とする。
【０５１５】
なお、トランジスタの構造によっては、実際にチャネルの形成される領域におけるチャネル幅（以下、実効的なチャネル幅と呼ぶ。）と、トランジスタの上面図において示されるチャネル幅（以下、見かけ上のチャネル幅と呼ぶ。）と、が異なる場合がある。例えば、立体的な構造を有するトランジスタでは、実効的なチャネル幅が、トランジスタの上面図において示される見かけ上のチャネル幅よりも大きくなり、その影響が無視できなくなる場合がある。例えば、微細かつ立体的な構造を有するトランジスタでは、半導体の側面に形成されるチャネル領域の割合が大きくなる場合がある。その場合は、上面図において示される見かけ上のチャネル幅よりも、実際にチャネルの形成される実効的なチャネル幅の方が大きくなる。
【０５１６】
ところで、立体的な構造を有するトランジスタにおいては、実効的なチャネル幅の、実測による見積もりが困難となる場合がある。例えば、設計値から実効的なチャネル幅を見積もるためには、半導体の形状が既知という仮定が必要である。したがって、半導体の形状が正確にわからない場合には、実効的なチャネル幅を正確に測定することは困難である。
【０５１７】
そこで、本明細書では、トランジスタの上面図において、半導体とゲート電極とが重なる領域における、ソースとドレインとが向かい合っている部分の長さである見かけ上のチャネル幅を、「囲い込みチャネル幅（ＳＣＷ：Ｓｕｒｒｏｕｎｄｅｄ  Ｃｈａｎｎｅｌ  Ｗｉｄｔｈ）」と呼ぶ場合がある。また、本明細書では、単にチャネル幅と記載した場合には、囲い込みチャネル幅又は見かけ上のチャネル幅を指す場合がある。又は、本明細書では、単にチャネル幅と記載した場合には、実効的なチャネル幅を指す場合がある。なお、チャネル長、チャネル幅、実効的なチャネル幅、見かけ上のチャネル幅、囲い込みチャネル幅などは、断面ＴＥＭ像などを取得して、その画像を解析することなどによって、値を決定することができる。
【０５１８】
なお、トランジスタの電界効果移動度や、チャネル幅当たりの電流値などを計算して求める場合、囲い込みチャネル幅を用いて計算する場合がある。その場合には、実効的なチャネル幅を用いて計算する場合とは異なる値をとる場合がある。
【０５１９】
＜＜接続について＞＞
なお、本明細書等において、ＸとＹとが接続されている、と記載する場合は、ＸとＹとが電気的に接続されている場合と、ＸとＹとが機能的に接続されている場合と、ＸとＹとが直接接続されている場合とを含むものとする。したがって、所定の接続関係、例えば、図又は文章に示された接続関係に限定されず、図又は文章に示された接続関係以外のものも含むものとする。
【０５２０】
ここで使用するＸ、Ｙなどは、対象物（例えば、装置、素子、回路、配線、電極、端子、導電膜、層、など）であるとする。
【０５２１】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、又は、非導通状態（オフ状態）になり、電流を流すか流さないかを制御する機能を有している。又は、スイッチは、電流を流す経路を選択して切り替える機能を有している。
【０５２２】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅又は電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。
【０５２３】
なお、ＸとＹとが電気的に接続されている、と明示的に記載する場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とを含むものとする。つまり、電気的に接続されている、と明示的に記載する場合は、単に、接続されている、とのみ明示的に記載されている場合と同じであるとする。
【０５２４】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０５２５】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。又は、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。又は、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０５２６】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【０５２７】
＜＜平行、垂直について＞＞
本明細書において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【０５２８】
＜＜三方晶、菱面体晶について＞＞
本明細書において、結晶が三方晶又は菱面体晶である場合、六方晶系として表す。
【符号の説明】
【０５２９】
ＢＬ１    配線
ＢＬ２    配線
ＲＢＬ１    配線
ＲＢＬ２    配線
ＷＬ１    配線
ＷＬ２    配線
ＣＮＯＤＥ１    配線
ＣＮＯＤＥ２    配線
ＢＬＡ−１    配線
ＢＬＡ−２    配線
ＢＬＢ−１    配線
ＢＬＢ−２    配線
ＢＬＣ−１    配線
ＢＬＣ−２    配線
ＣＳＡ［１］    容量素子
ＣＳＡ［ｍ］    容量素子
ＣＳＤＡ    容量素子
ＣＳＢ［１］    容量素子
ＣＳＢ［ｎ］    容量素子
ＣＳＤＢ    容量素子
ＣＳＣ［１］    容量素子
ＣＳＣ［ｐ］    容量素子
ＣＡ１    容量素子
ＣＡ２    容量素子
ＣＢ１    容量素子
ＣＢ２    容量素子
ＣＣ１    容量素子
ＣＣ２    容量素子
ＣＸ１    容量素子
ＣＸ２    容量素子
ＬＹＲ１    層
ＬＹＲ２    層
ＭＣＡ［１］    メモリセル
ＭＣＡ［ｍ］    メモリセル
ＭＣＤＡ    ダミーセル
ＭＣＢ［１］    メモリセル
ＭＣＢ［ｎ］    メモリセル
ＭＣＤＢ    ダミーセル
ＭＣＣ［１］    メモリセル
ＭＣＣ［ｐ］    メモリセル
ＭＣＡＬＡ    メモリセルアレイ
ＭＣＡＬＢ    メモリセルアレイ
ＭＣＡＬＣ    メモリセルアレイ
ＴＡ［１］    トランジスタ
ＴＡ［ｍ］    トランジスタ
ＴＤＡ    トランジスタ
ＴＢ［１］    トランジスタ
ＴＢ［ｎ］    トランジスタ
ＴＤＢ    トランジスタ
ＴＣ［１］    トランジスタ
ＴＣ［ｐ］    トランジスタ
ＴＧ    配線
ＴＧＬ    配線
ＴＧＲ    配線
Ｔｒ１    トランジスタ
Ｔｒ２    トランジスタ
ＴｒＬ１    トランジスタ
ＴｒＬ２    トランジスタ
ＴｒＲ１    トランジスタ
ＴｒＲ２    トランジスタ
ＶＣ    配線
ＷＬＡ［１］    配線
ＷＬＡ［ｍ］    配線
ＷＬＤＡ    配線
ＷＬＢ［１］    配線
ＷＬＢ［ｎ］    配線
ＷＬＤＢ    配線
ＷＬＣ［１］    配線
ＷＬＣ［ｐ］    配線
ＢＬＡ    配線
ＢＬＢ    配線
ＢＬＣ    配線
Ｔ０    時刻
Ｔ１    時刻
Ｔ２    時刻
Ｔ３    時刻
Ｔ４    時刻
Ｔ５    時刻
Ｔ６    時刻
ＣＤ    半導体装置
Ｌ１    層
Ｌ２    層
Ｌ３    層
Ｌ４    層
Ｌ５    層
Ｌ６    層
Ｌ７    層
Ｌ８    層
Ｌ９    層
Ｌ１０    層
Ｌ１１    層
Ｌ１２    層
Ｃ１    容量素子
ＴｒＡ    トランジスタ
ＴｒＢ    トランジスタ
ＴｒＣ    トランジスタ
ＯＳ１    トランジスタ
ＯＳ２    トランジスタ
Ｃ０    容量素子
１００    半導体装置
１１０    半導体装置
２００    半導体装置
２１０    半導体装置
３００    半導体装置
１０１    センスアンプ
１０２    センスアンプ
１４００ａ    トランジスタ
１４００ｂ    トランジスタ
１４００ｃ    トランジスタ
１４００ｄ    トランジスタ
１４００ｅ    トランジスタ
１４００ｆ    トランジスタ
１４０１    絶縁膜
１４０２    絶縁膜
１４０３    絶縁膜
１４０４    絶縁膜
１４０５    絶縁膜
１４０６    絶縁膜
１４０７    絶縁膜
１４０８    絶縁膜
１４０９    絶縁膜
１４１１    導電膜
１４１２    導電膜
１４１３    導電膜
１４１４    導電膜
１４１５    開口部
１４２１    導電膜
１４２２    導電膜
１４２３    導電膜
１４２４    導電膜
１４３０    金属酸化物
１４３１    金属酸化物
１４３１ａ    金属酸化物
１４３１ｂ    金属酸化物
１４３１ｃ    金属酸化物
１４３２    金属酸化物
１４３２ａ    金属酸化物
１４３２ｂ    金属酸化物
１４３２ｃ    金属酸化物
１４３３    金属酸化物
１４４１    領域
１４４２    領域
１４５０    基板
１４５１    低抵抗領域
１４５２    低抵抗領域
１４６１    領域
１４６１ａ    領域
１４６１ｂ    領域
１４６１ｃ    領域
１４６１ｄ    領域
１４６１ｅ    領域
１４６２    領域
１４６３    領域
１６８０    トランジスタ
１６８１    絶縁膜
１６８２    半導体
１６８３    導電膜
１６８４    導電膜
１６８５    絶縁膜
１６８６    絶縁膜
１６８７    絶縁膜
１６８８    導電膜
１６８９    導電膜
１７００    基板
１７０１    素子分離層
１７０２    絶縁体
１７０３    絶縁体
１７０４    絶縁体
１７０５    絶縁体
１７０６    絶縁体
１７１０    導電体
１７１１    導電体
１７１２    導電体
１７１３    導電体
１７１４    導電体
１７１５    導電体
１７１６    導電体
１７１７    導電体
１７１８    導電体
１７１９    導電体
１７３０    配線
１７３１    配線
１７３２    配線
１７３３    配線
１７３４    配線
１７３５    配線
１７３６    配線
１７３７    配線
１７５１    第１の電極
１７５２    第２の電極
１７５３    絶縁体
１７９０    ゲート電極
１７９２    ウェル
１７９３    チャネル形成領域
１７９４    低濃度不純物領域
１７９５    高濃度不純物領域
１７９６    導電性領域
１７９７    ゲート絶縁膜
１７９８    側壁絶縁層
１７９９    側壁絶縁層
２１００    ＣＰＵ
２１０１    基板
２１０２    プロセッサコア
２１０３    記憶装置
２１０４    ＰＭＵ
２１０５    データバス
２６００    記憶装置
２６０１    周辺回路
２６１０    メモリセルアレイ
２６２１    ローデコーダ
２６２２    ワード線ドライバ回路
２６３０    ビット線ドライバ回路
２６３１    カラムデコーダ
２６３２    プリチャージ回路
２６３３    センスアンプ
２６３４    書き込み回路
２６４０    出力回路
２６６０    コントロールロジック回路
４０００    ＲＦタグ
４７００    電子部品
４７０１    リード
４７０２    プリント基板
４７０３    回路部
４７０４    回路基板
５２０１    筐体
５２０２    筐体
５２０３    表示部
５２０４    表示部
５２０５    マイクロホン
５２０６    スピーカー
５２０７    操作キー
５２０８    スタイラス
５３０１    筐体
５３０２    冷蔵室用扉
５３０３    冷凍室用扉
５４０１    筐体
５４０２    表示部
５４０３    キーボード
５４０４    ポインティングデバイス
５６０１    第１筐体
５６０２    第２筐体
５６０３    第１表示部
５６０４    第２表示部
５６０５    接続部
５６０６    操作キー
５７０１    車体
５７０２    車輪
５７０３    ダッシュボード
５７０４    ライト
５８０１    第１筐体
５８０２    第２筐体
５８０３    表示部
５８０４    操作キー
５８０５    レンズ
５８０６    接続部
６０００    記憶装置
６１００    メモリセル
【図１】
2016212944.tif 000004
【図６】
2016212944.tif 000005
【図７】
2016212944.tif 000006
【図８】
2016212944.tif 000007
【図９】
2016212944.tif 000008
【図１０】
2016212944.tif 000009
【図１１】
2016212944.tif 000010
【図１２】
2016212944.tif 000011
【図１３】
2016212944.tif 000012
【図１４】
2016212944.tif 000013
【図１５】
2016212944.tif 000014
【図１６】
2016212944.tif 000015
【図１７】
2016212944.tif 000016
【図１８】
2016212944.tif 000017
【図１９】
2016212944.tif 000018
【図２０】
2016212944.tif 000019
【図２１】
2016212944.tif 000020
【図２２】
2016212944.tif 000021
【図２３】
2016212944.tif 000022
【図２４】
2016212944.tif 000023
【図２５】
2016212944.tif 000024
【図２６】
2016212944.tif 000025
【図２７】
2016212944.tif 000026
【図２８】
2016212944.tif 000027
【図２９】
2016212944.tif 000028
【図３０】
2016212944.tif 000029
【図３１】
2016212944.tif 000030
【図３６】
2016212944.tif 000031
【図３７】
2016212944.tif 000032
【図３８】
2016212944.tif 000033
【図３９】
2016212944.tif 000034
【図２】
2016212944.tif 000035
【図３】
2016212944.tif 000036
【図４】
2016212944.tif 000037
【図５】
2016212944.tif 000038
【図３２】
2016212944.tif 000039
【図３３】
2016212944.tif 000040
【図３４】
2016212944.tif 000041
【図３５】
2016212944.tif 000042